(57)【特許請求の範囲】
【請求項１】
第１のユーザ機器（ＵＥ）において、第１の基地局から、共有無線周波数スペクトル帯域上で第１の通信を受信することと、前記第１の通信が、ダウンリンク送信に関連する許可前通信またはアップリンク送信に関連するアップリンクリソースの許可を備え、
前記第１の通信を受信することに少なくとも部分的に基づいて、前記共有無線周波数スペクトル帯域上でチャネル予約の信号が検出されたかどうかを決定することと、ここにおいて、
前記第１の通信がダウンリンク通信に関連する許可前通信を備えるとき、前記決定することは、送信用チャネル予約の信号が検出されたかどうかを決定することを備え、前記送信用チャネル予約の信号は、第２の基地局または第２のＵＥによって送信され、
前記第１の通信がアップリンクリソースの許可を備えるとき、前記決定することは、受信用チャネル予約の信号が検出されたどうかを決定することを備え、前記受信用チャネル予約の信号は、前記第２のＵＥまたは前記第２の基地局によって送信され、
前記チャネル予約の信号が検出されないと決定されたとき、前記決定することに少なくとも部分的に基づいて、前記第１の基地局に、前記共有無線周波数スペクトル帯域上で第２の通信を送信することと、前記第２の通信は、前記第１の通信がダウンリンク通信に関連する許可前通信を備えるとき、前記ダウンリンク送信の承認を備え、または、前記第１の通信がアップリンクリソースの許可を備えるとき、アップリンク送信を備える、
を備える、ワイヤレス通信の方法。
【請求項２】
前記第１の通信は前記許可前通信を備え、前記第２の通信は、受信用チャネル予約の信号と前記ダウンリンク送信の前記承認とを備える、請求項１に記載の方法。
【請求項３】
前記第１の通信がダウンリンク通信に関連する許可前通信を備え、かつ、前記送信用チャネル予約の信号が検出されたと決定されたとき、
前記送信用チャネル予約の信号に関連する予約時間が満了したと決定することと、
前記予約時間が満了していることに少なくとも部分的に基づいて、前記第２の通信を送信することと、
をさらに備える、請求項２に記載の方法。
【請求項４】
前記第１の通信がアップリンクリソースの前記許可を備え、前記第２の通信が、送信用チャネル予約の信号と前記アップリンク送信とを備える、請求項１に記載の方法。
【請求項５】
前記第１の通信がアップリンクリソースの許可を備え、かつ、前記受信用チャネル予約の信号が検出されたと決定されたとき、
前記受信用チャネル予約の信号に関連する予約時間が満了したと決定することと、
前記予約時間が満了していることに少なくとも部分的に基づいて、前記第２の通信を送信することと、
をさらに備える、請求項４に記載の方法。
【請求項６】
前記第１の通信は前記許可前通信を備え、前記チャネル予約の信号は、前記第２のＵＥまたはＷｉ−Ｆｉ送信機によって送信された送信用チャネル予約の信号を備え、前記第２の通信は、受信用チャネル予約の信号と前記ダウンリンク送信の前記承認とを備える、請求項１に記載の方法。
【請求項７】
前記送信用チャネル予約の信号が検出されたと決定されたとき、
前記送信用チャネル予約の信号に関連する予約時間が満了したと決定することと、
前記予約時間が満了していることに少なくとも部分的に基づいて、前記第２の通信を送信することと、
をさらに備える、請求項６に記載の方法。
【請求項８】
前記第１の通信はアップリンクリソースの前記許可を備え、前記チャネル予約の信号が、第２の基地局またはＷｉ−Ｆｉ受信機によって送信された受信用チャネル予約の信号を備え、前記第２の通信は、送信用チャネル予約の信号と前記アップリンク送信とを備える、請求項１に記載の方法。
【請求項９】
第１のユーザ機器（ＵＥ）において、第１の基地局から、共有無線周波数スペクトル帯域上で第１の通信を受信するための手段と、前記第１の通信が、ダウンリンク送信に関連する許可前通信またはアップリンク送信に関連するアップリンクリソースの許可を備え、
前記第１の通信を受信することに少なくとも部分的に基づいて、前記共有無線周波数スペクトル帯域上でチャネル予約の信号が検出されたかどうかを決定するための手段と、ここにおいて、
前記第１の通信がダウンリンク通信に関連する許可前通信を備えるとき、前記決定することは、送信用チャネル予約の信号が検出されたかどうかを決定することを備え、前記送信用チャネル予約の信号は、第２の基地局または第２のＵＥによって送信され、
前記第１の通信がアップリンクリソースの許可を備えるとき、前記決定することは、受信用チャネル予約の信号が検出されたどうかを決定することを備え、前記受信用チャネル予約の信号は、前記第２のＵＥまたは前記第２の基地局によって送信され、
前記チャネル予約の信号が検出されないと決定されたとき、前記決定することに少なくとも部分的に基づいて、前記第１の基地局に、前記共有無線周波数スペクトル帯域上で第２の通信を送信するための手段と、前記第２の通信は、前記第１の通信がダウンリンク通信に関連する許可前通信を備えるとき、前記ダウンリンク送信の承認を備え、または、前記第１の通信がアップリンクリソースの許可を備えるとき、アップリンク送信を備える、
を備える、ワイヤレス通信のための装置。
【請求項１０】
第１の基地局において、共有無線周波数スペクトル帯域上で送信用チャネル予約の信号を検出することと、
前記第１の基地局において、前記送信用チャネル予約の信号を検出したことに応答して、前記検出された送信用チャネル予約の信号に対応する受信用チャネル予約の信号が前記共有無線周波数スペクトル帯域上で検出されないと決定することと、ここにおいて、
前記送信用チャネル予約は第２の基地局によって行われ、受信用チャネル予約の信号は第２のＵＥによって送信される、または、
前記送信用チャネル予約は第２のＵＥによって行われ、受信用チャネル予約の信号は第２の基地局によって送信される、または、
前記送信用チャネル予約はＷｉＦｉ送信機によって行われ、受信用チャネル予約の信号はＷｉＦｉ受信機によって送信され、
前記検出された送信用チャネル予約の信号に対応する受信用チャネル予約の信号が検出されないと決定することに少なくとも部分的に基づいて、第１のユーザ機器（ＵＥ）に、前記共有無線周波数スペクトル帯域上で通信を送信することと、前記通信は、ダウンリンク送信に関連する許可前通信またはアップリンク送信に関連するアップリンクリソースの許可を備える、
を備える、ワイヤレス通信の方法。
【請求項１１】
前記受信用チャネル予約の信号が検出されなかったと決定することと、
前記受信用チャネル予約の信号を検出しなかったことに少なくとも部分的に基づいて前記通信を送信することと
をさらに備える、請求項１０に記載の方法。
【請求項１２】
前記通信がアップリンクリソースの前記許可を備え、前記方法が、
前記送信用チャネル予約に関連する干渉レベルを決定することと、
前記干渉レベルに少なくとも部分的に基づいて、前記アップリンク送信中に前記第１のＵＥによって使用されるべき変調およびコーディング方式（ＭＣＳ）を識別することと、
前記通信を用いて前記ＭＣＳのインジケータを送信することと
をさらに備える、請求項１０に記載の方法。
【請求項１３】
前記通信はアップリンクリソースの前記許可を備え、前記方法は、
前記送信用チャネル予約の持続時間を決定することと、
アップリンクリソースの前記許可において、前記送信用チャネル予約の前記持続時間よりも短いアップリンク送信持続時間を示すことと、
をさらに備える、請求項１０に記載の方法。
【請求項１４】
第１の基地局において、共有無線周波数スペクトル帯域上で送信用チャネル予約の信号を検出するための手段と、
前記第１の基地局において、前記送信用チャネル予約の信号を検出したことに応答して、前記検出された送信用チャネル予約の信号に対応する受信用チャネル予約の信号が前記共有無線周波数スペクトル帯域上で検出されないと決定するための手段と、ここにおいて、
前記送信用チャネル予約は第２の基地局によって行われ、受信用チャネル予約の信号は第２のＵＥによって送信される、または、
前記送信用チャネル予約は第２のＵＥによって行われ、受信用チャネル予約の信号は第２の基地局によって送信される、または、
前記送信用チャネル予約はＷｉＦｉ送信機によって行われ、受信用チャネル予約の信号はＷｉＦｉ受信器によって送信され、
前記検出された送信用チャネル予約の信号に対応する受信用チャネル予約の信号が検出されないと決定することに少なくとも部分的に基づいて、第１のユーザ機器（ＵＥ）に、前記共有無線周波数スペクトル帯域上で通信を送信するための手段と、前記通信は、ダウンリンク送信に関連する許可前通信またはアップリンク送信に関連するアップリンクリソースの許可を備える、
を備える、ワイヤレス通信のための装置。
【発明の詳細な説明】
【技術分野】
【０００１】
相互参照
[0001]本特許出願は、各々が本出願の譲受人に譲渡された、２０１６年６月９日に出願された、「Over-the-Air Signaling for an Increased Reuse Factor in a Shared Radio Frequency Spectrum Band」と題する、Ｓｕｎらによる米国特許出願第１５／１７７，９２８号、および２０１５年７月８日に出願された、「Over-the-Air Signaling for an Increased Reuse Factor in a Shared Radio Frequency Spectrum Band」と題する、Ｓｕｎらによる米国仮特許出願第６２／１９０，１５９号の優先権を主張する。
【０００２】
[0002]本開示は、たとえば、ワイヤレス通信システムに関し、より詳細には、共有無線周波数スペクトル帯域において増加された再使用係数を与えるためにオーバージエアシグナリングを使用するための技法に関する。
【背景技術】
【０００３】
[0003]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムがある。
【０００４】
[0004]例として、ワイヤレス多元接続通信システムは、場合によってはユーザ機器（ＵＥ）として知られる、複数の通信デバイスのための通信を各々が同時にサポートする、いくつかの基地局を含み得る。基地局は、（たとえば、基地局からＵＥへの送信のために）ダウンリンクチャネル上でＵＥと通信し、（たとえば、ＵＥから基地局への送信のために）アップリンクチャネル上でＵＥと通信し得る。
【０００５】
[0005]いくつかのワイヤレス通信システムでは、基地局およびＵＥは、共有無線周波数スペクトル帯域において拡張コンポーネントキャリア（ｅＣＣ：enhanced component carrier）上で通信し得る。共有無線周波数スペクトル帯域へのアクセスを獲得し、共有無線周波数スペクトル帯域上で通信するより前に、基地局またはＵＥは、共有無線周波数スペクトル帯域へのアクセスを求めて競合するために、リッスンビフォアトーク（ＬＢＴ：listen before talk）プロシージャを実行し得る。ＬＢＴプロシージャは、共有無線周波数スペクトル帯域のチャネルが利用可能であるかどうかを決定するために、クリアチャネルアセスメント（ＣＣＡ：clear channel assessment）プロシージャまたは拡張ＣＣＡ（ｅＣＣＡ：extended CCA）プロシージャを実行することを含み得る。共有無線周波数スペクトル帯域のチャネルが利用可能であると決定されたとき、チャネル予約信号（たとえば、チャネル使用ビーコン信号（ＣＵＢＳ：channel usage beacon signal））が、チャネルを予約するために送信され得る。チャネル予約信号を受信するデバイスは、チャネルにアクセスすることを延期し得る。ただし、いくつかのシナリオの下では、第１のデバイスの送信と第２のデバイスの送信とが干渉しないにもかかわらず（even though）（または並列送信から生じる干渉は消去され得るにもかかわらず）、第１のデバイスによって送信されたチャネル予約信号は、第１のデバイスと並列に第２のデバイスがチャネル上で送信することを妨げ得る。
【発明の概要】
【０００６】
[0006]本開示は、たとえば、共有無線周波数スペクトル帯域において増加された再使用係数を与えるためにオーバージエアシグナリング（over-the-air signaling）を使用するための技法に関する。技法によれば、第２のデバイスと通信することを意図する第１のデバイスが、第１のチャネル予約信号を送信し得る。第１のチャネル予約信号を受信すると、第２のデバイスは第２のチャネル予約信号を送信し得る。第２のチャネル予約信号は、特に、第１のデバイスとの通信の承認を示し得る。第１のデバイスが、ダウンリンク（ＤＬ）送信において第１のＵＥ（すなわち、第２のデバイス）と通信することを意図する第１の基地局であるとき、第１のチャネル予約信号は、「送信用チャネル予約信号（channel reservation for transmission signal）」（たとえば、自己への送信可（ＣＴＳ：Clear-to-Send）（CTS-to-self）および／または物理フレームフォーマットインジケータチャネル（ＰＦＦＩＣＨ：physical frame format indicator channel）など、送信機によって送信されたチャネル予約信号）を含み得、第２のチャネル予約信号は、「受信用チャネル予約信号（channel reservation for reception signal）」（たとえば、ＣＴＳなど、受信機によって送信されたチャネル予約信号）を含み得る。第１のデバイスが、アップリンク（ＵＬ）送信において第１のＵＥ（すなわち、第２のデバイス）と通信することを意図する第１の基地局であるとき、第１のチャネル予約信号は、受信用チャネル予約信号（たとえば、ＣＴＳ−ｔｏ−ｓｅｌｆおよび／またはＰＦＦＩＣＨ）を含み得、第２のチャネル予約信号は、送信用チャネル予約信号（たとえば、Ｗｉ−Ｆｉ（登録商標）プリアンブル）を含み得る。ＰＦＦＩＣＨは、ＤＬ送信をＵＬ送信と区別するために、ＤＬ送信およびＵＬ送信において異なる値を有し得る。
【０００７】
[0007]第１のデバイスおよび第２のデバイスによって送信されたチャネル予約信号を仮定すれば、第２の基地局および第２のＵＥは、チャネル予約信号を検出し、第２の基地局と第２のＵＥとの間の通信を開始／承認する決定を行い得る。たとえば、第２の基地局が共有無線周波数スペクトル帯域上の「送信用チャネル予約」（たとえば、１つまたは複数の送信用チャネル予約信号を検出することによって検出されたチャネル予約）を検出したとき、第２の基地局は、送信用チャネル予約に少なくとも部分的に基づいて、共有無線周波数スペクトル帯域上で受信用チャネル予約信号が検出されたかどうかを決定し得る。受信用チャネル予約信号が検出されなかったとき、基地局は、第１の通信を第２のＵＥに送信し得る。第１の通信は、ＤＬ送信に関連する許可前（pre-grant）通信またはＵＬ送信に関連するアップリンクリソースの許可を含み得る。第１の通信を受信すると、第２のＵＥは、共有無線周波数スペクトル帯域上でチャネル予約信号（たとえば、第１の通信が許可前通信を含むとき、送信用チャネル予約信号、または第１の通信がアップリンクリソースの許可を含むとき、受信用チャネル予約信号）が検出されたかどうかを決定し得る。チャネル予約信号が第２のＵＥによって検出されたかどうかに少なくとも部分的に基づいて、第２のＵＥは、共有無線周波数スペクトル帯域上で第２の通信を送信し得る。第２の通信は、ダウンリンク送信の承認、または、代替的に、アップリンク送信（an approval of the downlink transmission or, alternatively, the uplink transmission）を含み得る。
【０００８】
[0008]ワイヤレス通信の方法が説明される。本方法は、第１のＵＥにおいて、第１の基地局から、共有無線周波数スペクトル帯域上で第１の通信を受信することと、第１の通信が、ダウンリンク送信に関連する許可前通信またはアップリンク送信に関連するアップリンクリソースの許可を備える、第１の通信を受信することに少なくとも部分的に基づいて、共有無線周波数スペクトル帯域上でチャネル予約信号が検出されたかどうかを決定することと、決定することに少なくとも部分的に基づいて、第１の基地局に、共有無線周波数スペクトル帯域上で第２の通信を送信することと、第２の通信がアップリンク送信またはダウンリンク送信の承認を備える、を含み得る。
【０００９】
[0009]ワイヤレス通信のための装置が説明される。本装置は、プロセッサと、プロセッサと電子通信しているメモリと、メモリに記憶された命令とを含み得る。命令は、第１のＵＥにおいて、第１の基地局から、共有無線周波数スペクトル帯域上で第１の通信を受信することと、第１の通信が、ダウンリンク送信に関連する許可前通信またはアップリンク送信に関連するアップリンクリソースの許可を備える、第１の通信を受信することに少なくとも部分的に基づいて、共有無線周波数スペクトル帯域上でチャネル予約信号が検出されたかどうかを決定することと、決定することに少なくとも部分的に基づいて、第１の基地局に、共有無線周波数スペクトル帯域上で第２の通信を送信することと、第２の通信がアップリンク送信またはダウンリンク送信の承認を備える、を行うためにプロセッサによって実行可能であり得る。
【００１０】
[0010]ワイヤレス通信のための別の装置が説明される。本装置は、第１のＵＥにおいて、第１の基地局から、共有無線周波数スペクトル帯域上で第１の通信を受信するための手段と、第１の通信が、ダウンリンク送信に関連する許可前通信またはアップリンク送信に関連するアップリンクリソースの許可を備える、第１の通信を受信することに少なくとも部分的に基づいて、共有無線周波数スペクトル帯域上でチャネル予約信号が検出されたかどうかを決定するための手段と、決定することに少なくとも部分的に基づいて、第１の基地局に、共有無線周波数スペクトル帯域上で第２の通信を送信するための手段と、第２の通信がアップリンク送信またはダウンリンク送信の承認を備える、を含み得る。
【００１１】
[0011]ワイヤレス通信のためのコードを記憶する非一時的コンピュータ可読媒体が説明される。コードは、第１のＵＥにおいて、第１の基地局から、共有無線周波数スペクトル帯域上で第１の通信を受信することと、第１の通信が、ダウンリンク送信に関連する許可前通信またはアップリンク送信に関連するアップリンクリソースの許可を備える、第１の通信を受信することに少なくとも部分的に基づいて、共有無線周波数スペクトル帯域上でチャネル予約信号が検出されたかどうかを決定することと、決定することに少なくとも部分的に基づいて、第１の基地局に、共有無線周波数スペクトル帯域上で第２の通信を送信することと、第２の通信がアップリンク送信またはダウンリンク送信の承認を備える、を行うために実行可能な命令を含み得る。
【００１２】
[0012]方法、装置、または非一時的コンピュータ可読媒体のいくつかの例では、第１の通信は許可前通信を含み得、チャネル予約信号は、第２の基地局によって送信された送信用チャネル予約信号を含み得、第２の通信は、受信用チャネル予約信号とダウンリンク送信の承認とを含み得る。
【００１３】
[0013]方法、装置、または非一時的コンピュータ可読媒体のいくつかの例では、送信用チャネル予約信号は自己への送信可（ＣＴＳ）信号を含み得、受信用チャネル予約信号はＣＴＳ信号を含み得、ダウンリンク送信の承認は許可前肯定応答（ＡＣＫ）信号を含み得る。
【００１４】
[0014]方法、装置、または非一時的コンピュータ可読媒体のいくつかの例は、送信用チャネル予約信号が検出されなかったと決定することと、送信用チャネル予約信号を検出しなかったことに少なくとも部分的に基づいて第２の通信を送信することとを行うためのステップ、特徴、手段、または命令を含み得る。
【００１５】
[0015]方法、装置、または非一時的コンピュータ可読媒体のいくつかの例は、送信用チャネル予約信号が検出されたと決定することと、送信用チャネル予約信号に関連する予約時間が満了したと決定することと、予約時間が満了していることに少なくとも部分的に基づいて、第２の通信を送信することとを行うためのステップ、特徴、手段、または命令を含み得る。
【００１６】
[0016]方法、装置、または非一時的コンピュータ可読媒体のいくつかの例は、送信用チャネル予約信号が検出されたと決定することと、送信用チャネル予約信号に関連する干渉レベルがしきい値干渉レベルを下回ると決定することと、ダウンリンク送信の変調およびコーディング方式（ＭＣＳ）を調整するために、干渉レベルに少なくとも部分的に基づいて、チャネル品質インジケータ（ＣＱＩ）フィードバックをコンパイルすることと、干渉レベルがしきい値干渉レベルを下回ることに少なくとも部分的に基づいて、第２の通信を送信することと、第２の通信がＣＱＩフィードバックをさらに含む、を行うためのステップ、特徴、手段、または命令を含み得る。
【００１７】
[0017]方法、装置、または非一時的コンピュータ可読媒体のいくつかの例は、第２の通信を送信することの後に（subsequent to transmitting）、共有無線周波数スペクトル帯域上でダウンリンク送信を第１の基地局から受信するためのステップ、特徴、手段、または命令を含み得る。
【００１８】
[0018]方法、装置、または非一時的コンピュータ可読媒体のいくつかの例では、第１の通信はアップリンクリソースの許可を含み得、チャネル予約信号は、第２のＵＥによって送信された受信用チャネル予約信号を含み得、第２の通信は、送信用チャネル予約信号とアップリンク送信とを含み得る。
【００１９】
[0019]方法、装置、または非一時的コンピュータ可読媒体のいくつかの例では、受信用チャネル予約信号はＣＴＳ信号を含み得、送信用チャネル予約信号は、アップリンク送信の持続時間を示す長さフィールドを有するＷｉ−Ｆｉプリアンブルを含み得る。
【００２０】
[0020]方法、装置、または非一時的コンピュータ可読媒体のいくつかの例は、受信用チャネル予約信号が検出されなかったと決定することと、受信用チャネル予約信号を検出しなかったことに少なくとも部分的に基づいて第２の通信を送信することとを行うためのステップ、特徴、手段、または命令を含み得る。
【００２１】
[0021]方法、装置、または非一時的コンピュータ可読媒体のいくつかの例は、受信用チャネル予約信号が検出されたと決定することと、受信用チャネル予約信号に関連する予約時間が満了したと決定することと、予約時間が満了していることに少なくとも部分的に基づいて、第２の通信を送信することとを行うためのステップ、特徴、手段、または命令を含み得る。
【００２２】
[0022]方法、装置、または非一時的コンピュータ可読媒体のいくつかの例では、第１の通信は許可前通信を含み得、チャネル予約信号は、第２のＵＥまたはＷｉ−Ｆｉ送信機によって送信された送信用チャネル予約信号を含み得、第２の通信は、受信用チャネル予約信号とダウンリンク送信の承認とを含み得る。
【００２３】
[0023]方法、装置、または非一時的コンピュータ可読媒体のいくつかの例では、送信用チャネル予約信号はＷｉ−Ｆｉプリアンブルまたは送信要求（ＲＴＳ）信号のうちの少なくとも１つを含み得、受信用チャネル予約信号は送信可（ＣＴＳ）信号を含み得、ダウンリンク送信の承認は許可前肯定応答（ＡＣＫ）信号を含み得る。
【００２４】
[0024]方法、装置、または非一時的コンピュータ可読媒体のいくつかの例は、送信用チャネル予約信号が検出されなかったと決定することと、送信用チャネル予約信号を検出しなかったことに少なくとも部分的に基づいて第２の通信を送信することとを行うためのステップ、特徴、手段、または命令を含み得る。
【００２５】
[0025]方法、装置、または非一時的コンピュータ可読媒体のいくつかの例は、送信用チャネル予約信号が検出されたと決定することと、送信用チャネル予約信号に関連する予約時間が満了したと決定することと、予約時間が満了していることに少なくとも部分的に基づいて、第２の通信を送信することとを行うためのステップ、特徴、手段、または命令を含み得る。
【００２６】
[0026]方法、装置、または非一時的コンピュータ可読媒体のいくつかの例は、送信用チャネル予約信号が検出されたと決定することと、送信用チャネル予約信号に関連する干渉レベルがしきい値干渉レベルを下回ると決定することと、ダウンリンク送信の変調およびコーディング方式（ＭＣＳ）を調整するために、干渉レベルに少なくとも部分的に基づいて、ＣＱＩフィードバックをコンパイルすることと、干渉レベルがしきい値干渉レベルを下回ることに少なくとも部分的に基づいて、第２の通信を送信することと、第２の通信がＣＱＩフィードバックをさらに含む、を行うためのステップ、特徴、手段、または命令を含み得る。
【００２７】
[0027]方法、装置、または非一時的コンピュータ可読媒体のいくつかの例は、第２の通信を送信することの後に、共有無線周波数スペクトル帯域上でダウンリンク送信を第１の基地局から受信するためのステップ、特徴、手段、または命令を含み得る。
【００２８】
[0028]方法、装置、または非一時的コンピュータ可読媒体のいくつかの例では、第１の通信はアップリンクリソースの許可を含み得、チャネル予約信号は、第２の基地局またはＷｉ−Ｆｉ受信機によって送信された受信用チャネル予約信号を含み得、第２の通信は、送信用チャネル予約信号とアップリンク送信とを含み得る。
【００２９】
[0029]方法、装置、または非一時的コンピュータ可読媒体のいくつかの例では、受信用チャネル予約信号はＣＴＳ−ｔｏ−ｓｅｌｆ信号またはＣＴＳ信号を含み得、送信用チャネル予約信号は、アップリンク送信の持続時間を示す長さフィールドを有するＷｉ−Ｆｉプリアンブルを含み得る。
【００３０】
[0030]方法、装置、または非一時的コンピュータ可読媒体のいくつかの例は、受信用チャネル予約信号が検出されなかったと決定することと、受信用チャネル予約信号を検出しなかったことに少なくとも部分的に基づいて第２の通信を送信することとを行うためのステップ、特徴、手段、または命令を含み得る。
【００３１】
[0031]方法、装置、または非一時的コンピュータ可読媒体のいくつかの例は、受信用チャネル予約信号が検出されたと決定することと、受信用チャネル予約信号に関連する予約時間が満了したと決定することと、予約時間が満了していることに少なくとも部分的に基づいて、第２の通信を送信することとを行うためのステップ、特徴、手段、または命令を含み得る。
【００３２】
[0032]ワイヤレス通信の方法が説明される。本方法は、第１の基地局において、共有無線周波数スペクトル帯域上で送信用チャネル予約を検出することと、送信用チャネル予約に少なくとも部分的に基づいて、共有無線周波数スペクトル帯域上で受信用チャネル予約信号が検出されたかどうかを決定することと、決定することに少なくとも部分的に基づいて、第１のＵＥに、共有無線周波数スペクトル帯域上で通信を送信することと、通信が、ダウンリンク送信に関連する許可前通信またはアップリンク送信に関連するアップリンクリソースの許可を備える、を含み得る。
【００３３】
[0033]ワイヤレス通信のための装置が説明される。本装置は、プロセッサと、プロセッサと電子通信しているメモリと、メモリに記憶された命令とを含み得る。命令は、第１の基地局において、共有無線周波数スペクトル帯域上で送信用チャネル予約を検出することと、送信用チャネル予約に少なくとも部分的に基づいて、共有無線周波数スペクトル帯域上で受信用チャネル予約信号が検出されたかどうかを決定することと、決定することに少なくとも部分的に基づいて、第１のＵＥに、共有無線周波数スペクトル帯域上で通信を送信することと、通信が、ダウンリンク送信に関連する許可前通信またはアップリンク送信に関連するアップリンクリソースの許可を備える、を行うためにプロセッサによって実行可能であり得る。
【００３４】
[0034]ワイヤレス通信のための別の装置が説明される。本装置は、第１の基地局において、共有無線周波数スペクトル帯域上で送信用チャネル予約を検出するための手段と、送信用チャネル予約に少なくとも部分的に基づいて、共有無線周波数スペクトル帯域上で受信用チャネル予約信号が検出されたかどうかを決定するための手段と、決定することに少なくとも部分的に基づいて、第１のＵＥに、共有無線周波数スペクトル帯域上で通信を送信するための手段と、通信が、ダウンリンク送信に関連する許可前通信またはアップリンク送信に関連するアップリンクリソースの許可を備える、を含み得る。
【００３５】
[0035]ワイヤレス通信のためのコードを記憶する非一時的コンピュータ可読媒体が説明される。コードは、第１の基地局において、共有無線周波数スペクトル帯域上で送信用チャネル予約を検出することと、送信用チャネル予約に少なくとも部分的に基づいて、共有無線周波数スペクトル帯域上で受信用チャネル予約信号が検出されたかどうかを決定することと、決定することに少なくとも部分的に基づいて、第１のＵＥに、共有無線周波数スペクトル帯域上で通信を送信することと、通信が、ダウンリンク送信に関連する許可前通信またはアップリンク送信に関連するアップリンクリソースの許可を備える、を行うために実行可能な命令を含み得る。
【００３６】
[0036]方法、装置、または非一時的コンピュータ可読媒体のいくつかの例は、受信用チャネル予約信号が検出されなかったと決定することと、受信用チャネル予約信号を検出しなかったことに少なくとも部分的に基づいて通信を送信することとを行うためのステップ、特徴、手段、または命令を含み得る。いくつかの例では、通信はＣＴＳ−ｔｏ−ｓｅｌｆ信号を含み得る。
【００３７】
[0037]方法、装置、または非一時的コンピュータ可読媒体のいくつかの例では、送信用チャネル予約は第２の基地局によって行われ得、受信用チャネル予約信号は第２のＵＥによって送信され得る。
【００３８】
[0038]方法、装置、または非一時的コンピュータ可読媒体のいくつかの例では、受信用チャネル予約信号はＣＴＳ信号を含み得、送信用チャネル予約を検出することは、第２の基地局によって送信された自己への送信可（ＣＴＳ）信号、第２の基地局によって送信された物理フレームフォーマットインジケータチャネル（ＰＦＦＩＣＨ）、またはそれらの組合せのうちの少なくとも１つを検出するためのステップ、特徴、手段、または命令を含み得る。
【００３９】
[0039]方法、装置、または非一時的コンピュータ可読媒体のいくつかの例では、送信用チャネル予約を検出することは、送信用チャネル予約に関連する予約時間が満了していないと決定するためのステップ、特徴、手段、または命令を含み得る。
【００４０】
[0040]方法、装置、または非一時的コンピュータ可読媒体のいくつかの例では、送信用チャネル予約は第２のＵＥによって行われ得、受信用チャネル予約信号は第２の基地局によって送信され得る。
【００４１】
[0041]方法、装置、または非一時的コンピュータ可読媒体のいくつかの例では、受信用チャネル予約信号はＣＴＳ−ｔｏ−ｓｅｌｆ信号を含み得、送信用チャネル予約を検出することは、第２のＵＥによって送信されたＷｉ−Ｆｉプリアンブルを検出するためのステップ、特徴、手段、または命令を含み得る。
【００４２】
[0042]方法、装置、または非一時的コンピュータ可読媒体のいくつかの例では、送信用チャネル予約を検出することは、送信用チャネル予約に関連する予約時間が満了していないと決定するためのステップ、特徴、手段、または命令を含み得る。
【００４３】
[0043]方法、装置、または非一時的コンピュータ可読媒体のいくつかの例では、送信用チャネル予約はＷｉ−Ｆｉ送信機によって行われ得、受信用チャネル予約信号はＷｉ−Ｆｉ受信機によって送信され得る。
【００４４】
[0044]方法、装置、または非一時的コンピュータ可読媒体のいくつかの例では、受信用チャネル予約信号はＣＴＳ信号を含み得、送信用チャネル予約を検出することは、Ｗｉ−Ｆｉ送信機によって送信されたＲＴＳ信号を検出するためのステップ、特徴、手段、または命令を含み得る。
【００４５】
[0045]方法、装置、または非一時的コンピュータ可読媒体のいくつかの例では、送信用チャネル予約を検出することは、送信用チャネル予約に関連する予約時間が満了していないと決定するためのステップ、特徴、手段、または命令を含み得る。
【００４６】
[0046]方法、装置、または非一時的コンピュータ可読媒体のいくつかの例では、通信はアップリンクリソースの許可を含み得、方法、装置、または非一時的コンピュータ可読媒体は、送信用チャネル予約に関連する干渉レベルを決定することと、干渉レベルに少なくとも部分的に基づいて、アップリンク送信中に第１のＵＥによって使用されるべき変調およびコーディング方式（ＭＣＳ）を識別することと、通信を用いてＭＣＳのインジケータを送信することとを行うためのステップ、特徴、手段、または命令を含み得る。
【００４７】
[0047]方法、装置、または非一時的コンピュータ可読媒体のいくつかの例では、通信はアップリンクリソースの許可を含み得、方法、装置、または非一時的コンピュータ可読媒体は、送信用チャネル予約の持続時間を決定することと、アップリンクリソースの許可において、送信用チャネル予約の持続時間よりも短いアップリンク送信持続時間を示すこととを行うためのステップ、特徴、手段、または命令を含み得る。
【００４８】
[0048]上記は、以下の発明を実施するための形態がより良く理解され得るように、本開示による例の特徴および技術的利点についてやや広く概説した。追加の特徴および利点が以下で説明される。開示される概念および具体例は、本開示の同じ目的を実行するための他の構造を変更または設計するための基礎として容易に利用され得る。そのような等価な構成は、添付の特許請求の範囲から逸脱しない。本明細書で開示される概念の特徴、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００４９】
[0049]本発明の性質および利点のさらなる理解は、以下の図面を参照して実現され得る。添付の図において、同様の構成要素または特徴は同じ参照ラベルを有し得る。さらに、それらの様々な構成要素は、参照ラベルの後に、ダッシュと、それらの同様の構成要素同士を区別する第２のラベルとを続けることによって区別され得る。第１の参照ラベルのみが本明細書において使用される場合、その説明は、第２の参照ラベルにかかわらず、同じ第１の参照ラベルを有する同様の構成要素のいずれにも適用可能である。
【図面の簡単な説明】
【００５０】
【図１】[0050]本開示の様々な態様による、共有無線周波数スペクトル帯域において増加された再使用係数を与えるためにオーバージエアシグナリングを使用することをサポートするワイヤレス通信システムの一例を示す図。
【図２】[0051]本開示の様々な態様による、共有無線周波数スペクトル帯域へのアクセスを求めて競合する（contending for access）デバイスのためのタイミング図。
【図３】[0052]本開示の様々な態様による、デバイスが重複するプリアンブル検出範囲を有する、共有無線周波数スペクトル帯域において増加された再使用係数を与えるためにオーバージエアシグナリングを使用することをサポートするワイヤレス通信システムを示す図。
【図４】[0053]本開示の様々な態様による、共有無線周波数スペクトル帯域において増加された再使用係数を与えるためにオーバージエアシグナリングを使用することをサポートするワイヤレス通信システムのデバイス間のメッセージフローを示す図。
【図５】本開示の様々な態様による、共有無線周波数スペクトル帯域において増加された再使用係数を与えるためにオーバージエアシグナリングを使用することをサポートするワイヤレス通信システムのデバイス間のメッセージフローを示す図。
【図６】[0054]本開示の様々な態様による、デバイスが重複するプリアンブル検出範囲を有する、共有無線周波数スペクトル帯域において増加された再使用係数を与えるためにオーバージエアシグナリングを使用することをサポートするワイヤレス通信システムを示す図。
【図７】[0055]本開示の様々な態様による、共有無線周波数スペクトル帯域において増加された再使用係数を与えるためにオーバージエアシグナリングを使用することをサポートするワイヤレス通信システムのデバイス間のメッセージフローを示す図。
【図８】本開示の様々な態様による、共有無線周波数スペクトル帯域において増加された再使用係数を与えるためにオーバージエアシグナリングを使用することをサポートするワイヤレス通信システムのデバイス間のメッセージフローを示す図。
【図９】[0056]本開示の様々な態様による、共有無線周波数スペクトル帯域において増加された再使用係数を与えるために基地局においてオーバージエアシグナリングを使用することをサポートするデバイスのブロック図。
【図１０】本開示の様々な態様による、共有無線周波数スペクトル帯域において増加された再使用係数を与えるために基地局においてオーバージエアシグナリングを使用することをサポートするデバイスのブロック図。
【図１１】[0057]本開示の様々な態様による、共有無線周波数スペクトル帯域において増加された再使用係数を与えるためにＵＥにおいてオーバージエアシグナリングを使用することをサポートするデバイスのブロック図。
【図１２】本開示の様々な態様による、共有無線周波数スペクトル帯域において増加された再使用係数を与えるためにＵＥにおいてオーバージエアシグナリングを使用することをサポートするデバイスのブロック図。
【図１３】[0058]本開示の様々な態様による、共有無線周波数スペクトル帯域において増加された再使用係数を与えるためにオーバージエアシグナリングを使用することをサポートする基地局のブロック図。
【図１４】[0059]本開示の様々な態様による、共有無線周波数スペクトル帯域において増加された再使用係数を与えるためにオーバージエアシグナリングを使用することをサポートするＵＥのブロック図。
【図１５】[0060]本開示の様々な態様による、共有無線周波数スペクトル帯域において増加された再使用係数を与えるためにオーバージエアシグナリングを使用することをサポートする基地局またはデバイスにおけるワイヤレス通信のための方法の例を示すフローチャート。
【図１６】本開示の様々な態様による、共有無線周波数スペクトル帯域において増加された再使用係数を与えるためにオーバージエアシグナリングを使用することをサポートする基地局またはデバイスにおけるワイヤレス通信のための方法の例を示すフローチャート。
【図１７】本開示の様々な態様による、共有無線周波数スペクトル帯域において増加された再使用係数を与えるためにオーバージエアシグナリングを使用することをサポートする基地局またはデバイスにおけるワイヤレス通信のための方法の例を示すフローチャート。
【図１８】本開示の様々な態様による、共有無線周波数スペクトル帯域において増加された再使用係数を与えるためにオーバージエアシグナリングを使用することをサポートする基地局またはデバイスにおけるワイヤレス通信のための方法の例を示すフローチャート。
【図１９】本開示の様々な態様による、共有無線周波数スペクトル帯域において増加された再使用係数を与えるためにオーバージエアシグナリングを使用することをサポートする基地局またはデバイスにおけるワイヤレス通信のための方法の例を示すフローチャート。
【図２０】[0061]本開示の様々な態様による、共有無線周波数スペクトル帯域において増加された再使用係数を与えるためにオーバージエアシグナリングを使用することをサポートするＵＥまたはデバイスにおけるワイヤレス通信のための方法の例を示すフローチャート。
【図２１】本開示の様々な態様による、共有無線周波数スペクトル帯域において増加された再使用係数を与えるためにオーバージエアシグナリングを使用することをサポートするＵＥまたはデバイスにおけるワイヤレス通信のための方法の例を示すフローチャート。
【図２２】本開示の様々な態様による、共有無線周波数スペクトル帯域において増加された再使用係数を与えるためにオーバージエアシグナリングを使用することをサポートするＵＥまたはデバイスにおけるワイヤレス通信のための方法の例を示すフローチャート。
【図２３】本開示の様々な態様による、共有無線周波数スペクトル帯域において増加された再使用係数を与えるためにオーバージエアシグナリングを使用することをサポートするＵＥまたはデバイスにおけるワイヤレス通信のための方法の例を示すフローチャート。
【図２４】本開示の様々な態様による、共有無線周波数スペクトル帯域において増加された再使用係数を与えるためにオーバージエアシグナリングを使用することをサポートするＵＥまたはデバイスにおけるワイヤレス通信のための方法の例を示すフローチャート。
【発明を実施するための形態】
【００５１】
[0062]共有無線周波数スペクトル帯域において増加された再使用係数を与えるためにオーバージエアシグナリングを使用するための技法が説明される。いくつかの例では、共有無線周波数スペクトル帯域は、ロングタームエボリューション（ＬＴＥ（登録商標））またはＬＴＥアドバンスト（ＬＴＥ−Ａ）通信のために使用され得る。共有無線周波数スペクトル帯域は、専用無線周波数スペクトル帯域と組み合わせて、またはそれとは無関係に使用され得る。専用無線周波数スペクトル帯域は、無線周波数スペクトル帯域が特定のユーザに認可されているので、送信装置がそれのためにアクセスを求めて競合しないことがある、無線周波数スペクトル帯域（たとえば、ＬＴＥ／ＬＴＥ−Ａ通信のために使用可能な認可無線周波数スペクトル帯域）であり得る。共有無線周波数スペクトル帯域は、デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）であり得る。
【００５２】
[0063]以下の説明は、例を与えるものであり、特許請求の範囲に記載される範囲、適用可能性、または例を限定するものではない。本開示の範囲から逸脱することなく、説明される要素の機能および構成において変更が行われ得る。様々な例は、適宜に様々なプロシージャまたは構成要素を省略、置換、または追加し得る。たとえば、説明される方法は、説明される順序とは異なる順序で実行され得、様々なステップが追加、省略、または組み合わせられ得る。また、いくつかの例に関して説明される特徴は、他の例において組み合わせられ得る。
【００５３】
[0064]図１は、本開示の様々な態様による、共有無線周波数スペクトル帯域において増加された再使用係数を与えるためにオーバージエアシグナリングを使用することをサポートするワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（たとえば、Ｓ１など）を通してコアネットワーク１３０とインターフェースし得、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して、直接的または間接的のいずれかで（たとえば、コアネットワーク１３０を通して）、互いと通信し得る。
【００５４】
[0065]基地局１０５は、少なくとも１つの基地局アンテナを介してＵＥ１１５とワイヤレス通信し得る。基地局１０５のサイトの各々は、それぞれの地理的カバレージエリア１１０に通信カバレージを与え得る。いくつかの例では、基地局１０５は、基地トランシーバ局、無線基地局、アクセスポイント、無線トランシーバ、ノードＢ、ｅＮＢ、ホームノードＢ、ホームｅノードＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるカバレージエリアをカバーする基地局１０５（たとえば、マクロセル基地局またはスモールセル基地局）を含み得る。異なる技術のための重複する地理的カバレージエリア１１０があり得る。
【００５５】
[0066]いくつかの例では、ワイヤレス通信システム１００はＬＴＥ／ＬＴＥ−Ａネットワークを含み得る。ＬＴＥ／ＬＴＥ−Ａネットワークでは、ｅＮＢという用語は、基地局１０５（または１つまたは複数の基地局１０５を含むエンティティ）を表すために使用され得る。ワイヤレス通信システム１００は、異なるｅＮＢが様々な地理的領域にカバレージを与える、異種ＬＴＥ／ＬＴＥ−Ａネットワークであり得る。たとえば、各ｅＮＢまたは基地局１０５は、マクロセル、スモールセル、またはセルの他のものに通信カバレージを与え得る。「セル」という用語は、コンテキストに応じて、基地局、基地局に関連するキャリアまたはコンポーネントキャリア、あるいはキャリアまたは基地局のカバレージエリア（たとえば、セクタなど）を表すために使用され得る。
【００５６】
[0067]マクロセルは、比較的大きい地理的エリア（たとえば、半径数キロメートル）をカバーし得、ネットワークプロバイダのサービスに加入しているＵＥによる無制限アクセスを可能にし得る。スモールセルは、マクロセルと比較して、同じまたは異なる（たとえば、専用、共有などの）無線周波数スペクトルにおいてマクロセルとして動作し得る低電力基地局であり得る。スモールセルは、様々な例によれば、ピコセル、フェムトセル、およびマイクロセルを含み得る。ピコセルは、比較的小さい地理的エリアをカバーし得、ネットワークプロバイダのサービスに加入しているＵＥによる無制限アクセスを可能にし得る。また、フェムトセルは、比較的小さい地理的エリア（たとえば、自宅）を同じくカバーし得、フェムトセルとの関連を有するＵＥ（たとえば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（たとえば、２つ、３つ、４つなどの）セル（たとえば、コンポーネントキャリア）をサポートし得る。
【００５７】
[0068]ワイヤレス通信システム１００は同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明される技法は、同期動作または非同期動作のいずれかのために使用され得る。
【００５８】
[0069]様々な開示される例のうちのいくつかに適応し得る通信ネットワークは、階層化プロトコルスタックに従って動作するパケットベースネットワークであり得る。ユーザプレーンでは、ベアラまたは物理データコンバージェンスプロトコル（ＰＤＣＰ：Physical Data Convergence Protocol）レイヤにおける通信はインターネットプロトコル（ＩＰ）ベースであり得る。メディアアクセス制御（ＭＡＣ）レイヤは、論理チャネル上で通信するためにパケットセグメンテーションおよびリアセンブリを実行し得、優先度処理と、トランスポートチャネルへの論理チャネルの多重化とをも実行し得る。ＭＡＣレイヤはまた、リンク効率を改善するためにＭＡＣレイヤにおいて再送信を行うためにハイブリッド自動再送要求（ＨＡＲＱ：Hybrid Automatic Repeat reQuest）を使用し得る。制御プレーンでは、無線リソース制御（ＲＲＣ）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ）レイヤにおいて、トランスポートチャネルは物理チャネルにマッピングされ得る。
【００５９】
[0070]ＵＥ１１５は、ワイヤレス通信システム１００全体にわたって分散され得、各ＵＥ１１５は固定または移動であり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいはそのように当業者によって呼ばれることもある。ＵＥ１１５は、ワイヤレス通信デバイス、パーソナルコンピュータ（たとえば、ラップトップコンピュータ、ネットブックコンピュータ、タブレットコンピュータなど）、ハンドヘルドデバイス、セルラー電話、スマートフォン、コードレスフォン、ワイヤレスモデム、ワイヤレスローカルループ（ＷＬＬ）局、携帯情報端末（ＰＤＡ）、デジタルビデオレコーダ（ＤＶＲ）、インターネット機器、ゲーミングコンソール、電子リーダーなどであり得る。ＵＥは、マクロｅＮＢ、スモールセルｅＮＢ、リレー基地局などを含む、様々な基地局およびネットワーク機器と通信することが可能であり得る。ＵＥはまた、セルラー無線アクセス技術（ＲＡＴ）（たとえば、ＬＴＥ／ＬＴＥ−Ａ  ＲＡＴ）、Ｗｉ−Ｆｉ  ＲＡＴ、または他のＲＡＴなど、異なる無線アクセス技術（ＲＡＴ）を使用して通信することが可能であり得る。
【００６０】
[0071]ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００６１】
[0072]基地局１０５およびＵＥ１１５は、コンポーネントキャリア（ＣＣ）、レイヤ、チャネルなどと呼ばれることもあるキャリアを使用して通信リンク１２５上で通信し得る。「コンポーネントキャリア」またはＣＣという用語は、キャリアアグリゲーション（ＣＡ）モードにおいて動作するＵＥによって利用される複数のキャリアの各々を指すことがあり、システム帯域幅の他の部分とは別個であり得る。たとえば、ＣＣは、独立して、または他のコンポーネントキャリアと組み合わせて利用されることが可能である比較的狭い帯域幅のキャリアであり得る。各ＣＣは、ＬＴＥ規格のリリース８またはリリース９に基づく分離キャリアと同じ能力を与え得る。複数のＣＣは、いくつかのＵＥ１１５に、より大きい帯域幅と、たとえば、より高いデータレートとを与えるために、アグリゲートされるか、またはコンカレントに利用され得る。したがって、個々のＣＣは、レガシーＵＥ１１５（たとえば、ＬＴＥリリース８またはリリース９を実装するＵＥ１１５）との後方互換性があることがあるが、他のＵＥ１１５（たとえば、リリース８／９後のＬＴＥバージョンを実装するＵＥ１１５）は、マルチキャリアモードにおいて複数のＣＣで構成され得る。ダウンリンク（ＤＬ）送信のために使用されるキャリアはＤＬ  ＣＣと呼ばれることがあり、アップリンク（ＵＬ）送信のために使用されるキャリアはＵＬ  ＣＣと呼ばれることがある。ＵＥ１１５は、キャリアアグリゲーションのために、複数のＤＬ  ＣＣと１つまたは複数のＵＬ  ＣＣとで構成され得る。各キャリアは、制御情報（たとえば、基準信号、制御チャネルなど）、オーバーヘッド情報、データなどを送信するために使用され得る。
【００６２】
[0073]ＵＥ１１５は、複数のキャリアを利用して単一の基地局１０５と通信し得、また、異なるキャリア上で同時に複数の基地局と通信し得る。基地局１０５の各セルは、ＵＬ  ＣＣとＤＬ  ＣＣとを含み得る。基地局１０５のための各サービングセルのカバレージエリア１１０は異なり得る（たとえば、異なる周波数帯域上のＣＣは、異なる経路損失を経験し得る）。いくつかの例では、あるキャリアは、１次セル（ＰＣｅｌｌ）によってサービスされ得る、ＵＥ１１５のための１次キャリアまたは１次コンポーネントキャリア（ＰＣＣ）として指定される。１次セルは、ＵＥごとに上位レイヤ（たとえば、ＲＲＣなど）によって半静的に構成され得る。物理アップリンク制御チャネル（ＰＵＣＣＨ）上で送信される、あるアップリンク制御情報（ＵＣＩ）、たとえば、肯定応答（ＡＣＫ）／否定応答（ＮＡＫ）、ＣＱＩ、およびスケジューリング情報は、ＰＣｅｌｌによって搬送される。追加のキャリアは、２次セル（ＳＣｅｌｌ）によってサービスされ得る、２次キャリア、または２次コンポーネントキャリア（ＳＣＣ）として指定され得る。２次セルは、同様に、ＵＥごとに半静的に構成され得る。いくつかの場合には、ＳＣｅｌｌは、ＰＣｅｌｌと同じ制御情報を含まないかまたはそれを送信するように構成されないことがある。
【００６３】
[0074]いくつかの場合には、ワイヤレス通信システム１００は拡張ＣＣ（ｅＣＣ）を利用し得る。ｅＣＣは、より広い帯域幅、より短いシンボル持続時間、より短い送信時間間隔（ＴＴＩ）、および変更された制御チャネル構成を含む、１つまたは複数の特徴によって特徴づけられ得る。いくつかの場合には、ｅＣＣは、（たとえば、複数のサービングセルが準最適または理想的でないバックホールリンクを有するとき）キャリアアグリゲーション構成またはデュアル接続性構成に関連し得る。ｅＣＣはまた、（２つ以上の事業者が、スペクトルを使用することを許可された場合）無認可スペクトルまたは共有スペクトルにおいて使用するために構成され得る。広帯域幅によって特徴づけられるｅＣＣは、全帯域幅を監視することが可能でないか、または（たとえば、電力を節約するために）限られた帯域幅を使用することを選好するＵＥ１１５によって利用され得る１つまたは複数のセグメントを含み得る。
【００６４】
[0075]いくつかの場合には、ｅＣＣは、他のコンポーネントキャリア（ＣＣ）とは異なるシンボル持続時間を利用し得、これは、他のＣＣのシンボル持続時間と比較して低減されたシンボル持続時間の使用を含み得る。より短いシンボル持続時間は、増加されたサブキャリア間隔に関連する。ｅＣＣを利用する、ＵＥ１１５または基地局１０５などのデバイスは、低減されたシンボル持続時間（たとえば、１６．６７μｓ）において広帯域信号（たとえば、２０、４０、６０、８０ＭＨｚなど）を送信し得る。ｅＣＣ中のＴＴＩは、１つまたは複数のシンボルからなり得る。いくつかの場合には、ＴＴＩ持続時間（すなわち、ＴＴＩ中のシンボルの数）は可変であり得る。
【００６５】
[0076]より広い帯域幅およびより短いＴＴＩが変更制御チャネル構成に関連し得る（たとえば、ｅＣＣは、ＤＬ制御情報のための拡張物理ダウンリンク制御チャネル（ｅＰＤＣＣＨ）を利用し得る）。たとえば、ｅＣＣの１つまたは複数の制御チャネルは、フレキシブル帯域幅使用に適応するために、周波数分割多重化（ＦＤＭ）スケジューリングを利用し得る。他の制御チャネル変更は、（たとえば、発展型マルチメディアブロードキャストマルチキャストサービス（ｅＭＢＭＳ）スケジューリングのための、または可変持続時間ＵＬおよびＤＬバーストの持続時間を示すための）追加の制御チャネルの使用、あるいは異なる間隔で送信される制御チャネルの使用を含み得る。
【００６６】
[0077]図２は、本開示の様々な態様による、共有無線周波数スペクトル帯域２０５へのアクセスを求めて競合するデバイスのためのタイミング図２００を示す。共有無線周波数スペクトル帯域２０５は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。いくつかの例では、タイミング図２００に示された動作は、図１を参照しながら説明された基地局１０５またはＵＥ１１５のうちの１つなど、デバイスによって実行され得る。
【００６７】
[0078]時間（time）２１０において、デバイスは、共有無線周波数スペクトル帯域２０５へのアクセスを求めて競合することを決定し得る。いくつかの例では、デバイスは、固定送信機会（fixed transmission opportunity）（たとえば、周期無線フレーム構造２１５（たとえば、専用無線周波数スペクトル帯域におけるＬＴＥ／ＬＴＥ−Ａ無線フレーム構造）に関して固定および周期タイミングを有するいくつかの送信機会のうちの１つ）のために共有無線周波数スペクトル帯域２０５へのアクセスを求めて競合し得る。他の例では、デバイスは、浮動送信機会（floating transmission opportunity）（たとえば、周期無線フレーム構造２１５に関して非同期タイミングを有するいくつかの送信機会のうちの１つ）のために共有無線周波数スペクトル帯域２０５へのアクセスを求めて競合し得る。
【００６８】
[0079]デバイスは、たとえば、単一のＣＣＡ２２５を実行することによって、第１の送信機会２２０のために共有無線周波数スペクトル帯域２０５へのアクセスを求めて競合し得る。共有無線周波数スペクトル帯域へのアクセスを求める競合に勝つと、デバイスは、第１のチャネル予約信号２３０（たとえば、送信可（ＣＴＳ）またはＣＴＳ−ｔｏ−ｓｅｌｆを含むＣＵＢＳ）を送信し得る。第１のチャネル予約信号２３０を受信した他のデバイスは、第１のチャネル予約信号２３０において（たとえば、第１のチャネル予約信号２３０のネットワーク割振りベクトル（ＮＡＶ：network allocation vector）において）指定された持続時間（たとえば、予約時間）の間、共有無線周波数スペクトル帯域２０５へのアクセスを求めて競合することを控え（refrain from）得る。
【００６９】
[0080]デバイスは、たとえば、ｅＣＣＡ２４０を実行することによって、第２の送信機会２３５のために、再び共有無線周波数スペクトル帯域２０５へのアクセスを求めて競合し得る。共有無線周波数スペクトル帯域へのアクセスを求める競合に勝つと、デバイスは、第２のチャネル予約信号２４５（たとえば、ＣＴＳまたはＣＴＳ−ｔｏ−ｓｅｌｆを含むＣＵＢＳ）を送信し得る。第２のチャネル予約信号２４５を受信した他のデバイスは、第２のチャネル予約信号２４５において（たとえば、第２のチャネル予約信号２４５のネットワーク割振りベクトル（ＮＡＶ）において）指定された持続時間（たとえば、予約時間）の間、共有無線周波数スペクトル帯域２０５へのアクセスを求めて競合することを控え得る。
【００７０】
[0081]いくつかのシナリオの下では、２つのデバイスの送信が干渉しないにもかかわらず（または並列送信の結果としての干渉は消去され得るにもかかわらず）、第１のチャネル予約信号２３０または第２のチャネル予約信号２４５は、図２に示されている動作を実行するデバイスと並列に（in parallel with）別のデバイスが共有無線周波数スペクトル帯域上で送信することを妨げ得る。したがって、本明細書で説明される技法は、共有無線周波数スペクトル帯域において増加された再使用係数を与えるためにオーバージエアシグナリングを使用する。
【００７１】
[0082]図３は、本開示の様々な態様による、デバイスが重複するプリアンブル検出範囲を有する、共有無線周波数スペクトル帯域において増加された再使用係数を与えるためにオーバージエアシグナリングを使用することをサポートするワイヤレス通信システム３００を示す。例として、デバイスは、第１の基地局１０５−ａと、第２の基地局１０５−ｂと、第１のＵＥ１１５−ａと、第２のＵＥ１１５−ｂとを含む。第１のＵＥ１１５−ａは第１の基地局１０５−ａに関連し得（たとえば、第１の基地局１０５−ａは第１のＵＥ１１５−ａのためのサービングセルであり得）、第２のＵＥ１１５−ｂは第２の基地局１０５−ｂに関連し得る。基地局１０５−ａ、１０５−ｂおよびＵＥ１１５−ａ、１１５−ｂは、図１を参照しながら説明された基地局１０５およびＵＥ１１５の態様の例であり得る。いくつかの例では、基地局１０５−ａ、１０５−ｂおよびＵＥ１１５−ａ、１１５−ｂは、共有無線周波数スペクトル帯域上で通信し得、基地局１０５−ａ、１０５−ｂまたはＵＥ１１５−ａ、１１５−ｂのうちの１つまたは複数は、図２を参照しながら説明されたように共有無線周波数スペクトル帯域へのアクセスを求めて競合し得る。共有無線周波数スペクトル帯域は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【００７２】
[0083]図３に示されているように、第１の基地局１０５−ａは、第１のプリアンブル検出範囲１１０−ａを含む第１の地理的カバレージエリアに関連し得、第２の基地局１０５−ｂは、第２のプリアンブル検出範囲１１０−ｂを含む第２の地理的カバレージエリアに関連し得、第１のＵＥ１１５−ａは、第３のプリアンブル検出範囲１１０−ｃを含む第３の地理的カバレージエリアにも関連し得、第２のＵＥ１１５−ｂは、第４のプリアンブル検出範囲１１０−ｄを含む第４の地理的カバレージエリアにも関連し得る。第１の基地局１０５−ａが、共有無線周波数スペクトル帯域が第１のプリアンブル検出範囲１１０−ａ内でクリアであると決定することによって共有無線周波数スペクトル帯域へのアクセスを求める競合に勝ったとき、第１の基地局１０５−ａは第１のＵＥ１１５−ａとの通信を開始し得る。ＤＬ部分およびＵＬ部分を含む通信のフレームを開始するとき、第１の基地局１０５−ａは、共有無線周波数スペクトル帯域をクリアし、通信のフレームのＵＬ部分を保護するためにＣＴＳ−ｔｏ−ｓｅｌｆを送信し得る。
【００７３】
[0084]ＣＴＳ−ｔｏ−ｓｅｌｆは、第１のＵＥ１１５−ａとの通信のためのチャネル予約の持続時間（たとえば、予約時間）を示し得るＮＡＶを含み得る。ＣＴＳ−ｔｏ−ｓｅｌｆは他のノードによって受信され得、ＣＴＳ−ｔｏ−ｓｅｌｆを受信するノードは、ＮＡＶによって示された持続時間の間、共有無線周波数スペクトル帯域にアクセスすることを控え得る。たとえば、第１の基地局１０５−ａが第２の基地局１０５−ｂの第２のプリアンブル検出範囲１１０−ｂ内にあるので、第２の基地局１０５−ｂはＣＴＳ−ｔｏ−ｓｅｌｆを受信し得る。第２の基地局１０５−ｂにおいてＣＴＳ−ｔｏ−ｓｅｌｆを受信すると、第２の基地局１０５−ｂは、ＮＡＶによって示された持続時間の間、共有無線周波数スペクトル帯域にアクセスすることを控え得、したがって、ＮＡＶによって示された持続時間の間、第２の基地局１０５−ｂと第２のＵＥ１１５−ｂとの間で通信は行われない。しかしながら、第１の基地局１０５−ａによるＣＴＳ−ｔｏ−ｓｅｌｆの送信は、第１の基地局１０５−ａが通信のフレームのＤＬ部分中に（during）他のノードによる送信から保護される必要がないことがあるという点で、保守的であり得る。したがって、共有無線周波数スペクトル帯域の再使用係数は、いくつかの条件の下では（たとえば、第１のＵＥ１１５−ａが第２のプリアンブル検出範囲１１０−ｂ外にあるときなど）、第２の基地局１０５−ｂが、第１の基地局１０５−ａによって送信されたＣＴＳ−ｔｏ−ｓｅｌｆを無視し、第１の基地局１０５−ａと第１のＵＥ１１５−ａとの間の通信のフレームのＤＬ部分中に、第２の基地局１０５−ｂと第２のＵＥ１１５−ｂとの間の通信を開始する場合、増加され得る。
【００７４】
[0085]たとえば、第１の基地局１０５−と第１のＵＥ１１５−ａとの間の通信のフレームのＤＬ部分中に第２の基地局１０５−ｂと第２のＵＥ１１５−ｂとの間の通信を開始する前に、第２の基地局１０５−ｂは、第２の基地局１０５−ｂと第２のＵＥ１１５−ｂとの間の通信が、第１の基地局１０５−ａと第１のＵＥ１１５−ａとの間の通信のフレームのＤＬ部分に干渉し得るかどうかを決定し得る。第２の基地局１０５−ｂは、第２の基地局１０５−ｂと第２のＵＥ１１５−ｂとの間の通信が、第１の基地局１０５−ａと第１のＵＥ１１５−ａとの間の通信のフレームのＤＬ部分によって干渉され得るかどうかをも決定し得る。第２の基地局１０５−ｂが第２のＵＥ１１５−ｂからのアップリンク送信を開始することを決定したとき、第２の基地局１０５−ｂは、第１の基地局１０５−ａと第１のＵＥ１１５−ａとの間の通信のフレームのＤＬ部分が、ＵＬ送信の第２の基地局の受信に干渉し得るかどうかを決定し得る。第２の基地局１０５−ｂが第２のＵＥ１１５−ｂへのダウンリンク送信を開始することを決定したとき、第２のＵＥ１１５−ｂは、第１の基地局１０５−ａと第１のＵＥ１１５−ａとの間の通信のフレームのＤＬ部分が、ＤＬバーストの第２のＵＥの受信に干渉し得るかどうかを決定し得る。第２のＵＥ１１５−ｂは、次いで、それの決定の指示を第２の基地局１０５−ｂに送信し得る。
【００７５】
[0086]図４および図５を参照しながらより詳細に説明されるように、第２の基地局１０５−ｂまたは第２のＵＥ１１５−ｂは、第１の基地局１０５−ａと第１のＵＥ１１５−ａとの間の通信のフレームが、第１の基地局１０５−ａによって送信されたＣＴＳ−ｔｏ−ｓｅｌｆ、第１の基地局１０５−ａによって送信されたＰＦＦＩＣＨ、または第１のＵＥ１１５−ａによって送信されたＣＴＳなど、信号の受信に基づいて送信のそれの受信に干渉するかどうかを決定し得る。様々な例では、第１の基地局１０５−ａによって送信されたＣＴＳ−ｔｏ−ｓｅｌｆと第１のＵＥ１１５−ａによって送信されたＣＴＳとは、各々ＮＡＶを含み得、ＰＦＦＩＣＨは、第１の基地局１０５−ａと第１のＵＥ１１５−ａとの間の通信のフレームのＤＬ部分の持続時間に関する情報を含み得る。
【００７６】
[0087]図４は、本開示の様々な態様による、共有無線周波数スペクトル帯域において増加された再使用係数を与えるためにオーバージエアシグナリングを使用することをサポートするワイヤレス通信システム４００のデバイス間のメッセージフローを示す。例として、ワイヤレス通信システム４００は、第１の基地局１０５−ｃと、第２の基地局１０５−ｄと、第１のＵＥ１１５−ｃと、第２のＵＥ１１５−ｄとを含む。第１のＵＥ１１５−ｃは第１の基地局１０５−ｃに関連し得（たとえば、第１の基地局１０５−ｃは第１のＵＥ１１５−ｃのためのサービングセルであり得）、第２のＵＥ１１５−ｄは第２の基地局１０５−ｄに関連し得る。基地局１０５−ｃ、１０５−ｄおよびＵＥ１１５−ｃ、１１５−ｄは、図１および図３を参照しながら説明された基地局１０５およびＵＥ１１５の態様の例であり得る。いくつかの例では、基地局１０５−ｃ、１０５−ｄおよびＵＥ１１５−ｃ、１１５−ｄは、共有無線周波数スペクトル帯域上で通信し得、基地局１０５−ｃ、１０５−ｄまたはＵＥ１１５−ｃ、１１５−ｄのうちの１つまたは複数は、図２を参照しながら説明されたように共有無線周波数スペクトル帯域へのアクセスを求めて競合し得る。共有無線周波数スペクトル帯域は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【００７７】
[0088]４２０において、第１の基地局１０５−ｃは、第１のＵＥ１１５−ｃのために共有無線周波数スペクトル帯域上でＤＬ送信４４５を送信することを決定し得る。ＤＬ送信４４５を送信する前に、第１の基地局１０５−ｃは、ＤＬ送信４４５に関連する許可前通信４２５を送信し得る。許可前通信４２５は、ＣＴＳ−ｔｏ−ｓｅｌｆ４３０を含み得る。ＣＴＳ−ｔｏ−ｓｅｌｆ４３０は、（許可前通信４２５の送信を含む）ＤＬ許可前プロシージャを完了し、ＤＬ送信４４５を送信するための、チャネル予約の持続時間（たとえば、予約時間）を示し得るＮＡＶを含み得る。ＣＴＳ−ｔｏ−ｓｅｌｆ４３０は、いくつかの場合には、第１のＵＥ１１５−ｃ、第２の基地局１０５−ｄ、および／または第２のＵＥ１１５−ｄによって受信され得る。例として、図４は、（たとえば、第２の基地局１０５−ｄ、第２のＵＥ１１５−ｄ、第１の基地局１０５−ｃ、および第１のＵＥ１１５−ｃは、図３に示されている対応するデバイスの位置と同様に、互いのプリアンブル検出範囲に関して配置され得るので）ＣＴＳ−ｔｏ−ｓｅｌｆ４３０が第１のＵＥ１１５−ｃおよび第２の基地局１０５−ｄによって受信されるが、第２のＵＥ１１５−ｄにおいて、受信されないか、またはしきい値干渉レベル以下で受信されると仮定する。
【００７８】
[0089]許可前通信４２５が第１のＵＥ１１５−ｃによって受信されたとき、第１のＵＥ１１５−ｃは、ＣＴＳ４４０を含み得る許可前肯定応答（ＡＣＫ）信号４３５を共有無線周波数スペクトル帯域上で送信することによって、許可前通信４２５に応答し得る。ＣＴＳ４４０は、ＤＬ許可前プロシージャを完了し、ＤＬ送信４４５を受信するための、チャネル予約の残りの持続時間（たとえば、残りの予約時間）を示し得るＮＡＶを含み得る。
【００７９】
[0090]許可前ＡＣＫ信号４３５を受信すると、第１の基地局１０５−ｃは、共有無線周波数スペクトル帯域上でＤＬ送信４４５の送信を始め得る。第１の基地局１０５−ｃは、ＤＬ送信４４５の最初にＰＦＦＩＣＨ４５０を含み得るＤＬ送信４４５を送信し得る。ＰＦＦＩＣＨ４５０は、ＤＬ送信４４５のためのチャネル予約の持続時間（たとえば、予約時間）を示し得る。ＰＦＦＩＣＨ４５０の送信は、第１の基地局１０５−ｃによって開始されたＤＬ許可前プロシージャを終え（conclude）得る。
【００８０】
[0091]４５５において、第２の基地局１０５−ｄは、ＤＬ送信４９５を第２のＵＥ１１５−ｄに送信することを決定し得る。ＤＬ送信４９５を送信する前に、４６０において、第２の基地局１０５−ｄは、共有無線周波数スペクトル帯域が別のデバイスによってすでに予約されているかどうかを決定し得る。４６０において実行されるプロセスの一部として、第２の基地局１０５−ｄは、（たとえば、ＣＴＳ−ｔｏ−ｓｅｌｆ４３０またはＰＦＦＩＣＨ４５０を検出し、そこに示された予約時間が満了していないと決定することによって）第１の基地局１０５−ｃによって行われたチャネル予約を検出し得る。いくつかの例では、チャネル予約は、共有無線周波数スペクトル帯域上での現在の送信に基づいて、今（presently）検出され得、他の例では、チャネル予約は、前に検出されたチャネル予約のデータベースにアクセスすることによって検出され得る。
【００８１】
[0092]従来、第２の基地局１０５−ｄは、共有無線周波数スペクトル帯域が別のデバイスによってすでに予約されていると決定すると、ＤＬ送信４９５の送信を遅延させるであろう。しかしながら、図４では、４６５において、第２の基地局１０５−ｄは、第１の基地局１０５−ｃによるチャネル予約に少なくとも部分的に基づいて、共有無線周波数スペクトル帯域上でチャネル予約に対応するチャネル予約信号（たとえば、ＣＴＳ４４０）が検出されたかどうかを決定し得る。４６０においてどのようにチャネル予約が検出されたかと同様に、チャネル予約信号は、共有無線周波数スペクトル帯域上での現在の送信に基づいて、または前に検出されたチャネル予約信号のデータベースにアクセスすることによって、今検出され得る。チャネル予約信号が検出されなかったと決定すると、第２の基地局１０５−ｄはＤＬ許可前プロシージャを開始し得、他の場合、第２の基地局１０５−ｄは、４６０において識別されたチャネル予約に関連する予約時間が満了するまで（until after）、ＤＬ送信４９５の送信を延期し得る。第２の基地局１０５−ｄが４６０において別のデバイスによるチャネル予約を識別しなかったとき、または第２の基地局１０５−ｄが４６０においてチャネル予約を識別したがチャネル予約が満了しているとき、第２の基地局１０５−ｄは、４６５において（１つまたは複数の）動作をスキップし得る。
【００８２】
[0093]第２の基地局１０５−ｄによって開始されたＤＬ許可前プロシージャは、第２の基地局１０５−ｄがＤＬ送信４９５に関連する許可前通信４７０を送信することから始まり得る。許可前通信４７０は、共有無線周波数スペクトル帯域上で送信され、ＣＴＳ−ｔｏ−ｓｅｌｆ４７５を含み得る。ＣＴＳ−ｔｏ−ｓｅｌｆ４７５はＮＡＶを含み得、そのＮＡＶは、ＤＬ許可前プロシージャを完了し、ＤＬ送信４９５を送信するための、チャネル予約の持続時間（たとえば、予約時間）を示し得る。
【００８３】
[0094]許可前通信４７０を受信すると、第２のＵＥ１１５−ｄは、ブロック４８０において、共有無線周波数スペクトル帯域上でチャネル予約信号（たとえば、ＣＴＳ−ｔｏ−ｓｅｌｆ４３０、ＰＦＦＩＣＨ４５０など）が検出されたかどうかを決定し得る。チャネル予約信号が検出されたと決定すると、第２のＵＥ１１５−ｄは、ＣＴＳ−ｔｏ−ｓｅｌｆ４３０またはＰＦＦＩＣＨ４５０中に含まれるＮＡＶによって示された予約時間が満了しているかどうかを決定し得る。いくつかの場合には、第２のＵＥ１１５−ｄは、ＣＴＳ−ｔｏ−ｓｅｌｆ４３０またはＰＦＦＩＣＨ４５０に関連する干渉レベル（たとえば、信号強度）をも決定し得る。ＣＴＳ−ｔｏ−ｓｅｌｆ４３０またはＰＦＦＩＣＨ４５０が検出されなかったか、あるいはＣＴＳ−ｔｏ−ｓｅｌｆ４３０またはＰＦＦＩＣＨ４５０が検出され、ＣＴＳ−ｔｏ−ｓｅｌｆ４３０またはＰＦＦＩＣＨ４５０に関連する予約時間が満了しているか、あるいはＣＴＳ−ｔｏ−ｓｅｌｆ４３０またはＰＦＦＩＣＨ４５０が検出され、ＣＴＳ−ｔｏ−ｓｅｌｆ４３０またはＰＦＦＩＣＨ４５０に関連する干渉レベルがしきい値干渉レベルを下回ると決定すると、第２のＵＥ１１５−ｄは、ＣＴＳ４９０を含み得る許可前ＡＣＫ信号４８５を共有無線周波数スペクトル帯域上で送信することによって、ＤＬ許可前プロシージャを続け得る。ＣＴＳ４９０はＮＡＶを含み得、そのＮＡＶは、ＤＬ許可前プロシージャを完了し、ＤＬ送信４９５を受信するための、チャネル予約の残りの持続時間（たとえば、残りの予約時間）を示し得る。
【００８４】
[0095]第２のＵＥ１１５−ｄが、ＣＴＳ−ｔｏ−ｓｅｌｆ４３０またはＰＦＦＩＣＨ４５０が受信され、ＣＴＳ−ｔｏ−ｓｅｌｆ４３０またはＰＦＦＩＣＨ４５０に関連する干渉レベルが第２のしきい値干渉レベルを上回ると決定したとき、第２のＵＥ１１５−ｄは、ＤＬ送信４９５の変調およびコーディング方式（ＭＣＳ）を調整するために、ＣＴＳ−ｔｏ−ｓｅｌｆ４３０またはＰＦＦＩＣＨ４５０に関連する干渉レベルに少なくとも部分的に基づいて、ＣＱＩフィードバックをコンパイルし得る。ＣＱＩフィードバックは、許可前ＡＣＫ信号４８５とともに送信され得る。
【００８５】
[0096]許可前ＡＣＫ信号４８５を受信すると、第２の基地局１０５−ｄは、ＤＬ送信４９５の送信を始め得る。第２の基地局１０５−ｄはＤＬ送信４９５の最初にＰＦＦＩＣＨを送信し得、ＰＦＦＩＣＨは、ＤＬ送信４９５のためのチャネル予約の持続時間（たとえば、チャネル予約時間）を示し得る。ＰＦＦＩＣＨの送信は、第２の基地局１０５−ｄによって開始されたＤＬ許可前プロシージャを終え得る。
【００８６】
[0097]第２の基地局１０５−ｄおよび第２のＵＥ１１５−ｄによって実行される説明された動作は、図４では、ＤＬ送信４４５の送信と同時のＤＬ送信４９５の送信が、第１のＵＥ１１５−ｃにおけるＤＬ送信４４５の受信または第２のＵＥ１１５−ｄにおけるＤＬ送信４９５の受信に干渉しないだろうことを保証するのを助ける。
【００８７】
[0098]図５は、本開示の様々な態様による、共有無線周波数スペクトル帯域において増加された再使用係数を与えるためにオーバージエアシグナリングを使用することをサポートするワイヤレス通信システム５００のデバイス間のメッセージフローを示す。例として、ワイヤレス通信システム５００は、第１の基地局１０５−ｅと、第２の基地局１０５−ｆと、第１のＵＥ１１５−ｅと、第２のＵＥ１１５−ｆとを含む。第１のＵＥ１１５−ｅは第１の基地局１０５−ｅに関連し得（たとえば、第１の基地局１０５−ｅは第１のＵＥ１１５−ｅのためのサービングセルであり得）、第２のＵＥ１１５−ｆは第２の基地局１０５−ｆに関連し得る。基地局１０５−ｅ、１０５−ｆおよびＵＥ１１５−ｅ、１１５−ｆは、図１、図３、および図４を参照しながら説明された基地局１０５およびＵＥ１１５の態様の例であり得る。いくつかの例では、基地局１０５−ｅ、１０５−ｆおよびＵＥ１１５−ｅ、１１５−ｆは、共有無線周波数スペクトル帯域上で通信し得、基地局１０５−ｅ、１０５−ｆまたはＵＥ１１５−ｅ、１１５−ｆのうちの１つまたは複数は、図２を参照しながら説明されたように共有無線周波数スペクトル帯域へのアクセスを求めて競合し得る。共有無線周波数スペクトル帯域は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【００８８】
[0099]５２０において、第１の基地局１０５−ｅは、第１のＵＥ１１５−ｅのために共有無線周波数スペクトル帯域上でＤＬ送信５４５を送信することを決定し得る。ＤＬ送信５４５を送信する前に、第１の基地局１０５−ｅは、ＤＬ送信５４５に関連する許可前通信５２５を送信し得る。許可前通信５２５は、ＣＴＳ−ｔｏ−ｓｅｌｆ５３０を含み得る。ＣＴＳ−ｔｏ−ｓｅｌｆ５３０はＮＡＶを含み得、そのＮＡＶは、（許可前通信５２５の送信を含む）ＤＬ許可前プロシージャを完了し、ＤＬ送信５４５を送信するための、チャネル予約の持続時間（たとえば、予約時間）を示し得る。ＣＴＳ−ｔｏ−ｓｅｌｆ５３０は、いくつかの場合には、第１のＵＥ１１５−ｅ、第２の基地局１０５−ｆ、および／または第２のＵＥ１１５−ｆによって受信され得る。例として、図５は、（たとえば、第２の基地局１０５−ｆ、第２のＵＥ１１５−ｆ、第１の基地局１０５−ｅ、および第１のＵＥ１１５−ｅは、図３に示されている対応するデバイスの位置同様に、互いのプリアンブル検出範囲に関して配置され得るので）ＣＴＳ−ｔｏ−ｓｅｌｆ５３０が第１のＵＥ１１５−ｅおよび第２の基地局１０５−ｒによって受信されるが、第２のＵＥ１１５−ｒにおいて、受信されないか、またはしきい値干渉レベル以下で受信されると仮定する。
【００８９】
[0100]許可前通信５２５が第１のＵＥ１１５−ｅによって受信されたとき、第１のＵＥ１１５−ｅは、ＣＴＳ４４０を含み得る許可前ＡＣＫ信号５３５を共有無線周波数スペクトル帯域上で送信することによって、許可前通信５２５に応答し得る。ＣＴＳ５４０はＮＡＶを含み得、そのＮＡＶは、ＤＬ許可前プロシージャを完了し、ＤＬ送信５４５を受信するための、チャネル予約の残りの持続時間（たとえば、残りの予約時間）を示し得る。
【００９０】
[0101]許可前ＡＣＫ信号５３５を受信すると、第１の基地局１０５−ｅは、共有無線周波数スペクトル帯域上でＤＬ送信５４５の送信を始め得る。第１の基地局１０５−ｅは、ＤＬ送信の最初にＰＦＦＩＣＨ４５０を含み得るＤＬ送信５４５を送信し得る。ＰＦＦＩＣＨ５５０は、ＤＬ送信５４５のためのチャネル予約の持続時間（たとえば、予約時間）を示し得る。ＰＦＦＩＣＨ５５０の送信は、第１の基地局１０５−ｅによって開始されたＤＬ許可前プロシージャを終え得る。
【００９１】
[0102]５５５において、第２の基地局１０５−ｆは、第２のＵＥ１１５−ｆからのＵＬ送信５９５をスケジュールすることを決定し得る。ＵＬ送信５９５をスケジュールする前に、５６０において、第２の基地局１０５−ｆは、共有無線周波数スペクトル帯域が別のデバイスによってすでに予約されているかどうかを決定し得る。５６０において実行されるプロセスの一部として、第２の基地局１０５−ｆは、（たとえば、ＣＴＳ−ｔｏ−ｓｅｌｆ５３０またはＰＦＦＩＣＨ５５０を検出し、そこに示された予約時間が満了していないと決定することによって）第１の基地局１０５−ｅによって行われたチャネル予約を検出し得る。いくつかの例では、チャネル予約は、共有無線周波数スペクトル帯域上での現在の送信に基づいて、今検出され得、他の例では、チャネル予約は、前に検出されたチャネル予約のデータベースにアクセスすることによって検出され得る。いくつかの例では、第２の基地局１０５−ｆは、ＣＴＳ−ｔｏ−ｓｅｌｆ５３０に関連する干渉レベルを決定し、干渉レベルに少なくとも部分的に基づいてＵＬ送信５９５のためのＭＣＳを識別し得る。
【００９２】
[0103]従来、第２の基地局１０５−ｆは、共有無線周波数スペクトル帯域が別のデバイスによってすでに予約されていると決定すると、ＵＬ送信５９５のスケジューリングを遅延させるであろう。しかしながら、図５では、５６５において、第２の基地局１０５−ｆは、チャネル予約に少なくとも部分的に基づいて、共有無線周波数スペクトル帯域上で第１の基地局１０５−ｅによるチャネル予約に対応するチャネル予約信号（たとえば、ＣＴＳ５４０）が検出されたかどうかを決定し得る。５６０においてどのようにチャネル予約が検出されたかと同様に、チャネル予約信号は、共有無線周波数スペクトル帯域上での現在の送信に基づいて、または前に検出されたチャネル予約信号のデータベースにアクセスすることによって、今検出され得る。チャネル予約信号が検出されなかったと決定すると、第２の基地局１０５−ｆは、ＵＬ送信５９５をスケジュールし、リソースの許可（たとえば、ＵＬ許可５８０）を第２のＵＥ１１５−ｆに送信し得、他の場合、第２の基地局１０５−ｆは、５６０において識別されたチャネル予約に関連する予約時間が満了するまで、ＵＬ送信５９５をスケジュールすることを延期し得る。第２の基地局１０５−ｆが５６０において別のデバイスによるチャネル予約を識別しなかったとき、または第２の基地局１０５−ｆが５６０においてチャネル予約を識別したがチャネル予約が満了しているとき、第２の基地局１０５−ｆは、５６５において（１つまたは複数の）動作をスキップし、ＵＬ送信５９５をスケジュールし、ＵＬ許可５８０を第２のＵＥ１１５−ｆに送信し得る。
【００９３】
[0104]チャネル予約信号（たとえば、ＣＴＳ５４０）が検出されなかったと決定すると、第２の基地局１０５−ｆは、共有無線周波数スペクトル帯域上で通信５７０を送信し得る。第２の基地局１０５−ｆはまた、（たとえば、第１のＵＥ１１５−ｅのコードブロック（ＣＢ）ＡＣＫ／ＮＡＫに依拠する（relying on）とき）短いバースト干渉が第１のＵＥ１１５−ｅについて可能にされる場合、チャネル予約信号（たとえば、ＣＴＳ５４０）が検出されたと決定すると、通信５７０を送信し得る。通信５７０は、ＣＴＳ−ｔｏ−ｓｅｌｆ５７５とＵＬ許可５８０とを含み得る。通信５７０は、ＵＬ送信５９５について識別されたＭＣＳをも含み得る。ＣＴＳ−ｔｏ−ｓｅｌｆ５７５はＮＡＶを含み得、そのＮＡＶは、ＵＬ許可５８０を送信／処理し、ＵＬ送信５９５を送信するための、チャネル予約の持続時間（たとえば、予約時間）を示し得る。
【００９４】
[0105]通信５７０を受信すると、第２のＵＥ１１５−ｆは、ブロック５８５において、共有無線周波数スペクトル帯域上でチャネル予約信号（たとえば、ＣＴＳ５４０）が検出されたかどうかを決定し得る。チャネル予約信号（たとえば、ＣＴＳ５４０、ＰＦＦＩＣＨ５５０など）が検出されたと決定すると、第２のＵＥ１１５−ｆは、ＣＴＳ５４０またはＰＦＦＩＣＨ５５０中に含まれるＮＡＶによって示された予約時間が満了しているかどうかを決定し得る。ＣＴＳ５４０またはＰＦＦＩＣＨ５５０が検出されなかったか、あるいはＣＴＳ５４０またはＰＦＦＩＣＨ５５０が検出され、ＣＴＳ５４０またはＰＦＦＩＣＨ５５０中に含まれるＮＡＶによって示された予約時間が満了していると決定すると、第２のＵＥ１１５−ｆはＷｉ−Ｆｉプリアンブル５９０を送信し得る。Ｗｉ−Ｆｉプリアンブル５９０は、ＵＬ送信５９５を送信するためのチャネル予約の持続時間（たとえば、予約時間）を示す長さフィールドを含み得る。第２のＵＥ１１５−ｆはまた、スケジュールされたように、ＵＬ送信５９５を送信し得る。
【００９５】
[0106]いくつかの場合には、ＵＬ送信５９５の持続時間は、ＤＬ送信５４５が終わった後にチャネル状態が改善し得るので、第１の基地局１０５−ｅによるチャネル予約よりも短くなるように、ＵＬ許可５８０または他の場所で示されるか、あるいは第２のＵＥ１１５−ｆによって選定され得、第２の基地局１０５−ｆは、たとえば、より高いＭＣＳにおいて次のＵＬ送信をスケジュールすることが可能であり得る。
【００９６】
[0107]第２の基地局１０５−ｆおよび第２のＵＥ１１５−ｆによって実行される説明された動作は、図５では、ＤＬ送信５４５と同時のＵＬ送信５９５の送信が、第１のＵＥ１１５−ｅにおけるＤＬ送信５４５の受信または第２の基地局１０５−ｆにおけるＵＬ送信５９５の受信に干渉しないことを保証するのを助ける。
【００９７】
[0108]図６は、本開示の様々な態様による、デバイスが重複するプリアンブル検出範囲を有する、共有無線周波数スペクトル帯域において増加された再使用係数を与えるためにオーバージエアシグナリングを使用することをサポートするワイヤレス通信システム６００を示す。例として、デバイスは、第１の基地局１０５−ｇと、第２の基地局１０５−ｈと、第１のＵＥ１１５−ｇと、第２のＵＥ１１５−ｈとを含む。第１のＵＥ１１５−ｇは第１の基地局１０５−ｇに関連し得（たとえば、第１の基地局１０５−ｇは第１のＵＥ１１５−ｇのためのサービングセルであり得）、第２のＵＥ１１５−ｈは第２の基地局１０５−ｈに関連し得る。基地局１０５−ｇ、１０５−ｈおよびＵＥ１１５−ｇ、１１５−ｈは、図１および図３〜図５を参照しながら説明された基地局１０５およびＵＥ１１５の態様の例であり得る。いくつかの例では、基地局１０５−ｇ、１０５−ｈおよびＵＥ１１５−ｇ、１１５−ｈは、共有無線周波数スペクトル帯域上で通信し得、基地局１０５−ｇ、１０５−ｈまたはＵＥ１１５−ｇ、１１５−ｈのうちの１つまたは複数は、図２を参照しながら説明されたように共有無線周波数スペクトル帯域へのアクセスを求めて競合し得る。共有無線周波数スペクトル帯域は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【００９８】
[0109]図６に示されているように、第１の基地局１０５−ｇは第１のプリアンブル検出範囲１１０−ｅに関連し得、第２の基地局１０５−ｈは第２のプリアンブル検出範囲１１０−ｆに関連し得、第１のＵＥ１１５−ｇは第３のプリアンブル検出範囲１１０−ｇに関連し得、第２のＵＥ１１５−ｈは第４のプリアンブル検出範囲１１０−ｈに関連し得る。第１のＵＥ１１５−ｇが共有無線周波数スペクトル帯域上でのＵＬ送信を第１の基地局１０５−ｇに送信する前に、第１のＵＥ１１５−ｇは、共有無線周波数スペクトル帯域をクリアするためにＣＴＳ−ｔｏ−ｓｅｌｆを送信し得る。ＣＴＳ−ｔｏ−ｓｅｌｆはＮＡＶを含み得、そのＮＡＶは、第１の基地局１０５−ｇへのＵＬ送信のためのチャネル予約の持続時間（たとえば、予約時間）を示し得る。ＣＴＳ−ｔｏ−ｓｅｌｆは、ＵＬ送信を保護するが、ＵＬ送信が他のデバイスにおける受信に干渉する可能性を低減するために、送信されないことがある（たとえば、ＣＴＳ−ｔｏ−ｓｅｌｆを受信する送信機は、ＵＬ送信からの干渉を経験する近くの受信機への送信を開始しない）。ただし、第１のＵＥ１１５−ｇから遠く離れている送信機は、ＣＴＳ−ｔｏ−ｓｅｌｆを受信しないことがあり、ＵＬ送信から経験する近くの受信機に送信し得る。したがって、ＣＴＳ−ｔｏ−ｓｅｌｆの送信は、ＵＬ送信の送信に関係する潜在的干渉シナリオをなくさない（does not eliminate）。
【００９９】
[0110]本開示で説明される技法は、第１のＵＥ１１５−ｇから第１の基地局１０５−ｇへのＵＬ送信中に第２の基地局１０５−ｈと第２のＵＥ１１５−ｈとの間の送信を可能にすることによって、共有無線周波数スペクトル帯域の再使用係数の増加を与える。第１のＵＥ１１５−ｇが第２の基地局１０５−ｈの第２のプリアンブル検出範囲１１０−ｆ内にあるにもかかわらず、第２の基地局１０５−ｈと第２のＵＥ１１５−ｈとの間の送信は可能にされ得る。たとえば、第１の基地局１０５−ｇと第２のＵＥ１１５−ｈとが互いに離れていて、第１の基地局１０５−ｇと第２の基地局１０５−ｈとが互いに離れているので、第１のＵＥ１１５−ｇから第１の基地局１０５−ｇへのＵＬ送信は第２のＵＥ１１５−ｈにおける受信に干渉せず、第２の基地局１０５−ｈと第２のＵＥ−１１５ｈとの間の送信は第１の基地局１０５−ｇにおける受信に干渉しない。
【０１００】
[0111]第２の基地局１０５−ｈと第２のＵＥ１１５−ｈとの間の送信は、第１のＵＥ１１５−ｇから第１の基地局１０５−ｇへのＵＬ送信中に、第１のＵＥ１１５−ｇに、第１の基地局１０５−ｇへのＵＬ送信を行うときにＣＴＳ−ｔｏ−ｓｅｌｆの代わりにＷｉ−Ｆｉプリアンブルを送信させることによって可能にされる。Ｗｉ−Ｆｉプリアンブルは、アップリンク送信の持続時間を示す長さフィールドを含み得る。
【０１０１】
[0112]図７および図８を参照しながらより詳細に説明されるように、第２の基地局１０５−ｈまたは第２のＵＥ１１５−ｈは、第１のＵＥ１１５−ｇから（または送信要求（ＲＴＳ）信号を送信するＷｉ−Ｆｉ送信機から）第１の基地局１０５−ｇへの（またはＣＴＳ信号を送信するＷｉ−Ｆｉ受信機への）ＵＬ送信が、第１のＵＥ１１５−ｇによって送信されたＷｉ−Ｆｉプリアンブルまたは第１の基地局１０５−ｇによって送信されたＣＴＳ−ｔｏ−ｓｅｌｆなど、信号の受信に基づいて、送信のそれの受信に干渉するかどうかを決定し得る。第１の基地局１０５−ｇによって送信されたＣＴＳ−ｔｏ−ｓｅｌｆはＮＡＶを含み得る。
【０１０２】
[0113]図７は、本開示の様々な態様による、共有無線周波数スペクトル帯域において増加された再使用係数を与えるためにオーバージエアシグナリングを使用することをサポートするワイヤレス通信システム７００のデバイス間のメッセージフローを示す。例として、ワイヤレス通信システム７００は、第１の基地局１０５−ｊと、第２の基地局１０５−ｋと、第１のＵＥ１１５−ｊと、第２のＵＥ１１５−ｋとを含む。第１のＵＥ１１５−ｊは第１の基地局１０５−ｊに関連し得（たとえば、第１の基地局１０５−ｊは第１のＵＥ１１５−ｊのためのサービングセルであり得）、第２のＵＥ１１５−ｋは第２の基地局１０５−ｋに関連し得る。基地局１０５−ｊ、１０５−ｋおよびＵＥ１１５−ｊ、１１５−ｋは、図１および図３〜図６を参照しながら説明された基地局１０５およびＵＥ１１５の態様の例であり得る。いくつかの例では、基地局１０５−ｊ、１０５−ｋおよびＵＥ１１５−ｊ、１１５−ｋは、共有無線周波数スペクトル帯域上で通信し得、基地局１０５−ｊ、１０５−ｋまたはＵＥ１１５−ｊ、１１５−ｋのうちの１つまたは複数は、図２を参照しながら説明されたように共有無線周波数スペクトル帯域へのアクセスを求めて競合し得る。共有無線周波数スペクトル帯域は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【０１０３】
[0114]第１の基地局１０５−ｊは、第１のＵＥ１１５−ｊからのＵＬ送信７４０をスケジュールすることを決定し、共有無線周波数スペクトル帯域上で通信７２０を送信し得る。通信７２０は、ＣＴＳ−ｔｏ−ｓｅｌｆ７２５とＵＬ許可７３０とを含み得る。通信７２０は、ＵＬ送信７４０について識別されたＭＣＳをも含み得る。ＣＴＳ−ｔｏ−ｓｅｌｆ７２５はＮＡＶを含み得、そのＮＡＶは、ＵＬ許可７３０を送信／処理し、ＵＬ送信７４０を送信するための、チャネル予約の持続時間（たとえば、予約時間）を示し得る。
【０１０４】
[0115]通信７２０を受信すると、第１のＵＥ１１５−ｊはＷｉ−Ｆｉプリアンブル７３５を送信し得る。Ｗｉ−Ｆｉプリアンブル７３５は、ＵＬ送信７４０を送信するためのチャネル予約の持続時間（たとえば、予約時間）を示す長さフィールドを含み得る。第１のＵＥ１１５−ｊはまた、スケジュールされたように、ＵＬ送信７４０を送信し得る。
【０１０５】
[0116]７４５において、第２の基地局１０５−ｋは、第２のＵＥ１１５−ｋのためにＤＬ送信７８５を送信することを決定し得る。ＤＬ送信７８５を送信する前に、７５０において、第２の基地局１０５−ｋは、共有無線周波数スペクトル帯域が別のデバイスによってすでに予約されているかどうかを決定し得る。７５０において実行されるプロセスの一部として、第２の基地局１０５−ｋは、（たとえば、Ｗｉ−Ｆｉプリアンブル７３５を検出し、そこに示された予約時間が満了していないと決定することによって）第１のＵＥ１１５−ｊによって行われたチャネル予約を検出し得る。いくつかの例では、チャネル予約は、共有無線周波数スペクトル帯域上での現在の送信に基づいて、今検出され得、他の例では、チャネル予約は、前に検出されたチャネル予約のデータベースにアクセスすることによって検出され得る。
【０１０６】
[0117]従来、第２の基地局１０５−ｋは、共有無線周波数スペクトル帯域が別のデバイスによってすでに予約されていると決定すると、ＤＬ送信７８５の送信を遅延させるであろう。しかしながら、図７では、第２の基地局１０５−ｋは、７５５において、第１のＵＥ１１５−ｊによるチャネル予約に少なくとも部分的に基づいて、共有無線周波数スペクトル帯域上でチャネル予約に対応するチャネル予約信号（たとえば、ＣＴＳ−ｔｏ−ｓｅｌｆ７２５）が検出されたかどうかを決定し得る。７５０においてどのようにチャネル予約が検出されたかと同様に、チャネル予約信号は、共有無線周波数スペクトル帯域上での現在の送信に基づいて、または前に検出されたチャネル予約信号のデータベースにアクセスすることによって、今検出され得る。チャネル予約信号が検出されなかったと決定すると、第２の基地局１０５−ｋはＤＬ許可前プロシージャを開始し得、他の場合、第２の基地局１０５−ｋは、７５０において識別されたチャネル予約に関連する予約時間が満了するまで、ＤＬ送信７８５の送信を延期し得る。第２の基地局１０５−ｋが７５０において別のデバイスによるチャネル予約を識別しなかったとき、または第２の基地局１０５−ｋが７５０においてチャネル予約を識別したがチャネル予約が満了しているとき、第２の基地局１０５−ｋは、７５５において（１つまたは複数の）動作をスキップし得る。
【０１０７】
[0118]第２の基地局１０５−ｋによって開始されたＤＬ許可前プロシージャは、第２の基地局１０５−ｋがＤＬ送信７８５に関連する許可前通信７６０を送信することから始まり得る。許可前通信７６０は、共有無線周波数スペクトル帯域上で送信され得、ＣＴＳ−ｔｏ−ｓｅｌｆ７６５を含み得る。ＣＴＳ−ｔｏ−ｓｅｌｆ７６５はＮＡＶを含み得、そのＮＡＶは、ＤＬ許可前プロシージャを完了し、ＤＬ送信７８５を送信するための、チャネル予約の持続時間（たとえば、予約時間）を示し得る。
【０１０８】
[0119]許可前通信７６０を受信すると、共有無線周波数スペクトル帯域上で第２のＵＥ１１５−ｋは、ブロック７７０において、チャネル予約信号（たとえば、Ｗｉ−Ｆｉプリアンブル７３５）が検出されたかどうかを決定し得る。チャネル予約信号が検出されたと決定すると、第２のＵＥ１１５−ｋは、Ｗｉ−Ｆｉプリアンブル７３５中に含まれる長さフィールドによって示された予約時間が満了したかどうかを決定し得る。いくつかの場合には、第２のＵＥ１１５−ｋは、Ｗｉ−Ｆｉプリアンブル７３５に関連する干渉レベル（たとえば、信号強度）をも決定し得る。Ｗｉ−Ｆｉプリアンブル７３５が検出されなかったか、あるいはＷｉ−Ｆｉプリアンブル７３５が検出され、Ｗｉ−Ｆｉプリアンブル７３５に関連する予約時間が満了したか、あるいはＷｉ−Ｆｉプリアンブル７３５が検出され、Ｗｉ−Ｆｉプリアンブル７３５に関連する干渉レベルがしきい値干渉レベルを下回ると決定すると、第２のＵＥ１１５−ｋは、ＣＴＳ７８０を含み得る許可前ＡＣＫ信号７７５を共有無線周波数スペクトル帯域上で送信することによって、ＤＬ許可前プロシージャを続け得る。ＣＴＳ７８０はＮＡＶを含み得、そのＮＡＶは、ＤＬ許可前プロシージャを完了し、ＤＬ送信７８５を受信するための、チャネル予約の残りの持続時間（たとえば、残りの予約時間）を示し得る。
【０１０９】
[0120]第２のＵＥ１１５−ｋが、Ｗｉ−Ｆｉプリアンブル７３５が受信され、Ｗｉ−Ｆｉプリアンブル７３５に関連する干渉レベルが第２のしきい値干渉レベルを上回ると決定したとき、第２のＵＥ１１５−ｋは、ＤＬ送信７８５のＭＣＳを調整するために、Ｗｉ−Ｆｉプリアンブル７３５に関連する干渉レベルに少なくとも部分的に基づいて、ＣＱＩフィードバックをコンパイルし得る。ＣＱＩフィードバックは、許可前ＡＣＫ信号７７５とともに送信され得る。
【０１１０】
[0121]許可前ＡＣＫ信号７７５を受信すると、第２の基地局１０５−ｋは、ＤＬ送信７８５の送信を始め得る。いくつかの場合には、ＤＬ送信７８５の持続時間は、ＵＬ送信７４０が終わった後にチャネル状態が改善し得るので、第１のＵＥ１１５−ｊによるチャネル予約よりも短くなるように選定され得、第２の基地局１０５−ｎは、たとえば、より高いＭＣＳにおいて次のＤＬ送信を送信することが可能であり得る。第２の基地局１０５−ｋはＤＬ送信７８５の最初にＰＦＦＩＣＨを送信し得、ＰＦＦＩＣＨは、ＤＬ送信７８５のためのチャネル予約の持続時間（たとえば、チャネル予約時間）を示し得る。ＰＦＦＩＣＨの送信は、第２の基地局１０５−ｋによって開始されたＤＬ許可前プロシージャを終え得る。
【０１１１】
[0122]第２の基地局１０５−ｋおよび第２のＵＥ１１５−ｋによって実行される動作は、図７では、ＵＬ送信７４０の送信と同時のＤＬ送信７８５の送信が、第１の基地局１０５−ｊにおけるＵＬ送信７４０の受信または第２のＵＥ１１５−ｋにおけるＤＬ送信７８５の受信に干渉しないことを保証するのを助ける。
【０１１２】
[0123]図８は、本開示の様々な態様による、共有無線周波数スペクトル帯域において増加された再使用係数を与えるためにオーバージエアシグナリングを使用することをサポートするワイヤレス通信システム８００のデバイス間のメッセージフローを示す。例として、ワイヤレス通信システム８００は、第１の基地局１０５−ｍと、第２の基地局１０５−ｎと、第１のＵＥ１１５−ｍと、第２のＵＥ１１５−ｎとを含む。第１のＵＥ１１５−ｍは第１の基地局１０５−ｍに関連し得（たとえば、第１の基地局１０５−ｍは第１のＵＥ１１５−ｍのためのサービングセルであり得）、第２のＵＥ１１５−ｎは第２の基地局１０５−ｎに関連し得る。基地局１０５−ｍ、１０５−ｎおよびＵＥ１１５−ｍ、１１５−ｎは、図１または図２〜図７を参照しながら説明された基地局１０５およびＵＥ１１５の態様の例であり得る。いくつかの例では、基地局１０５−ｍ、１０５−ｎおよびＵＥ１１５−ｍ、１１５−ｎは、共有無線周波数スペクトル帯域上で通信し得、基地局１０５−ｍ、１０５−ｎまたはＵＥ１１５−ｍ、１１５−ｎのうちの１つまたは複数は、図２を参照しながら説明されたように共有無線周波数スペクトル帯域へのアクセスを求めて競合し得る。共有無線周波数スペクトル帯域は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。
【０１１３】
[0124]第１の基地局１０５−ｍは、第１のＵＥ１１５−ｍからのＵＬ送信８４０をスケジュールすることを決定し、共有無線周波数スペクトル帯域上で通信８２０を送信し得る。通信８２０は、ＣＴＳ−ｔｏ−ｓｅｌｆ８２５とＵＬ許可８３０とを含み得る。通信８２０は、ＵＬ送信８４０について識別されたＭＣＳをも含み得る。ＣＴＳ−ｔｏ−ｓｅｌｆ８２５はＮＡＶを含み得、そのＮＡＶは、ＵＬ許可８３０を送信／処理し、ＵＬ送信８４０を送信するための、チャネル予約の持続時間（たとえば、予約時間）を示し得る。
【０１１４】
[0125]通信８２０を受信すると、第１のＵＥ１１５−ｍはＷｉ−Ｆｉプリアンブル８３５を送信し得る。Ｗｉ−Ｆｉプリアンブル８３５は、ＵＬ送信８４０を送信するためのチャネル予約の持続時間（たとえば、予約時間）を示す長さフィールドを含み得る。第１のＵＥ１１５−ｍはまた、スケジュールされたように、ＵＬ送信８４０を送信し得る。
【０１１５】
[0126]８４５において、第２の基地局１０５−ｎは、第２のＵＥ１１５−ｎからのＵＬ送信８８５をスケジュールすることを決定し得る。ＵＬ送信８８５をスケジュールする前に、８５０において、第２の基地局１０５−ｎは、共有無線周波数スペクトル帯域が別のデバイスによってすでに予約されているかどうかを決定し得る。８５０において実行されるプロセスの一部として、第２の基地局１０５−ｎは、（たとえば、Ｗｉ−Ｆｉプリアンブル８３５を検出し、そこに示された予約時間が満了していないと決定することによって）第１のＵＥ１１５−ｍによって行われたチャネル予約を検出し得る。いくつかの例では、チャネル予約は、共有無線周波数スペクトル帯域上での現在の送信に基づいて、今検出され得、他の例では、チャネル予約は、前に検出されたチャネル予約のデータベースにアクセスすることによって検出され得る。いくつかの例では、第２の基地局１０５−ｎは、Ｗｉ−Ｆｉプリアンブル８３５に関連する干渉レベルを決定し、干渉レベルに少なくとも部分的に基づいてＵＬ送信８８５のためのＭＣＳを識別し得る。
【０１１６】
[0127]従来、第２の基地局１０５−ｎは、共有無線周波数スペクトル帯域が別のデバイスによってすでに予約されていると決定すると、ＵＬ送信８８５のスケジューリングを遅延させるであろう。しかしながら、図８では、８５５において、第２の基地局１０５−ｎは、チャネル予約に少なくとも部分的に基づいて、共有無線周波数スペクトル帯域上でチャネル予約に対応するチャネル予約信号（たとえば、ＣＴＳ−ｔｏ−ｓｅｌｆ８２５）が検出されたかどうかを決定し得る。８５０においてどのようにチャネル予約が検出されたかと同様に、チャネル予約信号は、共有無線周波数スペクトル帯域上での現在の送信に基づいて、または前に検出されたチャネル予約信号のデータベースにアクセスすることによって、今検出され得る。いくつかの例では、チャネル予約は、共有無線周波数スペクトル帯域上での現在の送信に基づいて、今検出され得、他の例では、チャネル予約は、前に検出されたチャネル予約のデータベースにアクセスすることによって検出され得る。チャネル予約信号が検出されなかったと決定すると、第２の基地局１０５−ｎは、ＵＬ送信８８５をスケジュールし、リソースの許可（たとえば、ＵＬ許可８７０）を第２のＵＥ１１５−ｎに送信し得る。他の場合、第２の基地局１０５−ｎは、８５０において識別されたチャネル予約に関連する予約時間が満了するまで、ＵＬ送信８８５をスケジュールすることを延期し得る。第２の基地局１０５−ｎが８５０において別のデバイスによるチャネル予約を識別しなかったとき、または第２の基地局１０５−ｎが８５０においてチャネル予約を識別したがチャネル予約が満了しているとき、第２の基地局１０５−ｎは、８５５において（１つまたは複数の）動作をスキップし、ＵＬ送信８８５をスケジュールし、ＵＬ許可８７０を第２のＵＥ１１５−ｎに送信し得る。
【０１１７】
[0128]チャネル予約信号（たとえば、ＣＴＳ−ｔｏ−ｓｅｌｆ８２５）が検出されなかったと決定すると、第２の基地局１０５−ｎは、共有無線周波数スペクトル帯域上で通信８６０を送信し得る。第２の基地局１０５−ｎはまた、（たとえば、第１のＵＥ１１５−ｍのコードブロック（ＣＢ）ＡＣＫ／ＮＡＫに依拠するとき）短いバースト干渉が第１のＵＥ１１５−ｍについて可能にされる場合、チャネル予約信号（たとえば、ＣＴＳ−ｔｏ−ｓｅｌｆ８２５）が検出されたと決定すると、通信８６０を送信し得る。通信８６０は、ＣＴＳ−ｔｏ−ｓｅｌｆ８６５とＵＬ許可８７０とを含み得る。通信８６０は、ＵＬ送信８８５について識別されたＭＣＳをも含み得る。ＣＴＳ−ｔｏ−ｓｅｌｆ８６５はＮＡＶを含み得、そのＮＡＶは、ＵＬ許可８７０を送信／処理し、ＵＬ送信８８５を送信するための、チャネル予約の持続時間（たとえば、予約時間）を示し得る。
【０１１８】
[0129]通信８６０を受信すると、第２のＵＥ１１５−ｎは、ブロック８７５において、共有無線周波数スペクトル帯域上でチャネル予約信号（たとえば、ＣＴＳ−ｔｏ−ｓｅｌｆ８２５）が検出されたかどうかを決定し得る。チャネル予約信号（たとえば、ＣＴＳ−ｔｏ−ｓｅｌｆ８２５）が検出されたと決定すると、第２のＵＥ１１５−ｎは、ＣＴＳ−ｔｏ−ｓｅｌｆ８２５中に含まれるＮＡＶによって示された予約時間が満了したかどうかを決定し得る。ＣＴＳ−ｔｏ−ｓｅｌｆ８２５が検出されなかったか、あるいはＣＴＳ−ｔｏ−ｓｅｌｆ８２５が検出され、ＣＴＳ−ｔｏ−ｓｅｌｆ８２５中に含まれるＮＡＶによって示された予約時間が満了したと決定すると、第２のＵＥ１１５−ｎはＷｉ−Ｆｉプリアンブル８８０を送信し得る。Ｗｉ−Ｆｉプリアンブル８８０は、ＵＬ送信５９５を送信するためのチャネル予約の持続時間（たとえば、予約時間）を示す長さフィールドを含み得る。第２のＵＥ１１５−ｎはまた、スケジュールされたように、ＵＬ送信８８５を送信し得る。
【０１１９】
[0130]いくつかの場合には、ＵＬ送信８８５の持続時間は、ＵＬ送信８４０が終わった後にチャネル状態が改善し得るので、第１のＵＥ１１５−ｍによるチャネル予約よりも短くなるように、ＵＬ許可５８０または他の場所で示されるか、あるいは第２のＵＥ１１５−ｎによって選定され得、第２の基地局１０５−ｎは、たとえば、より高いＭＣＳにおいて次のＵＬ送信をスケジュールすることが可能であり得る。図８に示されているメッセージフローの代替実施形態では、第１のＵＥ１１５−ｍは、Ｗｉ−Ｆｉプリアンブルの代わりにＲＴＳ信号を送信するＷｉ−Ｆｉ送信機と交換され（replaced）得、第１の基地局１０５−ｍは、ＣＴＳ−ｔｏ−ｓｅｌｆ信号の代わりにＣＴＳ信号を送信するＷｉ−Ｆｉ受信機と交換され得る。
【０１２０】
[0131]第２の基地局１０５−ｎおよび第２のＵＥ１１５−ｎによって実行される説明された動作は、図８では、ＵＬ送信８４０と並列の、ＵＬ送信８８５の送信が、第１の基地局１０５−ｍｅにおけるＵＬ送信８４０の受信または第２の基地局１０５−ｎにおけるＵＬ送信８８５の受信に干渉しないことを保証するのを助ける。
【０１２１】
[0132]図９は、本開示の様々な態様による、共有無線周波数スペクトル帯域において増加された再使用係数を与えるために基地局においてオーバージエアシグナリングを使用することをサポートするデバイス９０５のブロック図９００を示す。デバイス９０５は、図１および図３〜図８を参照しながら説明された基地局１０５のうちの１つまたは複数の態様の一例であり得る。デバイス９０５はまた、プロセッサであるか、またはプロセッサを含み得る。デバイス９０５は、受信機９１０と、基地局ワイヤレス通信マネージャ９２０と、送信機９３０とを含み得る。これらのモジュールの各々は互いと通信していることがある。
【０１２２】
[0133]デバイス９０５のモジュールは、適用可能な機能の一部または全部をハードウェアで実行するように適応された１つまたは複数の特定用途向け集積回路（ＡＳＩＣ）を使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る集積回路の他のもの（たとえば、ストラクチャード／プラットフォームＡＳＩＣ、フィールドプログラマブルゲートアレイ（ＦＰＧＡ）、システムオンチップ（ＳｏＣ）、および／またはセミカスタムＩＣの他のもの）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１２３】
[0134]いくつかの例では、受信機９１０は、専用無線周波数スペクトル帯域（たとえば、無線周波数スペクトル帯域が、一部のユーザに認可されているので、送信デバイスがそれのためにアクセスを求めて競合しないことがある、無線周波数スペクトル帯域（たとえば、ＬＴＥ／ＬＴＥ−Ａ通信のために使用可能な認可無線周波数スペクトル帯域））または共有無線周波数スペクトル帯域（たとえば、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つの無線周波数（ＲＦ）受信機など、少なくとも１つのＲＦ受信機を含み得る。いくつかの例では、専用無線周波数スペクトル帯域または共有無線周波数スペクトル帯域は、たとえば、図１〜図８を参照しながら説明されたように、ＬＴＥ／ＬＴＥ−Ａ通信のために使用され得る。受信機９１０は、いくつかの場合には、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機（たとえば、専用ＲＦスペクトル帯域のためのＬＴＥ／ＬＴＥ−Ａ受信機９１２）、および共有無線周波数スペクトル帯域上で通信するためのＬＴＥ／ＬＴＥ−Ａ受信機（たとえば、共有ＲＦスペクトル帯域のためのＬＴＥ／ＬＴＥ−Ａ受信機９１４）の形態をとり得る。専用ＲＦスペクトル帯域のためのＬＴＥ／ＬＴＥ−Ａ受信機９１２または共有ＲＦスペクトル帯域のためのＬＴＥ／ＬＴＥ−Ａ受信機９１４を含む受信機９１０は、図１および図３〜図８を参照しながら説明されたワイヤレス通信システム１００、３００、４００、５００、６００、７００、または８００の１つまたは複数の通信リンクなど、ワイヤレス通信システムの１つまたは複数の通信リンク上で様々なデータまたは制御信号（たとえば、送信）を受信するために使用され得る。通信リンクは、専用無線周波数スペクトル帯域または共有無線周波数スペクトル帯域上で確立され得る。
【０１２４】
[0135]いくつかの例では、送信機９３０は、専用無線周波数スペクトル帯域または共有無線周波数スペクトル帯域上で送信するように動作可能な少なくとも１つのＲＦ送信機など、少なくとも１つのＲＦ送信機を含み得る。送信機９３０は、いくつかの場合には、専用無線周波数スペクトル帯域および共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機（たとえば、専用ＲＦスペクトル帯域のためのＬＴＥ／ＬＴＥ−Ａ送信機９３２）、および共有無線周波数スペクトル帯域上で通信するためのＬＴＥ／ＬＴＥ−Ａ送信機（たとえば、共有ＲＦスペクトル帯域のためのＬＴＥ／ＬＴＥ−Ａ送信機９３４）の形態をとり得る。専用ＲＦスペクトル帯域のためのＬＴＥ／ＬＴＥ−Ａ送信機９３２または共有ＲＦスペクトル帯域のためのＬＴＥ／ＬＴＥ−Ａ送信機９３４を含む送信機９３０は、図１および図３〜図８を参照しながら説明されたワイヤレス通信システム１００、３００、４００、５００、６００、７００、または８００の１つまたは複数の通信リンクなど、ワイヤレス通信システムの１つまたは複数の通信リンク上で様々なデータまたは制御信号（たとえば、送信）を送信するために使用され得る。通信リンクは、専用無線周波数スペクトル帯域または共有無線周波数スペクトル帯域上で確立され得る。
【０１２５】
[0136]いくつかの例では、基地局ワイヤレス通信マネージャ９２０は、デバイス９０５のためのワイヤレス通信の１つまたは複数の態様を管理するために使用され得る。いくつかの例では、基地局ワイヤレス通信マネージャ９２０は、チャネル予約検出器９３５または発信通信プロセッサ（outgoing communication processor）９４０を含み得る。
【０１２６】
[0137]チャネル予約検出器９３５は、図３〜図８を参照しながら説明されたように、共有無線周波数スペクトル帯域上で送信用チャネル予約を検出するために使用され得る。チャネル予約検出器９３５は、同じく図３〜図８を参照しながら説明されたように、送信用チャネル予約に少なくとも部分的に基づいて、共有無線周波数スペクトル帯域上で受信用チャネル予約信号が検出されたかどうかを決定するためにも使用され得る。
【０１２７】
[0138]発信通信プロセッサ９４０は、図３〜図８を参照しながら説明されたように、決定することに少なくとも部分的に基づいて、ＵＥに、共有無線周波数スペクトル帯域上で通信を（たとえば、送信機９３０と協働して）送信するために使用され得る。通信は、ダウンリンク送信に関連する許可前通信またはアップリンク送信に関連するアップリンクリソースの許可を含み得る。
【０１２８】
[0139]図１０は、本開示の様々な態様による、共有無線周波数スペクトル帯域において増加された再使用係数を与えるために基地局においてオーバージエアシグナリングを使用することをサポートするデバイス９０５−ａのブロック図１０００を示す。デバイス９０５−ａは、図１または図３〜図８を参照しながら説明された基地局１０５のうちの１つまたは複数の態様、あるいは図９を参照しながら説明されたデバイス９０５の態様の一例であり得る。デバイス９０５−ａはまた、プロセッサであるか、またはプロセッサを含み得る。デバイス９０５−ａは、受信機９１０−ａと、基地局ワイヤレス通信マネージャ９２０−ａと、送信機９３０−ａとを含み得る。これらのモジュールの各々は互いと通信していることがある。受信機９１０−ａは、専用ＲＦスペクトル帯域のためのＬＴＥ／ＬＴＥ−Ａ受信機９１２−ａまたは共有ＲＦスペクトル帯域のためのＬＴＥ／ＬＴＥ−Ａ受信機９１４−ａを含み得る。送信機９３０−ａは、専用ＲＦスペクトル帯域のためのＬＴＥ／ＬＴＥ−Ａ送信機９３２−ａまたは共有ＲＦスペクトル帯域のためのＬＴＥ／ＬＴＥ−Ａ送信機９３４−ａを含み得る。いくつかの場合には、受信機９１０−ａ、基地局ワイヤレス通信マネージャ９２０−ａ、送信機９３０−ａ、専用ＲＦスペクトル帯域のためのＬＴＥ／ＬＴＥ−Ａ受信機９１２−ａ、共有ＲＦスペクトル帯域のためのＬＴＥ／ＬＴＥ−Ａ受信機９１４−ａ、専用ＲＦスペクトル帯域のためのＬＴＥ／ＬＴＥ−Ａ送信機９３２−ａ、または共有ＲＦスペクトル帯域のためのＬＴＥ／ＬＴＥ−Ａ送信機９３４−ａは、図９を参照しながら説明された受信機９１０、基地局ワイヤレス通信マネージャ９２０、送信機９３０、専用ＲＦスペクトル帯域のためのＬＴＥ／ＬＴＥ−Ａ受信機９１２、共有ＲＦスペクトル帯域のためのＬＴＥ／ＬＴＥ−Ａ受信機９１４、専用ＲＦスペクトル帯域のためのＬＴＥ／ＬＴＥ−Ａ送信機９３２、または共有ＲＦスペクトル帯域のためのＬＴＥ／ＬＴＥ−Ａ送信機９３４のそれぞれの例であり得る。
【０１２９】
[0140]デバイス９０５−ａの構成要素は、ハードウェア中の適用可能な機能の一部または全部を実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る集積回路の他のもの（たとえば、ストラクチャード／プラットフォームＡＳＩＣ、ＦＰＧＡ、ＳｏＣ、および／またはセミカスタムＩＣの他のもの）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１３０】
[0141]基地局ワイヤレス通信マネージャ９２０−ａは、デバイス９０５−ａのためのワイヤレス通信の１つまたは複数の態様を管理するために使用され得る。いくつかの例では、基地局ワイヤレス通信マネージャ９２０−ａは、チャネル予約検出器９３５−ａ、干渉決定器１００５、ＭＣＳ識別器１０１０、アップリンク送信持続時間決定器１０１５、または発信通信プロセッサ９４０−ａを含み得る。
【０１３１】
[0142]チャネル予約検出器９３５−ａは、図３〜図８を参照しながら説明されたように、共有無線周波数スペクトル帯域上で送信用チャネル予約を検出するために使用され得る。チャネル予約検出器９３５−ａは、送信用チャネル予約の持続時間を決定するためにも使用され得る。
【０１３２】
[0143]チャネル予約検出器９３５−ａは、同じく図３〜図８を参照しながら説明されたように、送信用チャネル予約に少なくとも部分的に基づいて、共有無線周波数スペクトル帯域上で受信用チャネル予約信号が検出されたかどうかを決定するためにも使用され得る。またさらに、チャネル予約検出器９３５−ａは、送信用チャネル予約に関連する予約時間が満了したかどうかを決定するために使用され得る。
【０１３３】
[0144]発信通信プロセッサ９４０−ａは、図３〜図８を参照しながら説明されたように、受信用チャネル予約信号が検出されたかどうかを決定することに少なくとも部分的に基づいて、第１のＵＥに、共有無線周波数スペクトル帯域上で通信を（たとえば、送信機９３０−ａと協働して）送信するために使用され得る。いくつかの例では、発信通信プロセッサ９４０−ａは、受信用チャネル予約信号が検出されなかったとき、通信を送信し得る。通信は、ダウンリンク送信に関連する許可前通信またはアップリンク送信に関連するアップリンクリソースの許可を含み得る。通信はＣＴＳ−ｔｏ−ｓｅｌｆ信号をも含み得る。いくつかの例では、ＣＴＳ−ｔｏ−ｓｅｌｆ信号は、許可前通信またはアップリンクリソースの許可の前にあるいはその最初に送信され得る。通信がアップリンクリソースの許可を含むとき、通信は、関連するアップリンク送信のためのＭＣＳのインジケータおよび／またはアップリンク送信持続時間の指示をも含み得る。
【０１３４】
[0145]いくつかの例では、送信用チャネル予約は第２の基地局によって送信され得、受信用チャネル予約信号（たとえば、ＣＴＳ）は第２のＵＥによって送信され得る。これらの例では、チャネル予約検出器９３５−ａは、第２の基地局によって送信されたＣＴＳ−ｔｏ−ｓｅｌｆ信号または第２の基地局によって送信されたＰＦＦＩＣＨのうちの少なくとも１つを検出し得る。
【０１３５】
[0146]いくつかの例では、送信用チャネル予約は第２のＵＥによって送信され得、受信用チャネル予約信号（たとえば、ＣＴＳ−ｔｏ−ｓｅｌｆ信号）は第２の基地局によって送信され得る。これらの例では、チャネル予約検出器９３５−ａは、第２のＵＥによって送信されたＷｉ−Ｆｉプリアンブルを検出し得る。Ｗｉ−Ｆｉプリアンブルは、第２のＵＥから第２の基地局へのアップリンク送信の持続時間を示す長さフィールドを有し得る。
【０１３６】
[0147]いくつかの例では、送信用チャネル予約はＷｉ−Ｆｉ送信機によって送信され得、受信用チャネル予約信号（たとえば、ＣＴＳ信号）はＷｉ−Ｆｉ受信機によって送信され得る。これらの例では、チャネル予約検出器９３５−ａは、Ｗｉ−Ｆｉ送信機によって送信されたＲＴＳ信号を検出し得る。
【０１３７】
[0148]干渉決定器１００５は、送信用チャネル予約に関連する干渉レベルを決定するために、発信通信プロセッサ９４０−ａによって処理および／または送信される通信がアップリンクリソースの許可を備えるとき、使用され得る。ＭＣＳ識別器１０１０は、干渉レベルに少なくとも部分的に基づいて、アップリンクリソースの許可に関連するアップリンク送信中に第１のＵＥによって使用されるべきＭＣＳを識別するために使用され得る。
【０１３８】
[0149]アップリンク送信持続時間決定器１０１５は、第１のＵＥからのアップリンク送信のためのアップリンク送信持続時間を決定するために使用され得る。アップリンク送信持続時間は、アップリンク送信持続時間が、送信用チャネル予約の持続時間よりも短くなるように決定され得る。
【０１３９】
[0150]図１１は、本開示の様々な態様による、共有無線周波数スペクトル帯域において増加された再使用係数を与えるためにＵＥにおいてオーバージエアシグナリングを使用することをサポートするデバイス１１１５のブロック図１１００を示す。デバイス１１１５は、図１および図３〜図８を参照しながら説明されたＵＥ１１５のうちの１つまたは複数の態様の一例であり得る。デバイス１１１５はまた、プロセッサであるか、またはプロセッサを含み得る。デバイス１１１５は、受信機１１１０と、ＵＥワイヤレス通信マネージャ１１２０と、送信機１１３０とを含み得る。これらのモジュールの各々は互いと通信していることがある。
【０１４０】
[0151]デバイス１１１５のモジュールは、ハードウェア中の適用可能な機能の一部または全部を実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る集積回路の他のもの（たとえば、ストラクチャード／プラットフォームＡＳＩＣ、ＦＰＧＡ、ＳｏＣ、および／またはセミカスタムＩＣの他のもの）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１４１】
[0152]いくつかの例では、受信機１１１０は、専用無線周波数スペクトル帯域（たとえば、無線周波数スペクトル帯域が、一部のユーザに認可されているので、送信デバイスがそれのためにアクセスを求めて競合しないことがある、無線周波数スペクトル帯域（たとえば、ＬＴＥ／ＬＴＥ−Ａ通信のために使用可能な認可無線周波数スペクトル帯域））または共有無線周波数スペクトル帯域（たとえば、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で送信を受信するように動作可能な少なくとも１つのＲＦ受信機など、少なくとも１つのＲＦ受信機を含み得る。いくつかの例では、専用無線周波数スペクトル帯域または共有無線周波数スペクトル帯域は、たとえば、図１または図２を参照しながら説明されたように、ＬＴＥ／ＬＴＥ−Ａ通信のために使用され得る。受信機１１１０は、いくつかの場合には、専用無線周波数スペクトル帯域および共有無線周波数スペクトル帯域のための別個の受信機を含み得る。別個の受信機は、いくつかの例では、専用無線周波数スペクトル帯域上で通信するためのＬＴＥ／ＬＴＥ−Ａ受信機（たとえば、専用ＲＦスペクトル帯域のためのＬＴＥ／ＬＴＥ−Ａ受信機１１１２）、および共有無線周波数スペクトル帯域上で通信するためのＬＴＥ／ＬＴＥ−Ａ受信機（たとえば、共有ＲＦスペクトル帯域のためのＬＴＥ／ＬＴＥ−Ａ受信機１１１４）の形態をとり得る。専用ＲＦスペクトル帯域のためのＬＴＥ／ＬＴＥ−Ａ受信機１１１２または共有ＲＦスペクトル帯域のためのＬＴＥ／ＬＴＥ−Ａ受信機１１１４を含む受信機１１１０は、図１および図３〜図８を参照しながら説明されたワイヤレス通信システム１００、３００、４００、５００、６００、７００、または８００の１つまたは複数の通信リンクなど、ワイヤレス通信システムの１つまたは複数の通信リンク上で様々なデータまたは制御信号（たとえば、送信）を受信するために使用され得る。通信リンクは、専用無線周波数スペクトル帯域または共有無線周波数スペクトル帯域上で確立され得る。
【０１４２】
[0153]いくつかの例では、送信機１１３０は、専用無線周波数スペクトル帯域または共有無線周波数スペクトル帯域上で送信するように動作可能な少なくとも１つのＲＦ送信機など、少なくとも１つのＲＦ送信機を含み得る。送信機１１３０は、いくつかの場合には、専用無線周波数スペクトル帯域および共有無線周波数スペクトル帯域のための別個の送信機を含み得る。別個の送信機は、いくつかの例では、専用無線周波数スペクトル帯域上で通信するためのＬＴＥ／ＬＴＥ−Ａ送信機（たとえば、専用ＲＦスペクトル帯域のためのＬＴＥ／ＬＴＥ−Ａ送信機１１３２）、および共有無線周波数スペクトル帯域上で通信するためのＬＴＥ／ＬＴＥ−Ａ送信機（たとえば、共有ＲＦスペクトル帯域のためのＬＴＥ／ＬＴＥ−Ａ送信機１１３４）の形態をとり得る。専用ＲＦスペクトル帯域のためのＬＴＥ／ＬＴＥ−Ａ送信機１１３２または共有ＲＦスペクトル帯域のためのＬＴＥ／ＬＴＥ−Ａ送信機１１３４を含む送信機１１３０は、図１および図３〜図８を参照しながら説明されたワイヤレス通信システム１００、３００、４００、５００、６００、７００、または８００の１つまたは複数の通信リンクなど、ワイヤレス通信システムの１つまたは複数の通信リンク上で様々なデータまたは制御信号（たとえば、送信）を送信するために使用され得る。通信リンクは、専用無線周波数スペクトル帯域または共有無線周波数スペクトル帯域上で確立され得る。
【０１４３】
[0154]いくつかの例では、ＵＥワイヤレス通信マネージャ１１２０は、デバイス１１１５のためのワイヤレス通信の１つまたは複数の態様を管理するために使用され得る。いくつかの例では、ＵＥワイヤレス通信マネージャ１１２０は、着信通信プロセッサ１１３５、スペクトル共有評価器１１４０、または発信通信プロセッサ１１４５を含み得る。
【０１４４】
[0155]着信通信プロセッサ１１３５は、図３〜図８を参照しながら説明されたように、基地局から共有無線周波数スペクトル帯域上で第１の通信を（たとえば、受信機１１１０と協働して）受信するために使用され得る。第１の通信は、ダウンリンク送信に関連する許可前通信またはアップリンク送信に関連するアップリンクリソースの許可を含み得る。
【０１４５】
[0156]スペクトル共有評価器１１４０は、図３〜図８を参照しながら説明されたように、第１の通信を受信することに少なくとも部分的に基づいて、共有無線周波数スペクトル帯域上でチャネル予約信号が検出されたかどうかを決定するために使用され得る。
【０１４６】
[0157]発信通信プロセッサ１１４５は、図３〜図８を参照しながら説明されたように、スペクトル共有評価器１１４０によって行われた決定に少なくとも部分的に基づいて、基地局に、共有無線周波数スペクトル帯域上で第２の通信を（たとえば、送信機１１３０と協働して）送信するために使用され得る。第２の通信は、アップリンク送信またはダウンリンク送信の承認を含み得る。
【０１４７】
[0158]図１２は、本開示の様々な態様による、共有無線周波数スペクトル帯域において増加された再使用係数を与えるためにＵＥにおいてオーバージエアシグナリングを使用することをサポートするデバイス１１１５−ａのブロック図１２００を示す。デバイス１１１５−ａは、図１または図３〜図８を参照しながら説明されたＵＥ１１５のうちの１つまたは複数の態様、あるいは図１１を参照しながら説明されたデバイス１１１５の態様の一例であり得る。デバイス１１１５−ａはまた、プロセッサであるか、またはプロセッサを含み得る。デバイス１１１５−ａは、受信機１１１０−ａと、ＵＥワイヤレス通信マネージャ１１２０−ａと、送信機１１３０−ａとを含み得る。これらのモジュールの各々は互いと通信していることがある。受信機１１１０−ａは、専用ＲＦスペクトル帯域のためのＬＴＥ／ＬＴＥ−Ａ受信機１１１２−ａまたは共有ＲＦスペクトル帯域のためのＬＴＥ／ＬＴＥ−Ａ受信機１１１４−ａを含み得る。送信機１１３０−ａは、専用ＲＦスペクトル帯域のためのＬＴＥ／ＬＴＥ−Ａ送信機１１３２−ａまたは共有ＲＦスペクトル帯域のためのＬＴＥ／ＬＴＥ−Ａ送信機１１３４−ａを含み得る。いくつかの場合には、受信機１１１０−ａ、ＵＥワイヤレス通信マネージャ１１２０−ａ、送信機１１３０−ａ、専用ＲＦスペクトル帯域のためのＬＴＥ／ＬＴＥ−Ａ受信機１１１２−ａ、共有ＲＦスペクトル帯域のためのＬＴＥ／ＬＴＥ−Ａ受信機１１１４−ａ、専用ＲＦスペクトル帯域のためのＬＴＥ／ＬＴＥ−Ａ送信機１１３２−ａ、または共有ＲＦスペクトル帯域のためのＬＴＥ／ＬＴＥ−Ａ送信機１１３４−ａは、図１１を参照しながら説明された受信機１１１０、ＵＥワイヤレス通信マネージャ１１２０、送信機１１３０、専用ＲＦスペクトル帯域のためのＬＴＥ／ＬＴＥ−Ａ受信機１１１２、共有ＲＦスペクトル帯域のためのＬＴＥ／ＬＴＥ−Ａ受信機１１１４、専用ＲＦスペクトル帯域のためのＬＴＥ／ＬＴＥ−Ａ送信機１１３２、または共有ＲＦスペクトル帯域のためのＬＴＥ／ＬＴＥ−Ａ送信機１１３４のそれぞれの例であり得る。
【０１４８】
[0159]デバイス１１１５−ａの構成要素は、ハードウェア中の適用可能な機能の一部または全部を実行するように適応された１つまたは複数のＡＳＩＣを使用して、個々にまたはまとめて実装され得る。代替的に、それらの機能は、１つまたは複数の他の処理ユニット（またはコア）によって、１つまたは複数の集積回路上で実行され得る。他の例では、当技術分野で知られている任意の様式でプログラムされ得る集積回路の他のもの（たとえば、ストラクチャード／プラットフォームＡＳＩＣ、ＦＰＧＡ、ＳｏＣ、および／またはセミカスタムＩＣの他のもの）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実装され得る。
【０１４９】
[0160]ＵＥワイヤレス通信マネージャ１１２０−ａは、デバイス１１１５−ａのためのワイヤレス通信の１つまたは複数の態様を管理するために使用され得る。いくつかの例では、ＵＥワイヤレス通信マネージャ１１２０−ａは、着信通信プロセッサ１１３５−ａ、スペクトル共有評価器１１４０−ａ、または発信通信プロセッサ１１４５−ａを含み得る。
【０１５０】
[0161]着信通信プロセッサ１１３５−ａは、図３〜図８を参照しながら説明されたように、第１の基地局から共有無線周波数スペクトル帯域上で第１の通信を（たとえば、受信機１１１０−ａと協働して）受信するために使用され得る。第１の通信は、ダウンリンク送信に関連する許可前通信またはアップリンク送信に関連するアップリンクリソースの許可を含み得る。着信通信プロセッサ１１３５−ａは、いくつかのシナリオの下では、共有無線周波数スペクトル帯域上でダウンリンク送信を受信するためにも使用され得る。
【０１５１】
[0162]スペクトル共有評価器１１４０−ａは、図３〜図８を参照しながら説明されたように、第１の通信を受信することに少なくとも部分的に基づいて、共有無線周波数スペクトル帯域上でチャネル予約信号が検出されたかどうかを決定するために使用され得る。いくつかの例では、スペクトル共有評価器１１４０−ａは、ＤＬ中ＤＬ（DL during DL）評価器１２０５、ＤＬ中ＵＬ（UL during DL）評価器１２１０、ＵＬ中ＤＬ（DL during UL）評価器１２１５、またはＵＬ中ＵＬ（UL during UL）評価器１２２０を含み得る。
【０１５２】
[0163]ＤＬ中ＤＬ評価器１２０５は、着信通信プロセッサ１１３５−ａが許可前通信を受信したことに少なくとも部分的に基づいて、共有無線周波数スペクトル帯域上で、第２の基地局によって送信された送信用チャネル予約信号（たとえば、ＣＴＳ−ｔｏ−ｓｅｌｆ信号）が検出されたかどうかを決定するために使用され得る。送信用チャネル予約信号が検出されたとき、ＤＬ中ＤＬ評価器１２０５は、送信用チャネル予約信号に関連する予約時間が満了したかどうかを決定するためにも使用され得る。ＤＬ中ＤＬ評価器１２０５は、送信用チャネル予約信号に関連する干渉レベルがしきい値干渉レベルを下回るかどうかを決定することと、ダウンリンク送信のＭＣＳを調整するために、干渉レベルに少なくとも部分的に基づいて、ＣＱＩフィードバックをコンパイルすることとを行うためにも使用され得る。
【０１５３】
[0164]ＤＬ中ＵＬ評価器１２１０は、着信通信プロセッサ１１３５−ａがアップリンクリソースの許可を受信したことに少なくとも部分的に基づいて、共有無線周波数スペクトル帯域上で、第２のＵＥによって送信された受信用チャネル予約信号（たとえば、ＣＴＳ信号）が検出されたかどうかを決定するために使用され得る。受信用チャネル予約信号が検出されたとき、ＤＬ中ＵＬ評価器１２１０は、送信用チャネル予約信号に関連する予約時間が満了したかどうかを決定するためにも使用され得る。
【０１５４】
[0165]ＵＬ中ＤＬ評価器１２１５は、着信通信プロセッサ１１３５−ａが許可前通信を受信したことに少なくとも部分的に基づいて、共有無線周波数スペクトル帯域上で、第２のＵＥまたはＷｉ−Ｆｉ送信機によって送信された送信用チャネル予約信号（たとえば、Ｗｉ−ＦｉプリアンブルまたはＲＴＳ信号）が検出されたかどうかを決定するために使用され得る。送信用チャネル予約信号が検出されたとき、ＤＬ中ＤＬ評価器１２０５は、送信用チャネル予約信号に関連する予約時間が満了したかどうかを決定するためにも使用され得る。ＤＬ中ＤＬ評価器１２０５は、送信用チャネル予約信号に関連する干渉レベルがしきい値干渉レベルを下回るかどうかを決定することと、ダウンリンク送信のＭＣＳを調整するために、干渉レベルに少なくとも部分的に基づいて、ＣＱＩフィードバックをコンパイルすることとを行うためにも使用され得る。
【０１５５】
[0166]ＵＬ中ＵＬ評価器１２２０は、着信通信プロセッサ１１３５−ａがアップリンクリソースの許可を受信したことに少なくとも部分的に基づいて、共有無線周波数スペクトル帯域上で、第２の基地局またはＷｉ−Ｆｉ受信機によって送信された受信用チャネル予約信号（たとえば、ＣＴＳ−ｔｏ−ｓｅｌｆ信号またはＣＴＳ信号）が検出されたかどうかを決定するために使用され得る。受信用チャネル予約信号が検出されたとき、ＵＬ中ＵＬ評価器１２２０は、送信用チャネル予約信号に関連する予約時間が満了したかどうかを決定するためにも使用され得る。
【０１５６】
[0167]発信通信プロセッサ１１４５−ａは、図３〜図８を参照しながら説明されたように、スペクトル共有評価器１１４０−ａによって行われた決定に少なくとも部分的に基づいて、基地局に、共有無線周波数スペクトル帯域上で第２の通信を（たとえば、送信機１１３０−ａと協働して）送信するために使用され得る。第２の通信は、アップリンク送信またはダウンリンク送信の承認を含み得る。いくつかの例では、発信通信プロセッサ１１４５−ａは、ＤＬ中ＤＬ通信マネージャ１２２５、ＤＬ中ＵＬ通信マネージャ１２３０、ＵＬ中ＤＬ通信マネージャ１２３５、またはＵＬ中ＵＬ通信マネージャ１２４０を含み得る。
【０１５７】
[0168]ＤＬ中ＤＬ通信マネージャ１２２５は、ＤＬ中ＤＬ評価器１２０５が、送信用チャネル予約信号が検出され、満了しておらず、および／またはしきい値干渉レベルを上回ると決定したとき、第１の基地局から受信された許可前通信に肯定応答することを控えるために使用され得る。ＤＬ中ＤＬ通信マネージャ１２２５は、ＤＬ中ＤＬ評価器１２０５が、送信用チャネル予約信号が検出されなかったと決定したことに少なくとも部分的に基づいて、第１の基地局に、共有無線周波数スペクトル帯域上で第２の通信を（たとえば、送信機１１３０−ａと協働して）代替的に送信し得る。第２の通信は、受信用チャネル予約信号（たとえば、ＣＴＳ信号）とダウンリンク送信の承認（たとえば、許可前ＡＣＫ信号）とを含み得る。代替的に、ＤＬ中ＤＬ通信マネージャ１２２５は、ＤＬ中ＤＬ評価器１２０５が、送信用チャネル予約信号が検出され、送信用チャネル予約信号に関連する予約時間が満了したと決定したことに少なくとも部分的に基づいて、第１の基地局に、共有無線周波数スペクトル帯域上で第２の通信を送信し得る。代替的に、ＤＬ中ＤＬ通信マネージャ１２２５は、ＤＬ中ＤＬ評価器１２０５が、送信用チャネル予約信号に関連する干渉レベルがしきい値干渉レベルを下回ると決定したことに少なくとも部分的に基づいて、第１の基地局に、共有無線周波数スペクトル帯域上で第２の通信を送信し得る。第２の通信は、ＤＬ中ＤＬ評価器１２０５によってコンパイルされたＣＱＩフィードバックとともに送信され得る。
【０１５８】
[0169]ＤＬ中ＵＬ通信マネージャ１２３０は、ＤＬ中ＵＬ評価器１２１０が、受信用チャネル予約信号が検出され、満了していないと決定したとき、アップリンク送信を第１の基地局に送信することを控えるために使用され得る。ＤＬ中ＵＬ通信マネージャ１２３０は、ＤＬ中ＵＬ評価器１２１０が、受信用チャネル予約信号が検出されなかったと決定したことに少なくとも部分的に基づいて、第１の基地局に、共有無線周波数スペクトル帯域上で第２の通信を（たとえば、送信機１１３０−ａと協働して）代替的に送信し得る。第２の通信は、送信用チャネル予約信号（たとえば、アップリンク送信の持続時間を示す長さフィールドを有するＷｉ−Ｆｉプリアンブル）と、アップリンク送信とを含み得る。代替的に、ＤＬ中ＵＬ通信マネージャ１２３０は、ＤＬ中ＵＬ評価器１２１０が、受信用チャネル予約信号が検出され、受信用チャネル予約信号に関連する予約時間が満了したと決定したことに少なくとも部分的に基づいて、第１の基地局に、共有無線周波数スペクトル帯域上で第２の通信を送信し得る。
【０１５９】
[0170]ＵＬ中ＤＬ通信マネージャ１２３５は、ＵＬ中ＤＬ評価器１２１５が、送信用チャネル予約信号が検出され、満了しておらず、および／またはしきい値干渉レベルを上回ると決定したとき、第１の基地局から受信された許可前通信に肯定応答することを控えるために使用され得る。ＵＬ中ＤＬ通信マネージャ１２３５は、ＵＬ中ＤＬ評価器１２１５が、送信用チャネル予約信号が検出されなかったと決定したことに少なくとも部分的に基づいて、第１の基地局に、共有無線周波数スペクトル帯域上で第２の通信を（たとえば、送信機１１３０−ａと協働して）代替的に送信し得る。第２の通信は、受信用チャネル予約信号（たとえば、ＣＴＳ信号）とダウンリンク送信の承認（たとえば、許可前ＡＣＫ信号）とを含み得る。代替的に、ＵＬ中ＤＬ通信マネージャ１２３５は、ＵＬ中ＤＬ評価器１２１５が、送信用チャネル予約信号が検出され、送信用チャネル予約信号に関連する予約時間が満了していると決定したことに少なくとも部分的に基づいて、第１の基地局に、共有無線周波数スペクトル帯域上で第２の通信を送信し得る。代替的に、ＵＬ中ＤＬ通信マネージャ１２３５は、ＵＬ中ＤＬ評価器１２１５が、送信用チャネル予約信号に関連する干渉レベルがしきい値干渉レベルを下回ると決定したことに少なくとも部分的に基づいて、第１の基地局に、共有無線周波数スペクトル帯域上で第２の通信を送信し得る。第２の通信は、ＵＬ中ＤＬ評価器１２１５によってコンパイルされたＣＱＩフィードバックとともに送信され得る。
【０１６０】
[0171]ＵＬ中ＵＬ通信マネージャ１２４０は、ＵＬ中ＵＬ評価器１２２０が、受信用チャネル予約信号が検出され、満了していないと決定したとき、アップリンク送信を第１の基地局に送信することを控えるために使用され得る。ＵＬ中ＵＬ通信マネージャ１２４０は、ＵＬ中ＵＬ評価器１２２０が、受信用チャネル予約信号が検出されなかったと決定したことに少なくとも部分的に基づいて、第１の基地局に、共有無線周波数スペクトル帯域上で第２の通信を代替的に送信し得る。第２の通信は、送信用チャネル予約信号（たとえば、アップリンク送信の持続時間を示す長さフィールドを有するＷｉ−Ｆｉプリアンブル）と、アップリンク送信とを含み得る。代替的に、ＵＬ中ＵＬ通信マネージャ１２４０は、ＵＬ中ＵＬ評価器１２２０が、受信用チャネル予約信号が検出され、受信用チャネル予約信号に関連する予約時間が満了していると決定したことに少なくとも部分的に基づいて、第１の基地局に、共有無線周波数スペクトル帯域上で第２の通信を送信し得る。
【０１６１】
[0172]図１３は、本開示の様々な態様による、共有無線周波数スペクトル帯域において増加された再使用係数を与えるためにオーバージエアシグナリングを使用することをサポートする基地局１０５−ｐ（たとえば、ｅＮＢの一部または全部を形成する基地局）のブロック図１３００を示す。いくつかの例では、基地局１０５−ｐは、図１および図３〜図１０を参照しながら説明された基地局１０５またはデバイス９０５のうちの１つまたは複数の態様の一例であり得る。基地局１０５−ｐは、図１〜図１０を参照しながら説明された基地局の特徴および機能のうちの少なくともいくつかを実装するかまたは可能にするように構成され得る。
【０１６２】
[0173]基地局１０５−ｐは、基地局プロセッサ１３１０、基地局メモリ１３２０、（（１つまたは複数の）基地局トランシーバ１３５０によって表される）少なくとも１つの基地局トランシーバ、（（１つまたは複数の）基地局アンテナ１３５５によって表される）少なくとも１つの基地局アンテナ、または基地局ワイヤレス通信マネージャ９２０−ｂを含み得る。基地局１０５−ｐは、基地局通信マネージャ１３３０またはネットワーク通信マネージャ１３４０のうちの１つまたは複数をも含み得る。これらの構成要素の各々は、１つまたは複数のバス１３３５上で、直接または間接的に互いと通信していることがある。
【０１６３】
[0174]基地局メモリ１３２０は、ランダムアクセスメモリ（ＲＡＭ）または読取り専用メモリ（ＲＯＭ）を含み得る。基地局メモリ１３２０は、実行されたとき、たとえば、図１〜図１０を参照しながら説明されたように、共有無線周波数スペクトル帯域上での第１の送信が第２の送信と同時に送信され得るかどうかを決定するのを支援することを含む、ワイヤレス通信に関係する本明細書で説明される様々な機能を基地局プロセッサ１３１０に実行させるように構成された命令を含んでいるコンピュータ可読、コンピュータ実行可能ソフトウェア／ファームウェアコード１３２５を記憶し得る。代替的に、コード１３２５は、基地局プロセッサ１３１０によって直接的に実行可能ではないが、（たとえば、コンパイルされ、実行されたとき）本明細書で説明される機能のうちのいくつかを基地局１０５−ｐに実行させるように構成され得る。
【０１６４】
[0175]基地局プロセッサ１３１０は、インテリジェントハードウェアデバイス（たとえば、中央処理ユニット（ＣＰＵ）、マイクロコントローラ、ＡＳＩＣなど）を含み得る。基地局プロセッサ１３１０は、（１つまたは複数の）基地局トランシーバ１３５０、基地局通信マネージャ１３３０、またはネットワーク通信マネージャ１３４０を通して受信された情報を処理し得る。基地局プロセッサ１３１０はまた、（１つまたは複数の）アンテナ１３５５を通した送信のために（１つまたは複数の）トランシーバ１３５０に送られるべき情報、１つまたは複数の他の基地局１０５−ｑおよび１０５−ｒへの送信のために基地局通信マネージャ１３３０に送られるべき情報、または図１を参照しながら説明されたコアネットワーク１３０の１つまたは複数の態様の一例であり得る、コアネットワーク１３０−ａへの送信のためにネットワーク通信マネージャ１３４０に送られるべき情報を処理し得る。
【０１６５】
[0176]基地局プロセッサ１３１０は、単独で、または基地局ワイヤレス通信マネージャ９２０−ｂとともに、専用無線周波数スペクトル帯域（たとえば、無線周波数スペクトル帯域が、一部のユーザに認可されているので、送信デバイスがそれのためにアクセスを求めて競合しないことがある、無線周波数スペクトル帯域（たとえば、ＬＴＥ／ＬＴＥ−Ａ通信のために使用可能な認可無線周波数スペクトル帯域））または共有無線周波数スペクトル帯域（たとえば、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で通信する（またはその帯域上での通信を管理する）様々な態様を扱い得る。
【０１６６】
[0177]（１つまたは複数の）基地局トランシーバ１３５０は、パケットを変調し、変調されたパケットを送信のために（１つまたは複数の）基地局アンテナ１３５５に与え、（１つまたは複数の）基地局アンテナ１３５５から受信されたパケットを復調するように構成されたモデムを含み得る。（１つまたは複数の）基地局トランシーバ１３５０は、いくつかの例では、１つまたは複数の基地局送信機および１つまたは複数の別個の基地局受信機として実装され得る。（１つまたは複数の）基地局トランシーバ１３５０は、専用無線周波数スペクトル帯域または共有無線周波数スペクトル帯域中での通信をサポートし得、図９および図１０を参照しながら説明された受信機９１０および／または送信機９３０の態様の一例であり得る。（１つまたは複数の）基地局トランシーバ１３５０は、（１つまたは複数の）アンテナ１３５５を介して、図１、図３〜図８、図１１、および図１２を参照しながら説明されたＵＥ１１５またはデバイス１１１５のうちの１つまたは複数など、１つまたは複数のＵＥまたは他のデバイスと双方向に通信するように構成され得る。基地局１０５−ｐは、たとえば、複数の基地局アンテナ１３５５（たとえば、アンテナアレイ）を含み得る。基地局１０５−ｐは、ネットワーク通信マネージャ１３４０を通してコアネットワーク１３０−ａと通信し得る。基地局１０５−ｐはまた、基地局通信マネージャ１３３０を使用して、基地局１０５−ｑおよび１０５−ｒなど、他の基地局と通信し得る。
【０１６７】
[0178]基地局ワイヤレス通信マネージャ９２０−ｂは、専用無線周波数スペクトル帯域または共有無線周波数スペクトル帯域上でのワイヤレス通信に関係する図１〜図１０を参照しながら説明された特徴または機能の一部または全部を実行または制御するように構成され得る。基地局ワイヤレス通信マネージャ９２０−ｂは、専用無線周波数スペクトル帯域中でのＬＴＥ／ＬＴＥ−Ａ通信を扱うように構成された、専用ＲＦスペクトル帯域のための基地局ＬＴＥ／ＬＴＥ−Ａマネージャ１３６０、または、共有無線周波数スペクトル帯域中でのＬＴＥ／ＬＴＥ−Ａ通信を扱うように構成された、共有ＲＦスペクトル帯域のための基地局ＬＴＥ／ＬＴＥ−Ａマネージャ１３６５を含み得る。基地局ワイヤレス通信マネージャ９２０−ｂ、またはそれの部分はプロセッサを含み得、あるいは基地局ワイヤレス通信マネージャ９２０−ｂの機能の一部または全部は、基地局プロセッサ１３１０によって実行されるか、または基地局プロセッサ１３１０とともに実行され得る。いくつかの例では、基地局ワイヤレス通信マネージャ９２０−ｂは、図９および図１０を参照しながら説明された基地局ワイヤレス通信マネージャ９２０の一例であり得る。
【０１６８】
[0179]図１４は、本開示の様々な態様による、共有無線周波数スペクトル帯域において増加された再使用係数を与えるためにオーバージエアシグナリングを使用することをサポートするＵＥ１１５−ｐのブロック図１４００を示す。ＵＥ１１５−ｐは、様々な構成を有し得、ワイヤレス通信デバイス、パーソナルコンピュータ（たとえば、ラップトップコンピュータ、ネットブックコンピュータ、タブレットコンピュータなど）、ハンドヘルドデバイス、セルラー電話、スマートフォン、コードレスフォン、ワイヤレスモデム、ワイヤレスローカルループ（ＷＬＬ）局、携帯情報端末（ＰＤＡ）、デジタルビデオレコーダ（ＤＶＲ）、インターネット機器、ゲーミングコンソール、電子リーダーなどであり得る。ＵＥ１１５−ｐは、いくつかの例では、モバイル動作を可能にするために、バッテリーなどの内部電源（図示せず）を有し得る。いくつかの例では、ＵＥ１１５−ｐは、図１、図３〜図８、図１１、および図１２を参照しながら説明されたＵＥ１１５またはデバイス１１１５のうちの１つまたは複数の態様の一例であり得る。ＵＥ１１５−ｐは、図１〜図８、図１１、および図１２を参照しながら説明されたＵＥまたはデバイスの特徴および機能のうちの少なくともいくつかを実装するように構成され得る。
【０１６９】
[0180]ＵＥ１１５−ｐは、ＵＥプロセッサ１４１０、ＵＥメモリ１４２０、（（１つまたは複数の）ＵＥトランシーバ１４３０によって表される）少なくとも１つのＵＥトランシーバ、（（１つまたは複数の）ＵＥアンテナ１４４０によって表される）少なくとも１つのＵＥアンテナ、またはＵＥワイヤレス通信マネージャ１１２０−ｂを含み得る。これらの構成要素の各々は、１つまたは複数のバス１４３５上で、直接または間接的に、互いと通信していることがある。
【０１７０】
[0181]ＵＥメモリ１４２０はＲＡＭまたはＲＯＭを含み得る。ＵＥメモリ１４２０は、実行されたとき、たとえば、図１〜図８、図１１、および図１２を参照しながら説明されたように、共有無線周波数スペクトル帯域上での第１の送信が第２の送信と同時に送信され得るかどうかを決定するのを支援することを含む、ワイヤレス通信に関係する本明細書で説明される様々な機能をＵＥプロセッサ１４１０に実行させるように構成された命令を含んでいるコンピュータ可読、コンピュータ実行可能ソフトウェア／ファームウェアコード１４２５を記憶し得る。代替的に、コード１４２５は、ＵＥプロセッサ１４１０によって直接的に実行可能ではないが、（たとえば、コンパイルされ、実行されたとき）本明細書で説明される機能のうちのいくつかをＵＥ１１５−ｐに実行させるように構成され得る。
【０１７１】
[0182]ＵＥプロセッサ１４１０は、インテリジェントハードウェアデバイス（たとえば、ＣＰＵ、マイクロコントローラ、ＡＳＩＣなど）を含み得る。ＵＥプロセッサ１４１０は、（１つまたは複数の）ＵＥトランシーバ１４３０を通して受信された情報、または（１つまたは複数の）ＵＥアンテナ１４４０を通した送信のために（１つまたは複数の）ＵＥトランシーバ１４３０に送られるべき情報を処理し得る。ＵＥプロセッサ１４１０は、単独で、またはＵＥワイヤレス通信マネージャ１１２０−ｂとともに、専用無線周波数スペクトル帯域（たとえば、無線周波数スペクトル帯域が、一部のユーザに認可されているので、送信デバイスがそれのためにアクセスを求めて競合しないことがある、無線周波数スペクトル帯域（たとえば、ＬＴＥ／ＬＴＥ−Ａ通信のために使用可能な認可無線周波数スペクトル帯域））または共有無線周波数スペクトル帯域（たとえば、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域））上で通信する（またはその帯域上での通信を管理する）様々な態様を扱い得る。
【０１７２】
[0183]（１つまたは複数の）ＵＥトランシーバ１４３０は、パケットを変調し、変調されたパケットを送信のために（１つまたは複数の）ＵＥアンテナ１４４０に与え、（１つまたは複数の）ＵＥアンテナ１４４０から受信されたパケットを復調するように構成されたモデムを含み得る。（１つまたは複数の）ＵＥトランシーバ１４３０は、いくつかの例では、１つまたは複数のＵＥ送信機および１つまたは複数の別個のＵＥ受信機として実装され得る。（１つまたは複数の）ＵＥトランシーバ１４３０は、専用無線周波数スペクトル帯域または共有無線周波数スペクトル帯域中での通信をサポートし得、図１１および図１２を参照しながら説明された受信機１１１０および／または送信機１１３０の態様の一例であり得る。（１つまたは複数の）ＵＥトランシーバ１４３０は、（１つまたは複数の）ＵＥアンテナ１４４０を介して、図１、図３〜図１０、および図１３を参照しながら説明された基地局１０５またはデバイス９０５のうちの１つまたは複数など、１つまたは複数の基地局または他のデバイスと双方向に通信するように構成され得る。ＵＥ１１５−ｐは単一のＵＥアンテナを含み得るが、ＵＥ１１５−ｐが複数のＵＥアンテナ１４４０を含み得る例があり得る。
【０１７３】
[0184]ＵＥワイヤレス通信マネージャ１１２０−ｂは、専用無線周波数スペクトル帯域または共有無線周波数スペクトル帯域上でのワイヤレス通信に関係する図１〜図８、図１１、および図１２を参照しながら説明されたＵＥまたはデバイスの特徴または機能の一部または全部を実行または制御するように構成され得る。ＵＥワイヤレス通信マネージャ１１２０−ｂは、専用無線周波数スペクトル帯域中でのＬＴＥ／ＬＴＥ−Ａ通信を扱うように構成された、専用ＲＦスペクトル帯域のためのＵＥ  ＬＴＥ／ＬＴＥ−Ａマネージャ１４６０、または共有無線周波数スペクトル帯域中でのＬＴＥ／ＬＴＥ−Ａ通信を扱うように構成された、共有ＲＦスペクトル帯域のためのＵＥ  ＬＴＥ／ＬＴＥ−Ａマネージャ１４６５を含み得る。ＵＥワイヤレス通信マネージャ１１２０−ｂ、またはそれの部分はプロセッサを含み得、あるいはＵＥワイヤレス通信マネージャ１１２０−ｂの機能の一部または全部は、ＵＥプロセッサ１４１０によって実行されるか、またはＵＥプロセッサ１４１０とともに実行され得る。いくつかの例では、ＵＥワイヤレス通信マネージャ１１２０−ｂは、図１１および図１２を参照しながら説明されたＵＥワイヤレス通信マネージャ１１２０の一例であり得る。
【０１７４】
[0185]図１５は、本開示の様々な態様による、共有無線周波数スペクトル帯域において増加された再使用係数を与えるためにオーバージエアシグナリングを使用することをサポートする基地局またはデバイスにおけるワイヤレス通信のための方法１５００の一例を示すフローチャートである。方法１５００は、図１、図３〜図１０、および図１３を参照しながら説明された基地局１０５またはデバイス９０５のうちの１つまたは複数の態様を含む基地局またはデバイスによって実行され得る。いくつかの例では、基地局またはデバイスは、以下で説明される機能を実行するように基地局またはデバイスの機能要素を制御するためのコードの１つまたは複数のセットを実行し得る。
【０１７５】
[0186]ブロック１５０５において、基地局は、図３〜図８を参照しながら説明されたように、共有無線周波数スペクトル帯域上で送信用チャネル予約を検出する。共有無線周波数スペクトル帯域は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１５０５における（１つまたは複数の）動作は、図９、図１０、および図１３を参照しながら説明された基地局ワイヤレス通信マネージャ９２０、または図９および図１０を参照しながら説明されたチャネル予約検出器９３５を使用して実行され得る。
【０１７６】
[0187]ブロック１５１０において、基地局は、図３〜図８を参照しながら説明されたように、送信用チャネル予約に少なくとも部分的に基づいて、共有無線周波数スペクトル帯域上で受信用チャネル予約信号が検出されたかどうかを決定し得る。ブロック１５１０における（１つまたは複数の）動作は、図９、図１０、および図１３を参照しながら説明された基地局ワイヤレス通信マネージャ９２０、または図９および図１０を参照しながら説明されたチャネル予約検出器９３５を使用して実行され得る。
【０１７７】
[0188]ブロック１５１５において、基地局は、図３〜図８を参照しながら説明されたように、決定することに少なくとも部分的に基づいて、ＵＥに、共有無線周波数スペクトル帯域上で通信を送信し得る。通信は、ダウンリンク送信に関連する許可前通信またはアップリンク送信に関連するアップリンクリソースの許可を含み得る。ブロック１５１５における（１つまたは複数の）動作は、図９、図１０、および図１３を参照しながら説明された基地局ワイヤレス通信マネージャ９２０、または図９および図１０を参照しながら説明された発信通信プロセッサ９４０を使用して実行され得る。
【０１７８】
[0189]したがって、方法１５００はワイヤレス通信を提供し得る。方法１５００は一実装形態にすぎないこと、および方法１５００の動作は、他の実装形態が可能であるように、並べ替えられるかまたは場合によっては変更され得ることに留意されたい。
【０１７９】
[0190]図１６は、本開示の様々な態様による、共有無線周波数スペクトル帯域において増加された再使用係数を与えるためにオーバージエアシグナリングを使用することをサポートする基地局またはデバイスにおけるワイヤレス通信のための方法１６００の一例を示すフローチャートである。方法１６００は、図１、図３〜図１０、および図１３を参照しながら説明された基地局１０５またはデバイス９０５のうちの１つまたは複数の態様を含む基地局またはデバイスによって実行され得る。いくつかの例では、基地局またはデバイスは、以下で説明される機能を実行するように基地局またはデバイスの機能要素を制御するためのコードの１つまたは複数のセットを実行し得る。
【０１８０】
[0191]ブロック１６０５において、第１の基地局は、図３〜図５を参照しながら説明されたように、共有無線周波数スペクトル帯域上で送信用チャネル予約を検出する。送信用チャネル予約は第２の基地局によって行われ得る。ブロック１６０５において、第１の基地局は、第２の基地局によって送信されたＣＴＳ−ｔｏ−ｓｅｌｆ信号または第２の基地局によって送信されたＰＦＦＩＣＨのうちの少なくとも１つを検出し得る。ブロック１６１０において、第１の基地局は、送信用チャネル予約に関連する予約時間が満了していないと決定し得る。共有無線周波数スペクトル帯域は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１６０５および１６１０における（１つまたは複数の）動作は、図９、図１０、および図１３を参照しながら説明された基地局ワイヤレス通信マネージャ９２０、または図９および図１０を参照しながら説明されたチャネル予約検出器９３５を使用して実行され得る。
【０１８１】
[0192]ブロック１６１５において、第１の基地局は、図３〜図５を参照しながら説明されたように、送信用チャネル予約に少なくとも部分的に基づいて、共有無線周波数スペクトル帯域上で受信用チャネル予約信号が検出されたかどうかを決定し得る。受信用チャネル予約信号（たとえば、ＣＴＳ）は第２のＵＥによって送信され得る。ブロック１６１５における（１つまたは複数の）動作は、図９、図１０、および図１３を参照しながら説明された基地局ワイヤレス通信マネージャ９２０、または図９および図１０を参照しながら説明されたチャネル予約検出器９３５を使用して実行され得る。
【０１８２】
[0193]ブロック１６２０において、第１の基地局は、受信用チャネル予約信号が検出されなかったと決定し得る。ブロック１６２０における（１つまたは複数の）動作は、図９、図１０、および図１３を参照しながら説明された基地局ワイヤレス通信マネージャ９２０、または図９および図１０を参照しながら説明されたチャネル予約検出器９３５を使用して実行され得る。
【０１８３】
[0194]ブロック１６２５において、第１の基地局は、図３〜図５を参照しながら説明されたように、決定することに少なくとも部分的に基づいて、第１のＵＥに、共有無線周波数スペクトル帯域上で通信を送信し得る。通信は、ダウンリンク送信に関連する許可前通信またはアップリンク送信に関連するアップリンクリソースの許可を含み得る。通信はＣＴＳ−ｔｏ−ｓｅｌｆ信号をも含み得る。いくつかの例では、ＣＴＳ−ｔｏ−ｓｅｌｆ信号は、許可前通信またはアップリンクリソースの許可の前に、あるいはその最初に送信され得る。ブロック１６２５における（１つまたは複数の）動作は、図９、図１０、および図１３を参照しながら説明された基地局ワイヤレス通信マネージャ９２０、または図９および図１０を参照しながら説明された発信通信プロセッサ９４０を使用して実行され得る。
【０１８４】
[0195]したがって、方法１６００はワイヤレス通信を提供し得る。方法１６００は一実装形態にすぎないこと、および方法１６００の動作は、他の実装形態が可能であるように、並べ替えられるかまたは場合によっては変更され得ることに留意されたい。
【０１８５】
[0196]図１７は、本開示の様々な態様による、共有無線周波数スペクトル帯域において増加された再使用係数を与えるためにオーバージエアシグナリングを使用することをサポートする基地局またはデバイスにおけるワイヤレス通信のための方法１７００の一例を示すフローチャートである。方法１７００は、図１、図３〜図１０、および図１３を参照しながら説明された基地局１０５またはデバイス９０５のうちの１つまたは複数の態様を含む基地局またはデバイスによって実行され得る。いくつかの例では、基地局またはデバイスは、以下で説明される機能を実行するように基地局またはデバイスの機能要素を制御するためのコードの１つまたは複数のセットを実行し得る。
【０１８６】
[0197]ブロック１７０５において、第１の基地局は、図６〜図８を参照しながら説明されたように、共有無線周波数スペクトル帯域上で送信用チャネル予約を検出する。送信用チャネル予約は第２のＵＥによって行われ得る。ブロック１７０５において、第１の基地局は、第２のＵＥによって送信されたＷｉ−Ｆｉプリアンブルを検出し得る。Ｗｉ−Ｆｉプリアンブルは、第２のＵＥから第２の基地局へのアップリンク送信の持続時間を示す長さフィールドを有し得る。
【０１８７】
[0198]ブロック１７１０において、第１の基地局は、送信用チャネル予約に関連する予約時間（たとえば、第２のＵＥから第２の基地局へのアップリンク送信の持続時間）が満了していないと決定し得る。共有無線周波数スペクトル帯域は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１７０５および１７１０における（１つまたは複数の）動作は、図９、図１０、および図１３を参照しながら説明された基地局ワイヤレス通信マネージャ９２０、または図９および図１０を参照しながら説明されたチャネル予約検出器９３５を使用して実行され得る。
【０１８８】
[0199]ブロック１７１５において、第１の基地局は、図６〜図８を参照しながら説明されたように、送信用チャネル予約に少なくとも部分的に基づいて、共有無線周波数スペクトル帯域上で受信用チャネル予約信号が検出されたかどうかを決定し得る。受信用チャネル予約信号（たとえば、ＣＴＳ−ｔｏ−ｓｅｌｆ信号）は第２の基地局によって送信され得る。ブロック１７１５における（１つまたは複数の）動作は、図９、図１０、および図１３を参照しながら説明された基地局ワイヤレス通信マネージャ９２０、または図９および図１０を参照しながら説明されたチャネル予約検出器９３５を使用して実行され得る。
【０１８９】
[0200]ブロック１７２０において、第１の基地局は、受信用チャネル予約信号が検出されなかったと決定し得る。ブロック１７２０における（１つまたは複数の）動作は、図９、図１０、および図１３を参照しながら説明された基地局ワイヤレス通信マネージャ９２０、または図９および図１０を参照しながら説明されたチャネル予約検出器９３５を使用して実行され得る。
【０１９０】
[0201]ブロック１７２５において、第１の基地局は、図６〜図８を参照しながら説明されたように、決定することに少なくとも部分的に基づいて、第１のＵＥに、共有無線周波数スペクトル帯域上で通信を送信し得る。通信は、ダウンリンク送信に関連する許可前通信またはアップリンク送信に関連するアップリンクリソースの許可を含み得る。通信はＣＴＳ−ｔｏ−ｓｅｌｆ信号をも含み得る。いくつかの例では、ＣＴＳ−ｔｏ−ｓｅｌｆ信号は、許可前通信またはアップリンクリソースの許可の前に、あるいはその最初に送信され得る。ブロック１７２５における（１つまたは複数の）動作は、図９、図１０、および図１３を参照しながら説明された基地局ワイヤレス通信マネージャ９２０、または図９および図１０を参照しながら説明された発信通信プロセッサ９４０を使用して実行され得る。
【０１９１】
[0202]方法１７００の代替実施形態では、送信用チャネル予約はＷｉ−Ｆｉ送信機によって行われ得、ブロック１７０５において、第１の基地局は、Ｗｉ−Ｆｉ送信機によって送信されたＲＴＳ信号を検出し得る。また、代替実施形態では、受信用チャネル予約信号は、Ｗｉ−Ｆｉ受信機によって送信され得、ＣＴＳ信号を含み得る。
【０１９２】
[0203]したがって、方法１７００はワイヤレス通信を提供し得る。方法１７００は一実装形態にすぎないこと、および方法１７００の動作は、他の実装形態が可能であるように、並べ替えられるかまたは場合によっては変更され得ることに留意されたい。
【０１９３】
[0204]図１８は、本開示の様々な態様による、共有無線周波数スペクトル帯域において増加された再使用係数を与えるためにオーバージエアシグナリングを使用することをサポートする基地局またはデバイスにおけるワイヤレス通信のための方法１８００の一例を示すフローチャートである。方法１８００は、図１、図３〜図１０、および図１３を参照しながら説明された基地局１０５またはデバイス９０５のうちの１つまたは複数の態様を含む基地局またはデバイスによって実行され得る。いくつかの例では、基地局またはデバイスは、以下で説明される機能を実行するように基地局またはデバイスの機能要素を制御するためのコードの１つまたは複数のセットを実行し得る。
【０１９４】
[0205]ブロック１８０５において、基地局は、図３、図５、図６、および図８を参照しながら説明されたように、共有無線周波数スペクトル帯域上で送信用チャネル予約を検出する。共有無線周波数スペクトル帯域は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１８０５における（１つまたは複数の）動作は、図９、図１０、および図１３を参照しながら説明された基地局ワイヤレス通信マネージャ９２０、または図９および図１０を参照しながら説明されたチャネル予約検出器９３５を使用して実行され得る。
【０１９５】
[0206]ブロック１８１０において、基地局は、図３、図５、図６、および図８を参照しながら説明されたように、送信用チャネル予約に少なくとも部分的に基づいて、共有無線周波数スペクトル帯域上で受信用チャネル予約信号が検出されたかどうかを決定し得る。ブロック１８１０における（１つまたは複数の）動作は、図９、図１０、および図１３を参照しながら説明された基地局ワイヤレス通信マネージャ９２０、または図９および図１０を参照しながら説明されたチャネル予約検出器９３５を使用して実行され得る。
【０１９６】
[0207]ブロック１８１５において、基地局は、受信用チャネル予約信号が検出されなかったと決定し得る。ブロック１８１５における（１つまたは複数の）動作は、図９、図１０、および図１３を参照しながら説明された基地局ワイヤレス通信マネージャ９２０、または図９および図１０を参照しながら説明されたチャネル予約検出器９３５を使用して実行され得る。
【０１９７】
[0208]ブロック１８２０において、基地局は、送信用チャネル予約に関連する干渉レベルがしきい値干渉レベルを下回ると決定し得る。ブロック１８２０における（１つまたは複数の）動作は、図９、図１０、および図１３を参照しながら説明された基地局ワイヤレス通信マネージャ９２０、または図１０を参照しながら説明された干渉決定器１００５を使用して実行され得る。
【０１９８】
[0209]ブロック１８２５において、基地局は、干渉レベルに少なくとも部分的に基づいて、アップリンクリソースの許可に関連するアップリンク送信中に第１のＵＥによって使用されるべきＭＣＳを識別し得る。ブロック１８２５における（１つまたは複数の）動作は、図９、図１０、および図１３を参照しながら説明された基地局ワイヤレス通信マネージャ９２０、または図１０を参照しながら説明されたＭＣＳ識別器１０１０を使用して実行され得る。
【０１９９】
[0210]ブロック１８３０において、基地局は、図３、図５、図６、および図８を参照しながら説明されたように、決定することに少なくとも部分的に基づいて、ＵＥに、共有無線周波数スペクトル帯域上で通信を送信し得る。通信は、アップリンク送信に関連するアップリンクリソースの許可と、ブロック１８２５において識別されたＭＣＳのインジケータとを含み得る。通信はＣＴＳ−ｔｏ−ｓｅｌｆ信号をも含み得る。いくつかの例では、ＣＴＳ−ｔｏ−ｓｅｌｆ信号は、許可前通信またはアップリンクリソースの許可の前に、あるいはその最初に送信され得る。ブロック１８３０における（１つまたは複数の）動作は、図９、図１０、および図１３を参照しながら説明された基地局ワイヤレス通信マネージャ９２０、または図９および図１０を参照しながら説明された発信通信プロセッサ９４０を使用して実行され得る。
【０２００】
[0211]したがって、方法１８００はワイヤレス通信を提供し得る。方法１８００は一実装形態にすぎないこと、および方法１８００の動作は、他の実装形態が可能であるように、並べ替えられるかまたは場合によっては変更され得ることに留意されたい。
【０２０１】
[0212]図１９は、本開示の様々な態様による、共有無線周波数スペクトル帯域において増加された再使用係数を与えるためにオーバージエアシグナリングを使用することをサポートする基地局またはデバイスにおけるワイヤレス通信のための方法１９００の一例を示すフローチャートである。方法１９００は、図１、図３〜図１０、および図１３を参照しながら説明された基地局１０５またはデバイス９０５のうちの１つまたは複数の態様を含む基地局またはデバイスによって実行され得る。いくつかの例では、基地局またはデバイスは、以下で説明される機能を実行するように基地局またはデバイスの機能要素を制御するためのコードの１つまたは複数のセットを実行し得る。
【０２０２】
[0213]ブロック１９０５において、基地局は、図３、図５、図６、および図８を参照しながら説明されたように、共有無線周波数スペクトル帯域上で送信用チャネル予約を検出する。共有無線周波数スペクトル帯域は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック１９０５における（１つまたは複数の）動作は、図９、図１０、および図１３を参照しながら説明された基地局ワイヤレス通信マネージャ９２０、または図９および図１０を参照しながら説明されたチャネル予約検出器９３５を使用して実行され得る。
【０２０３】
[0214]ブロック１９１０において、基地局は、図３、図５、図６、および図８を参照しながら説明されたように、送信用チャネル予約に少なくとも部分的に基づいて、共有無線周波数スペクトル帯域上で受信用チャネル予約信号が検出されたかどうかを決定し得る。ブロック１９１０における（１つまたは複数の）動作は、図９、図１０、および図１３を参照しながら説明された基地局ワイヤレス通信マネージャ９２０、または図９および図１０を参照しながら説明されたチャネル予約検出器９３５を使用して実行され得る。
【０２０４】
[0215]ブロック１９１５において、基地局は、受信用チャネル予約信号が検出されなかったと決定し得る。ブロック１９１５における（１つまたは複数の）動作は、図９、図１０、および図１３を参照しながら説明された基地局ワイヤレス通信マネージャ９２０、または図９および図１０を参照しながら説明されたチャネル予約検出器９３５を使用して実行され得る。
【０２０５】
[0216]ブロック１９２０において、基地局は、送信用チャネル予約の持続時間を決定し得る。ブロック１９２０における（１つまたは複数の）動作は、図９、図１０、および図１３を参照しながら説明された基地局ワイヤレス通信マネージャ９２０、または図９および図１０を参照しながら説明されたチャネル予約検出器９３５を使用して実行され得る。
【０２０６】
[0217]ブロック１９２５において、基地局は、ＵＥからのアップリンク送信のためのアップリンク送信持続時間を決定し得る。アップリンク送信持続時間は、アップリンク送信持続時間が、送信用チャネル予約の持続時間よりも短くなるように決定され得る。ブロック１９２５における（１つまたは複数の）動作は、図９、図１０、および図１３を参照しながら説明された基地局ワイヤレス通信マネージャ９２０、または図１０を参照しながら説明されたアップリンク送信持続時間決定器１０１５を使用して実行され得る。
【０２０７】
[0218]ブロック１９３０において、基地局は、図３、図５、図６、および図８を参照しながら説明されたように、決定することに少なくとも部分的に基づいて、ＵＥに、共有無線周波数スペクトル帯域上で通信を送信し得る。通信は、アップリンク送信に関連するアップリンクリソースの許可を含み得る。アップリンクリソースの許可は、次に（in turn）、ブロック１９２５において決定されたアップリンク送信持続時間の指示を含み得る。通信はＣＴＳ−ｔｏ−ｓｅｌｆ信号をも含み得る。いくつかの例では、ＣＴＳ−ｔｏ−ｓｅｌｆ信号は、許可前通信またはアップリンクリソースの許可の前に、あるいはその最初に送信され得る。ブロック１９３０における（１つまたは複数の）動作は、図９、図１０、および図１３を参照しながら説明された基地局ワイヤレス通信マネージャ９２０、または図９および図１０を参照しながら説明された発信通信プロセッサ９４０を使用して実行され得る。
【０２０８】
[0219]したがって、方法１９００はワイヤレス通信を提供し得る。方法１９００は一実装形態にすぎないこと、および方法１９００の動作は、他の実装形態が可能であるように、並べ替えられるかまたは場合によっては変更され得ることに留意されたい。
【０２０９】
[0220]いくつかの例では、図１５〜図１９を参照しながら説明された方法１５００、１６００、１７００、１８００、または１９００の態様が組み合わせられ得る。
【０２１０】
[0221]図２０は、本開示の様々な態様による、共有無線周波数スペクトル帯域において増加された再使用係数を与えるためにオーバージエアシグナリングを使用することをサポートする基地局またはデバイスにおけるワイヤレス通信のための方法２０００の一例を示すフローチャートである。方法２０００は、本開示の様々な態様による、図１、図３〜図８、図１１、図１２、および図１４を参照しながら説明されたＵＥ１１５またはデバイス１１１５のうちの１つまたは複数の態様を含むＵＥまたはデバイスによって実行され得る。いくつかの例では、ＵＥまたはデバイスは、以下で説明される機能を実行するようにＵＥまたはデバイスの機能要素を制御するためのコードの１つまたは複数のセットを実行し得る。
【０２１１】
[0222]ブロック２００５において、ＵＥは、図３〜図８を参照しながら説明されたように、基地局から共有無線周波数スペクトル帯域上で第１の通信を受信する。第１の通信は、ダウンリンク送信に関連する許可前通信またはアップリンク送信に関連するアップリンクリソースの許可を含み得る。共有無線周波数スペクトル帯域は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック２００５における（１つまたは複数の）動作は、図１１、図１２、および図１４を参照しながら説明されたＵＥワイヤレス通信マネージャ１１２０、または図１１および図１２を参照しながら説明された着信通信プロセッサ１１３５を使用して実行され得る。
【０２１２】
[0223]ブロック２０１０において、ＵＥは、図３〜図８を参照しながら説明されたように、第１の通信を受信することに少なくとも部分的に基づいて、共有無線周波数スペクトル帯域上でチャネル予約信号が検出されたかどうかを決定し得る。ブロック２０１０における（１つまたは複数の）動作は、図１１、図１２、および図１４を参照しながら説明されたＵＥワイヤレス通信マネージャ１１２０、または図１１および図１２を参照しながら説明されたスペクトル共有評価器１１４０を使用して実行され得る。
【０２１３】
[0224]ブロック２０１５において、ＵＥは、図３〜図８を参照しながら説明されたように、ブロック２０１０における決定することに少なくとも部分的に基づいて、基地局に、共有無線周波数スペクトル帯域上で第２の通信を送信し得る。第２の通信は、アップリンク送信またはダウンリンク送信の承認を含み得る。ブロック２０１５における（１つまたは複数の）動作は、図１１、図１２、および図１４を参照しながら説明されたＵＥワイヤレス通信マネージャ１１２０、または図１１および図１２を参照しながら説明された発信通信プロセッサ１１４５を使用して実行され得る。
【０２１４】
[0225]したがって、方法２０００はワイヤレス通信を提供し得る。方法２０００は一実装形態にすぎないこと、および方法２０００の動作は、他の実装形態が可能であるように、並べ替えられるかまたは場合によっては変更され得ることに留意されたい。
【０２１５】
[0226]図２１は、本開示の様々な態様による、共有無線周波数スペクトル帯域において増加された再使用係数を与えるためにオーバージエアシグナリングを使用することをサポートする基地局またはデバイスにおけるワイヤレス通信のための方法２１００の一例を示すフローチャートである。方法２１００は、本開示の様々な態様による、図１、図３〜図８、図１１、図１２、および図１４を参照しながら説明されたＵＥ１１５またはデバイス１１１５のうちの１つまたは複数の態様を含むＵＥまたはデバイスによって実行され得る。いくつかの例では、ＵＥまたはデバイスは、以下で説明される機能を実行するようにＵＥまたはデバイスの機能要素を制御するためのコードの１つまたは複数のセットを実行し得る。
【０２１６】
[0227]ブロック２１０５において、第１のＵＥは、図３および図４を参照しながら説明されたように、第１の基地局から、共有無線周波数スペクトル帯域上で、ダウンリンク送信に関連する許可前通信を受信し得る。共有無線周波数スペクトル帯域は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック２１０５における（１つまたは複数の）動作は、図１１、図１２、および図１４を参照しながら説明されたＵＥワイヤレス通信マネージャ１１２０、または図１１および図１２を参照しながら説明された着信通信プロセッサ１１３５を使用して実行され得る。
【０２１７】
[0228]ブロック２１１０において、第１のＵＥは、図３および図４を参照しながら説明されたように、許可前通信を受信したことに少なくとも部分的に基づいて、共有無線周波数スペクトル帯域上で、第２の基地局によって送信された送信用チャネル予約信号が検出されたかどうかを決定し得る。ブロック２１１０における（１つまたは複数の）動作は、図１１、図１２、および図１４を参照しながら説明されたＵＥワイヤレス通信マネージャ１１２０、図１１および図１２を参照しながら説明されたスペクトル共有評価器１１４０、または図１２を参照しながら説明されたＤＬ中ＤＬ評価器１２０５を使用して実行され得る。
【０２１８】
[0229]ブロック２１１０において行われた決定の結果に応じて、方法２１００は、ブロック２１１５、２１２５、２１３５、または２１５０において続き得る。ブロック２１１５において、第１のＵＥは、送信用チャネル予約信号が検出され、満了しておらず、しきい値干渉レベルを上回ると決定し得る。ブロック２１２０において、およびブロック２１１５における決定に少なくとも部分的に基づいて、第１のＵＥは、第１の基地局から受信された許可前通信に肯定応答しないことを決定し得る。
【０２１９】
[0230]図３および図４を参照しながら説明されたように、ブロック２１２５において、第１のＵＥは、送信用チャネル予約信号が検出されなかったと決定し、ブロック２１３０において、第１のＵＥは、送信用チャネル予約信号を検出しなかったことに少なくとも部分的に基づいて、第１の基地局に、共有無線周波数スペクトル帯域上で第２の通信を送信し得る。第２の通信は、受信用チャネル予約信号とダウンリンク送信の承認とを含み得る。
【０２２０】
[0231]ブロック２１３５において、第１のＵＥは、送信用チャネル予約信号が検出されたと決定し得る。ブロック２１４０において、第１のＵＥは、送信用チャネル予約信号に関連する予約時間が満了したと決定し得る。ブロック２１４５において、第１のＵＥは、図３および図４を参照しながら説明されたように、予約時間が満了していることに少なくとも部分的に基づいて、第２の通信を送信し得る。
【０２２１】
[0232]ブロック２１５０において、第１のＵＥは、送信用チャネル予約信号が検出されたと決定し得る。ブロック２１５５において、第１のＵＥは、送信用チャネル予約信号に関連する干渉レベルがしきい値干渉レベルを下回ると決定し得る。ブロック２１６０において、第１のＵＥは、ダウンリンク送信のＭＣＳを調整するために、干渉レベルに少なくとも部分的に基づいて、ＣＱＩフィードバックをコンパイルし得る。ブロック２１６５において、第１のＵＥは、図３および図４を参照しながら説明されたように、干渉レベルが第２のしきい値干渉レベルを下回ることに少なくとも部分的に基づいて、第２の通信を送信し得る。第２の通信はＣＱＩフィードバックを含み得る。
【０２２２】
[0233]ブロック２１１５、２１２０、２１２５、２１３０、２１３５、２１４０、２１４５、２１５０、２１５５、２１６０、および２１６５における（１つまたは複数の）動作は、図１１、図１２、および図１４を参照しながら説明されたＵＥワイヤレス通信マネージャ１１２０、図１１および図１２を参照しながら説明されたスペクトル共有評価器１１４０または発信通信プロセッサ１１４５、あるいは図１２を参照しながら説明されたＤＬ中ＵＬ評価器１２０５またはＤＬ中ＵＬ通信マネージャ１２２５を使用して実行され得る。
【０２２３】
[0234]（たとえば、ブロック２１３０、２１４５、または２１６５に続く）ブロック２１７０において、第１のＵＥは、第１の基地局から、共有無線周波数スペクトル帯域上でダウンリンク送信を受信し得る。ダウンリンク送信は、第２の通信を送信することの後に（またはそれに応答して）受信され得る。
【０２２４】
[0235]いくつかの例では、送信用チャネル予約信号はＣＴＳ−ｔｏ−ｓｅｌｆ信号を含み得、受信用チャネル予約信号はＣＴＳ信号を含み得、ダウンリンク送信の承認は許可前ＡＣＫ信号を含み得る。
【０２２５】
[0236]したがって、方法２１００はワイヤレス通信を提供し得る。方法２１００は一実装形態にすぎないこと、および方法２１００の動作は、他の実装形態が可能であるように、並べ替えられるかまたは場合によっては変更され得ることに留意されたい。
【０２２６】
[0237]図２２は、本開示の様々な態様による、共有無線周波数スペクトル帯域において増加された再使用係数を与えるためにオーバージエアシグナリングを使用することをサポートする基地局またはデバイスにおけるワイヤレス通信のための方法２２００の一例を示すフローチャートである。方法２２００は、本開示の様々な態様による、図１、図３〜図８、図１１、図１２、および図１４を参照しながら説明されたＵＥ１１５またはデバイス１１１５のうちの１つまたは複数の態様を含むＵＥまたはデバイスによって実行され得る。いくつかの例では、ＵＥまたはデバイスは、以下で説明される機能を実行するようにＵＥまたはデバイスの機能要素を制御するためのコードの１つまたは複数のセットを実行し得る。
【０２２７】
[0238]ブロック２２０５において、第１のＵＥは、図３および図５を参照しながら説明されたように、第１の基地局から、共有無線周波数スペクトル帯域上で、アップリンク送信に関連するアップリンクリソースの許可を受信する。共有無線周波数スペクトル帯域は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック２２０５における（１つまたは複数の）動作は、図１１、図１２、および図１４を参照しながら説明されたＵＥワイヤレス通信マネージャ１１２０、または図１１および図１２を参照しながら説明された着信通信プロセッサ１１３５を使用して実行され得る。
【０２２８】
[0239]ブロック２２１０において、第１のＵＥは、図３および図５を参照しながら説明されたように、アップリンクリソースの許可を受信したことに少なくとも部分的に基づいて、共有無線周波数スペクトル帯域上で、第２のＵＥによって送信された受信用チャネル予約信号が検出されたかどうかを決定し得る。ブロック２２１０における（１つまたは複数の）動作は、図１１、図１２、および図１４を参照しながら説明されたＵＥワイヤレス通信マネージャ１１２０、図１１および図１２を参照しながら説明されたスペクトル共有評価器１１４０、または図１２を参照しながら説明されたＤＬ中ＵＬ評価器１２１０を使用して実行され得る。
【０２２９】
[0240]ブロック２２１０において行われた決定の結果に応じて、方法２２００は、ブロック２２１５、２２２５、または２２３５において続き得る。ブロック２２１５において、第１のＵＥは、受信用チャネル予約信号が検出され、満了していないと決定し得る。ブロック２２２０において、およびブロック２２１５における決定に少なくとも部分的に基づいて、第１のＵＥは、アップリンク送信を第１の基地局に送信しないことを決定し得る。
【０２３０】
[0241]図３および図５を参照しながら説明されたように、ブロック２２２５において、第１のＵＥは、受信用チャネル予約信号が検出されなかったと決定し、ブロック２２３０において、第１のＵＥは、受信用チャネル予約信号を検出しなかったことに少なくとも部分的に基づいて、第１の基地局に、共有無線周波数スペクトル帯域上で第２の通信を送信し得る。第２の通信は、送信用チャネル予約信号とアップリンク送信とを含み得る。
【０２３１】
[0242]ブロック２２３５において、第１のＵＥは、受信用チャネル予約信号が検出されたと決定し得る。ブロック２２４０において、第１のＵＥは、受信用チャネル予約信号に関連する予約時間が満了したと決定し得る。ブロック２２４５において、第１のＵＥは、図３および図５を参照しながら説明されたように、予約時間が満了していることに少なくとも部分的に基づいて、第２の通信を送信し得る。
【０２３２】
[0243]ブロック２２１５、２２２０、２２２５、２２３０、２２３５、２２４０、および２２４５における（１つまたは複数の）動作は、図１１、図１２、および図１４を参照しながら説明されたＵＥワイヤレス通信マネージャ１１２０、図１１および図１２を参照しながら説明されたスペクトル共有評価器１１４０または発信通信プロセッサ１１４５、あるいは図１２を参照しながら説明されたＤＬ中ＵＬ評価器１２１０またはＤＬ中ＵＬ通信マネージャ１２３０を使用して実行され得る。
【０２３３】
[0244]いくつかの例では、受信用チャネル予約信号はＣＴＳ信号を含み得、送信用チャネル予約信号は、アップリンク送信の持続時間を示す長さフィールドを有するＷｉ−Ｆｉプリアンブルを含み得る。
【０２３４】
[0245]したがって、方法２２００はワイヤレス通信を提供し得る。方法２２００は一実装形態にすぎないこと、および方法２２００の動作は、他の実装形態が可能であるように、並べ替えられるかまたは場合によっては変更され得ることに留意されたい。
【０２３５】
[0246]図２３は、本開示の様々な態様による、共有無線周波数スペクトル帯域において増加された再使用係数を与えるためにオーバージエアシグナリングを使用することをサポートする基地局またはデバイスにおけるワイヤレス通信のための方法２３００の一例を示すフローチャートである。方法２３００は、本開示の様々な態様による、図１、図３〜図８、図１１、図１２、および図１４を参照しながら説明されたＵＥ１１５またはデバイス１１１５のうちの１つまたは複数の態様を含むＵＥまたはデバイスによって実行され得る。いくつかの例では、ＵＥまたはデバイスは、以下で説明される機能を実行するようにＵＥまたはデバイスの機能要素を制御するためのコードの１つまたは複数のセットを実行し得る。
【０２３６】
[0247]ブロック２３０５において、第１のＵＥは、図６〜図７を参照しながら説明されたように、第１の基地局から共有無線周波数スペクトル帯域上でダウンリンク送信に関連する許可前通信を受信する。共有無線周波数スペクトル帯域は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック２３０５における（１つまたは複数の）動作は、図１１、図１２、および図１４を参照しながら説明されたＵＥワイヤレス通信マネージャ１１２０、または図１１および図１２を参照しながら説明された着信通信プロセッサ１１３５を使用して実行され得る。
【０２３７】
[0248]ブロック２３１０において、第１のＵＥは、図６〜図７を参照しながら説明されたように、許可前通信を受信したことに少なくとも部分的に基づいて、共有無線周波数スペクトル帯域上で、第２のＵＥまたはＷｉ−Ｆｉ送信機によって送信された送信用チャネル予約信号が検出されたかどうかを決定し得る。ブロック２３１０における（１つまたは複数の）動作は、図１１、図１２、および図１４を参照しながら説明されたＵＥワイヤレス通信マネージャ１１２０、図１１および図１２を参照しながら説明されたスペクトル共有評価器１１４０、または図１２を参照しながら説明されたＵＬ中ＤＬ評価器１２１５を使用して実行され得る。
【０２３８】
[0249]ブロック２３１０において行われた決定の結果に応じて、方法２３００は、ブロック２３１５、２３２５、２３３５、または２３５０において続き得る。ブロック２３１５において、第１のＵＥは、送信用チャネル予約信号が検出され、満了しておらず、しきい値干渉レベルを上回ると決定し得る。ブロック２３２０において、およびブロック２３１５における決定に少なくとも部分的に基づいて、第１のＵＥは、第１の基地局から受信された許可前通信に肯定応答しないことを決定し得る。
【０２３９】
[0250]図６〜図７を参照しながら説明されたように、ブロック２３２５において、第１のＵＥは、送信用チャネル予約信号が検出されなかったと決定し、ブロック２３３０において、第１のＵＥは、送信用チャネル予約信号を検出しなかったことに少なくとも部分的に基づいて、第１の基地局に、共有無線周波数スペクトル帯域上で第２の通信を送信し得る。第２の通信は、受信用チャネル予約信号とダウンリンク送信の承認とを含み得る。
【０２４０】
[0251]ブロック２３３５において、第１のＵＥは、送信用チャネル予約信号が検出されたと決定し得る。ブロック２３４０において、第１のＵＥは、送信用チャネル予約信号に関連する予約時間が満了したと決定し得る。ブロック２３４５において、第１のＵＥは、図６〜図７を参照しながら説明されたように、予約時間が満了していることに少なくとも部分的に基づいて、第２の通信を送信し得る。
【０２４１】
[0252]ブロック２３５０において、第１のＵＥは、送信用チャネル予約信号が検出されたと決定し得る。ブロック２３５５において、第１のＵＥは、送信用チャネル予約信号に関連する干渉レベルがしきい値干渉レベルを下回ると決定し得る。ブロック２３６０において、第１のＵＥは、ダウンリンク送信のＭＣＳを調整するために、干渉レベルに少なくとも部分的に基づいて、ＣＱＩフィードバックをコンパイルする。ブロック２３６５において、第１のＵＥは、図６〜図７を参照しながら説明されたように、干渉レベルが第２のしきい値干渉レベルを下回ることに少なくとも部分的に基づいて、第２の通信を送信し得る。第２の通信はＣＱＩフィードバックを含み得る。
【０２４２】
[0253]ブロック２３１５、２３２０、２３２５、２３３０、２３３５、２３４０、２３４５、２３５０、２３５５、２３６０、および２３６５における（１つまたは複数の）動作は、図１１、図１２、および図１４を参照しながら説明されたＵＥワイヤレス通信マネージャ１１２０、図１１および図１２を参照しながら説明されたスペクトル共有評価器１１４０または発信通信プロセッサ１１４５、あるいは図１２を参照しながら説明されたＵＬ中ＤＬ評価器１２１５またはＵＬ中ＤＬ通信マネージャ１２３５を使用して実行され得る。
【０２４３】
[0254]（たとえば、ブロック２３３０、２３４５、または２３６５に続く）ブロック２３７０において、第１のＵＥは、第１の基地局から、共有無線周波数スペクトル帯域上でダウンリンク送信を受信する。ダウンリンク送信は、第２の通信を送信することの後に（またはそれに応答して）受信され得る。
【０２４４】
[0255]いくつかの例では、送信用チャネル予約信号はＷｉ−ＦｉプリアンブルまたはＲＴＳ信号のうちの少なくとも１つを含み得、受信用チャネル予約信号はＣＴＳ信号を含み得、ダウンリンク送信の承認は許可前ＡＣＫ信号を含み得る。
【０２４５】
[0256]したがって、方法２３００はワイヤレス通信を提供し得る。方法２３００は一実装形態にすぎないこと、および方法２３００の動作は、他の実装形態が可能であるように、並べ替えられるかまたは場合によっては変更され得ることに留意されたい。
【０２４６】
[0257]図２４は、本開示の様々な態様による、共有無線周波数スペクトル帯域において増加された再使用係数を与えるためにオーバージエアシグナリングを使用することをサポートする基地局またはデバイスにおけるワイヤレス通信のための方法２４００の一例を示すフローチャートである。方法２４００は、本開示の様々な態様による、図１、図３〜図８、図１１、図１２、および図１４を参照しながら説明されたＵＥ１１５またはデバイス１１１５のうちの１つまたは複数の態様を含むＵＥまたはデバイスによって実行され得る。いくつかの例では、ＵＥまたはデバイスは、以下で説明される機能を実行するようにＵＥまたはデバイスの機能要素を制御するためのコードの１つまたは複数のセットを実行し得る。
【０２４７】
[0258]ブロック２４０５において、第１のＵＥは、図６および図８を参照しながら説明されたように、第１の基地局から共有無線周波数スペクトル帯域上でアップリンク送信に関連するアップリンクリソースの許可を受信する。共有無線周波数スペクトル帯域は、送信デバイスがそれのためにアクセスを求めて競合する必要があり得る、無線周波数スペクトル帯域（たとえば、Ｗｉ−Ｆｉ使用など、無認可使用のために利用可能である無線周波数スペクトル帯域、あるいは等しく共有されるかまたは優先度を付けられた様式で複数の事業者が使用するために利用可能である無線周波数スペクトル帯域）を含み得る。ブロック２４０５における（１つまたは複数の）動作は、図１１、図１２、および図１４を参照しながら説明されたＵＥワイヤレス通信マネージャ１１２０、または図１１および図１２を参照しながら説明された着信通信プロセッサ１１３５を使用して実行され得る。
【０２４８】
[0259]ブロック２４１０において、第１のＵＥは、図６および図８を参照しながら説明されたように、アップリンクリソースの許可を受信したことに少なくとも部分的に基づいて、共有無線周波数スペクトル帯域上で、第２の基地局またはＷｉ−Ｆｉ受信機によって送信された受信用チャネル予約信号が検出されたかどうかを決定し得る。ブロック２４１０における（１つまたは複数の）動作は、図１１、図１２、および図１４を参照しながら説明されたＵＥワイヤレス通信マネージャ１１２０、図１１および図１２を参照しながら説明されたスペクトル共有評価器１１４０、または図１２を参照しながら説明されたＵＬ中ＵＬ評価器１２２０を使用して実行され得る。
【０２４９】
[0260]ブロック２４１０において行われた決定の結果に応じて、方法２４００は、ブロック２４１５、２４２５、または２４３５において続き得る。ブロック２４１５において、第１のＵＥは、受信用チャネル予約信号が検出され、満了していないと決定し得る。ブロック２４２０において、およびブロック２４１５における決定に少なくとも部分的に基づいて、第１のＵＥは、アップリンク送信を第１の基地局に送信しないことを決定し得る。
【０２５０】
[0261]図６および図８を参照しながら説明されたように、ブロック２４２５において、第１のＵＥは、受信用チャネル予約信号が検出されなかったと決定し、ブロック２４３０において、第１のＵＥは、受信用チャネル予約信号を検出しなかったことに少なくとも部分的に基づいて、第１の基地局に、共有無線周波数スペクトル帯域上で第２の通信を送信し得る。第２の通信は、送信用チャネル予約信号とアップリンク送信とを含み得る。
【０２５１】
[0262]ブロック２４３５において、第１のＵＥは、受信用チャネル予約信号が検出されたと決定し得る。ブロック２４４０において、第１のＵＥは、受信用チャネル予約信号に関連する予約時間が満了したと決定し得る。ブロック２４４５において、第１のＵＥは、図６および図８を参照しながら説明されたように、予約時間が満了していることに少なくとも部分的に基づいて、第２の通信を送信し得る。
【０２５２】
[0263]ブロック２４１５、２４２０、２４２５、２４３０、２４３５、２４４０、および２４４５における（１つまたは複数の）動作は、図１１、図１２、および図１４を参照しながら説明されたＵＥワイヤレス通信マネージャ１１２０、図１１および図１２を参照しながら説明されたスペクトル共有評価器１１４０または発信通信プロセッサ１１４５、あるいは図１２を参照しながら説明されたＵＬ中ＵＬ評価器１２２０またはＵＬ中ＵＬ通信マネージャ１２４０を使用して実行され得る。
【０２５３】
[0264]いくつかの例では、受信用チャネル予約信号はＣＴＳ−ｔｏ−ｓｅｌｆ信号またはＣＴＳ信号を含み得、送信用チャネル予約信号は、アップリンク送信の持続時間を示す長さフィールドを有するＷｉ−Ｆｉプリアンブルを含み得る。
【０２５４】
[0265]したがって、方法２４００はワイヤレス通信を提供し得る。方法２４００は一実装形態にすぎないこと、および方法２４００の動作は、他の実装形態が可能であるように、並べ替えられるかまたは場合によっては変更され得ることに留意されたい。
【０２５５】
[0266]いくつかの例では、図２０〜図２４を参照しながら説明された方法２０００、２１００、２２００、２３００、または２４００の態様が組み合わせられ得る。
【０２５６】
[0267]添付の図面に関して上記に記載された詳細な説明は、例について説明しており、実装され得るまたは特許請求の範囲内に入る例のみを表すものではない。「例」および「例示的」という語は、この説明で使用されるとき、「例、事例、または例示の働きをすること」を意味し、「好ましい」または「他の例よりも有利な」を意味しない。詳細な説明は、説明された技法の理解を与えるための具体的な詳細を含む。ただし、これらの技法は、これらの具体的な詳細なしに実施され得る。いくつかの事例では、説明された例の概念を不明瞭にすることを回避するために、よく知られている構造および装置がブロック図の形式で示されている。
【０２５７】
[0268]本明細書で使用される「に基づいて」という句は、条件の閉集合への参照として解釈されないものとする。たとえば、「条件Ａに基づいて」と記述された例示的なステップは、本開示の範囲から逸脱することなく条件Ａと条件Ｂの両方に基づき得る。言い換えれば、本明細書で使用される「に基づいて」という句は、「に少なくとも部分的に基づいて」という句と同様にして解釈されるものとする。
【０２５８】
[0269]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２５９】
[0270]本明細書の開示に関して説明された様々な例示的なブロックおよびモジュールは、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０２６０】
[0271]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとして、コンピュータ可読媒体上に記憶されるか、またはコンピュータ可読媒体を介して送信され得る。他の例および実装形態が、本開示および添付の特許請求の範囲の範囲および趣旨内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の部分が、異なる物理的ロケーションにおいて実装されるように分散されることを含めて、様々な位置に物理的に配置され得る。特許請求の範囲を含めて、本明細書で使用される場合、２つ以上の項目の列挙中で使用されるとき、「および／または」という用語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（たとえば、「のうちの少なくとも１つ」あるいは「のうちの１つまたは複数」などの句で終わる項目の列挙）中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような選言的列挙を示す。
【０２６１】
[0272]コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれる。
【０２６２】
[0273]本開示についての以上の説明は、当業者が本開示を作成または使用することができるように与えられた。本開示への様々な変更は当業者には容易に明らかになり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示された原理および新規の特徴に合致する最も広い範囲を与えられるべきである。
以下に本願の出願当初の特許請求の範囲に記載された発明を付記する。
[Ｃ１]  第１のユーザ機器（ＵＥ）において、第１の基地局から、共有無線周波数スペクトル帯域上で第１の通信を受信することと、前記第１の通信が、ダウンリンク送信に関連する許可前通信またはアップリンク送信に関連するアップリンクリソースの許可を備える、
前記第１の通信を受信することに少なくとも部分的に基づいて、前記共有無線周波数スペクトル帯域上でチャネル予約信号が検出されたかどうかを決定することと、
前記決定することに少なくとも部分的に基づいて、前記第１の基地局に、前記共有無線周波数スペクトル帯域上で第２の通信を送信することと、前記第２の通信が前記アップリンク送信または前記ダウンリンク送信の承認を備える、
を備える、ワイヤレス通信の方法。
[Ｃ２]  前記第１の通信が前記許可前通信を備え、前記チャネル予約信号が、第２の基地局によって送信された送信用チャネル予約信号を備え、前記第２の通信が、受信用チャネル予約信号と前記ダウンリンク送信の前記承認とを備える、Ｃ１に記載の方法。
[Ｃ３]  前記送信用チャネル予約信号が自己への送信可（ＣＴＳ）信号を備え、前記受信用チャネル予約信号がＣＴＳ信号を備え、前記ダウンリンク送信の前記承認が許可前肯定応答（ＡＣＫ）信号を備える、Ｃ２に記載の方法。
[Ｃ４]  前記送信用チャネル予約信号が検出されなかったと決定することと、
前記送信用チャネル予約信号を検出しなかったことに少なくとも部分的に基づいて前記第２の通信を送信することと
をさらに備える、Ｃ２に記載の方法。
[Ｃ５]  前記送信用チャネル予約信号が検出されたと決定することと、
前記送信用チャネル予約信号に関連する予約時間が満了したと決定することと、
前記予約時間が満了していることに少なくとも部分的に基づいて、前記第２の通信を送信することと
をさらに備える、Ｃ２に記載の方法。
[Ｃ６]  前記送信用チャネル予約信号が検出されたと決定することと、
前記送信用チャネル予約信号に関連する干渉レベルがしきい値干渉レベルを下回ると決定することと、
前記ダウンリンク送信の変調およびコーディング方式（ＭＣＳ）を調整するために、前記干渉レベルに少なくとも部分的に基づいて、チャネル品質インジケータ（ＣＱＩ）フィードバックをコンパイルすることと、
前記干渉レベルが前記しきい値干渉レベルを下回ることに少なくとも部分的に基づいて、前記第２の通信を送信することと、前記第２の通信が前記ＣＱＩフィードバックをさらに備える、
をさらに備える、Ｃ２に記載の方法。
[Ｃ７]  前記第２の通信を送信することの後に、前記共有無線周波数スペクトル帯域上で前記ダウンリンク送信を前記第１の基地局から受信すること
をさらに備える、Ｃ２に記載の方法。
[Ｃ８]  前記第１の通信がアップリンクリソースの前記許可を備え、前記チャネル予約信号が、第２のＵＥによって送信された受信用チャネル予約信号を備え、前記第２の通信が、送信用チャネル予約信号と前記アップリンク送信とを備える、Ｃ１に記載の方法。
[Ｃ９]  前記受信用チャネル予約信号がＣＴＳ信号を備え、前記送信用チャネル予約信号が、前記アップリンク送信の持続時間を示す長さフィールドを有するＷｉ−Ｆｉプリアンブルを備える、Ｃ８に記載の方法。
[Ｃ１０]  前記受信用チャネル予約信号が検出されなかったと決定することと、
前記受信用チャネル予約信号を検出しなかったことに少なくとも部分的に基づいて前記第２の通信を送信することと
をさらに備える、Ｃ８に記載の方法。
[Ｃ１１]  前記受信用チャネル予約信号が検出されたと決定することと、
前記受信用チャネル予約信号に関連する予約時間が満了したと決定することと、
前記予約時間が満了していることに少なくとも部分的に基づいて、前記第２の通信を送信することと
をさらに備える、Ｃ８に記載の方法。
[Ｃ１２]  前記第１の通信が前記許可前通信を備え、前記チャネル予約信号が、第２のＵＥまたはＷｉ−Ｆｉ送信機によって送信された送信用チャネル予約信号を備え、前記第２の通信が、受信用チャネル予約信号と前記ダウンリンク送信の前記承認とを備える、Ｃ１に記載の方法。
[Ｃ１３]  前記送信用チャネル予約信号がＷｉ−Ｆｉプリアンブルまたは送信要求（ＲＴＳ）信号のうちの少なくとも１つを備え、前記受信用チャネル予約信号が送信可（ＣＴＳ）信号を備え、前記ダウンリンク送信の前記承認が許可前肯定応答（ＡＣＫ）信号を備える、Ｃ１２に記載の方法。
[Ｃ１４]  前記送信用チャネル予約信号が検出されなかったと決定することと、
前記送信用チャネル予約信号を検出しなかったことに少なくとも部分的に基づいて前記第２の通信を送信することと
をさらに備える、Ｃ１２に記載の方法。
[Ｃ１５]  前記送信用チャネル予約信号が検出されたと決定することと、
前記送信用チャネル予約信号に関連する予約時間が満了したと決定することと、
前記予約時間が満了していることに少なくとも部分的に基づいて、前記第２の通信を送信することと
をさらに備える、Ｃ１２に記載の方法。
[Ｃ１６]  前記送信用チャネル予約信号が検出されたと決定することと、
前記送信用チャネル予約信号に関連する干渉レベルがしきい値干渉レベルを下回ると決定することと、
前記ダウンリンク送信の変調およびコーディング方式（ＭＣＳ）を調整するために、前記干渉レベルに少なくとも部分的に基づいて、ＣＱＩフィードバックをコンパイルすることと、
前記干渉レベルが前記しきい値干渉レベルを下回ることに少なくとも部分的に基づいて、前記第２の通信を送信することと、前記第２の通信が前記ＣＱＩフィードバックをさらに備える、
をさらに備える、Ｃ１２に記載の方法。
[Ｃ１７]  前記第２の通信を送信することの後に、前記共有無線周波数スペクトル帯域上で前記ダウンリンク送信を前記第１の基地局から受信すること
をさらに備える、Ｃ１２に記載の方法。
[Ｃ１８]  前記第１の通信がアップリンクリソースの前記許可を備え、前記チャネル予約信号が、第２の基地局またはＷｉ−Ｆｉ受信機によって送信された受信用チャネル予約信号を備え、前記第２の通信が、送信用チャネル予約信号と前記アップリンク送信とを備える、Ｃ１に記載の方法。
[Ｃ１９]  前記受信用チャネル予約信号がＣＴＳ−ｔｏ−ｓｅｌｆ信号またはＣＴＳ信号を備え、前記送信用チャネル予約信号が、前記アップリンク送信の持続時間を示す長さフィールドを有するＷｉ−Ｆｉプリアンブルを備える、Ｃ１８に記載の方法。
[Ｃ２０]  前記受信用チャネル予約信号が検出されなかったと決定することと、
前記受信用チャネル予約信号を検出しなかったことに少なくとも部分的に基づいて前記第２の通信を送信することと
をさらに備える、Ｃ１８に記載の方法。
[Ｃ２１]  前記受信用チャネル予約信号が検出されたと決定することと、
前記受信用チャネル予約信号に関連する予約時間が満了したと決定することと、
前記予約時間が満了していることに少なくとも部分的に基づいて、前記第２の通信を送信することと
をさらに備える、Ｃ１８に記載の方法。
[Ｃ２２]  第１のユーザ機器（ＵＥ）において、第１の基地局から、共有無線周波数スペクトル帯域上で第１の通信を受信するための手段と、前記第１の通信が、ダウンリンク送信に関連する許可前通信またはアップリンク送信に関連するアップリンクリソースの許可を備える、
前記第１の通信を受信することに少なくとも部分的に基づいて、前記共有無線周波数スペクトル帯域上でチャネル予約信号が検出されたかどうかを決定するための手段と、
前記決定することに少なくとも部分的に基づいて、前記第１の基地局に、前記共有無線周波数スペクトル帯域上で第２の通信を送信するための手段と、前記第２の通信が前記アップリンク送信または前記ダウンリンク送信の承認を備える、
を備える、ワイヤレス通信のための装置。
[Ｃ２３]  第１の基地局において、共有無線周波数スペクトル帯域上で送信用チャネル予約を検出することと、
前記送信用チャネル予約に少なくとも部分的に基づいて、前記共有無線周波数スペクトル帯域上で受信用チャネル予約信号が検出されたかどうかを決定することと、
前記決定することに少なくとも部分的に基づいて、第１のユーザ機器（ＵＥ）に、前記共有無線周波数スペクトル帯域上で通信を送信することと、前記通信が、ダウンリンク送信に関連する許可前通信またはアップリンク送信に関連するアップリンクリソースの許可を備える、
を備える、ワイヤレス通信の方法。
[Ｃ２４]  前記受信用チャネル予約信号が検出されなかったと決定することと、
前記受信用チャネル予約信号を検出しなかったことに少なくとも部分的に基づいて前記通信を送信することと
をさらに備える、Ｃ２３に記載の方法。
[Ｃ２５]  前記送信用チャネル予約が第２の基地局によって行われ、前記受信用チャネル予約信号が第２のＵＥによって送信される、Ｃ２３に記載の方法。
[Ｃ２６]  前記送信用チャネル予約が第２のＵＥによって行われ、前記受信用チャネル予約信号が第２の基地局によって送信される、Ｃ２３に記載の方法。
[Ｃ２７]  前記送信用チャネル予約がＷｉ−Ｆｉ送信機によって行われ、前記受信用チャネル予約信号がＷｉ−Ｆｉ受信機によって送信される、Ｃ２３に記載の方法。
[Ｃ２８]  前記通信がアップリンクリソースの前記許可を備え、前記方法が、
前記送信用チャネル予約に関連する干渉レベルを決定することと、
前記干渉レベルに少なくとも部分的に基づいて、前記アップリンク送信中に前記第１のＵＥによって使用されるべき変調およびコーディング方式（ＭＣＳ）を識別することと、  前記通信を用いて前記ＭＣＳのインジケータを送信することと
をさらに備える、Ｃ２３に記載の方法。
[Ｃ２９]  前記通信がアップリンクリソースの前記許可を備え、前記方法が、
前記送信用チャネル予約の持続時間を決定することと、
アップリンクリソースの前記許可において、前記送信用チャネル予約の前記持続時間よりも短いアップリンク送信持続時間を示すことと
をさらに備える、Ｃ２３に記載の方法。
[Ｃ３０]  第１の基地局において、共有無線周波数スペクトル帯域上で送信用チャネル予約を検出するための手段と、
前記送信用チャネル予約に少なくとも部分的に基づいて、前記共有無線周波数スペクトル帯域上で受信用チャネル予約信号が検出されたかどうかを決定するための手段と、
前記決定することに少なくとも部分的に基づいて、第１のユーザ機器（ＵＥ）に、前記共有無線周波数スペクトル帯域上で通信を送信するための手段と、前記通信が、ダウンリンク送信に関連する許可前通信またはアップリンク送信に関連するアップリンクリソースの許可を備える、
を備える、ワイヤレス通信のための装置。
【図１】
0006766130.tif 000002
【図２】
0006766130.tif 000003
【図３】
0006766130.tif 000004
【図４】
0006766130.tif 000005
【図５】
0006766130.tif 000006
【図６】
0006766130.tif 000007
【図７】
0006766130.tif 000008
【図８】
0006766130.tif 000009
【図９】
0006766130.tif 000010
【図１０】
0006766130.tif 000011
【図１１】
0006766130.tif 000012
【図１２】
0006766130.tif 000013
【図１３】
0006766130.tif 000014
【図１４】
0006766130.tif 000015
【図１５】
0006766130.tif 000016
【図１６】
0006766130.tif 000017
【図１７】
0006766130.tif 000018
【図１８】
0006766130.tif 000019
【図１９】
0006766130.tif 000020
【図２０】
0006766130.tif 000021
【図２１】
0006766130.tif 000022
【図２２】
0006766130.tif 000023
【図２３】
0006766130.tif 000024
【図２４】
0006766130.tif 000025